(57)【要約】【課題】従来技術においては、２以上の飼育対象の水中生物群の資産価値を容易に取得できなかった。【解決手段】２以上の飼育対象である水中生物群に与えた餌に関する餌情報、飼育対象のサイズに関するサイズ情報のうちの１または２以上の情報を含む水中生物群情報を受け付ける水中生物群情報受付部と、水中生物群情報を用いて、水中生物群の資産価値を取得する資産価値取得部と、資産価値を出力する資産価値出力部とを具備する資産価値出力装置により、２以上の飼育対象の水中生物群の資産価値を容易に取得できる。【選択図】図３
2020021477.tif 000002
【特許請求の範囲】
【請求項１】
２以上の飼育対象である水中生物群に与えた餌に関する餌情報、飼育対象のサイズに関するサイズ情報のうちの１または２以上の情報を含む水中生物群情報を受け付ける水中生物群情報受付部と、
前記水中生物群情報を用いて、水中生物群の資産価値を取得する資産価値取得部と、
前記資産価値を出力する資産価値出力部とを具備する資産価値出力装置。
【請求項２】
前記資産価値取得部は、
前記餌情報が餌の量に関する情報であり、多い餌の量に関する情報であるほど高い値の資産価値を取得する、または前記サイズ情報が大きいサイズを示す情報であるほど高い値の資産価値を取得する請求項１記載の資産価値出力装置。
【請求項３】
前記水中生物群情報は、サイズ情報を含み、
水中生物群から取得された画像を解析し、飼育対象のサイズに関するサイズ情報を取得する画像解析部をさらに具備し、
前記水中生物群情報受付部が受け付ける水中生物群情報は、前記画像解析部が取得したサイズ情報を有する請求項１または請求項２記載の資産価値出力装置。
【請求項４】
前記画像解析部は、
カメラが水中生物群を撮影した１または２以上の画像またはソナーを水中生物群に照射することにより取得された１または２以上の画像から、２以上の飼育対象を検知し、当該２以上の各飼育対象のサイズを取得し、当該２以上のサイズの代表値であるサイズ情報を取得するサイズ情報取得手段を具備する請求項３記載の資産価値出力装置。
【請求項５】
カメラが水中生物群を撮影した画像またはソナーを水中生物群に照射することにより取得された１または２以上の画像を解析し、飼育対象の種類である種類情報を取得する画像解析部をさらに具備し、
前記水中生物群情報受付部が受け付ける水中生物群情報は、前記画像解析部が取得した種類情報を有する請求項１または請求項２記載の資産価値出力装置。
【請求項６】
前記水中生物群情報は、餌情報とサイズ情報とを有し、
前記資産価値取得部は、
前記餌情報が餌の量に関する情報であり、多い餌の量に関する情報であるほど高い値の第一の資産価値を取得するコストアプローチ手段と、
前記サイズ情報が大きいサイズを示す情報であるほど高い値の第二の資産価値を取得するマーケットアプローチ手段とを具備し、
かつ２以上の資産価値を取得し、
前記資産価値出力部は、
前記第一の資産価値と前記第二の資産価値とを含む２以上の資産価値、または前記２以上の資産価値の代表値を出力する請求項１から請求項５いずれか一項に記載の資産価値出力装置。
【請求項７】
前記資産価値出力部は、
前記２以上の資産価値を用いて、最大または最小または平均の資産価値を出力する請求項６記載の資産価値出力装置。
【請求項８】
前記水中生物群情報受付部は、
２以上の生簀ごとに水中生物群情報を受け付け、
前記資産価値取得部は、
２以上の生簀ごとに水中生物群の資産価値を取得し、
前記資産価値出力部は、
２以上の生簀ごとに前記資産価値を出力する請求項１から請求項７いずれか一項に記載の資産価値出力装置。
【請求項９】
請求項１から請求項８いずれか一項に記載の資産価値出力装置が出力した資産価値を用いて、保険に関する保険情報を取得する保険情報取得部と、
前記保険情報を出力する保険情報出力部とを具備する保険情報出力装置。
【請求項１０】
水中生物群の飼育者の関する飼育者情報が格納される飼育者情報格納部をさらに具備し、
前記保険情報取得部は、
前記資産価値と前記飼育者情報とを用いて保険情報を取得する請求項９記載の保険情報出力装置。
【請求項１１】
前記保険情報取得部は、
前記飼育者情報を用いて、飼育者のランクを取得するランク取得手段と、
前記資産価値と前記ランクとを用いて、保険情報を取得する保険情報取得手段とを具備する請求項１０記載の保険情報出力装置。
【請求項１２】
水中生物群に対して保険金が支払われる状態となるリスクを増加させるまたは低減させる要因となる１以上のリスク要因情報が格納されるリスク要因情報格納部をさらに具備し、
前記保険情報取得部は、
前記１以上のリスク要因情報をも用いて保険情報を取得する請求項９または請求項１０記載の保険情報出力装置。
【請求項１３】
前記１以上のリスク要因情報は、
飼育場所の自然に関する自然情報、水中生物群の属性値、周辺環境に関する周辺環境情報、飼育者の作業に関する作業情報、飼育に使用する設備の設備情報のうち１以上の情報を有する請求項１１記載の保険情報出力装置。
【請求項１４】
飼育者を識別する飼育者識別子または生簀を識別する生簀識別子に対応付けて、水中生物群の資産価値が格納される資産価値格納部と、
前記資産価値格納部に格納されている資産価値を用いて、金融に関する金融関連情報を取得する金融関連情報取得部と、
前記金融関連情報を出力する金融関連情報出力部とを具備する金融関連情報出力装置。
【請求項１５】
水中生物群の飼育者に関する飼育者情報が格納される飼育者情報格納部をさらに具備し、
前記金融関連情報取得部は、
前記資産価値と前記飼育者情報とを用いて金融関連情報を取得する請求項１４記載の金融関連情報出力装置。
【請求項１６】
水中生物群に対して保険金が支払われる状態となるリスクを増加させるまたは低減させる要因となる１以上のリスク要因情報が格納されるリスク要因情報格納部をさらに具備し、
前記金融関連情報取得部は、
前記１以上のリスク要因情報をも用いて保険情報を取得する請求項１４または請求項１５記載の金融関連情報出力装置。
【請求項１７】
水中生物群の飼育者に関する情報であり、飼育者を識別する飼育者識別子または生簀を識別する生簀識別子、生簀の規模を特定する規模情報を有する１以上の飼育者情報が格納される飼育者情報格納部と、
生簀の単位量あたりの損害額を特定する求償単価情報が格納される求償単価格納部と、
飼育者識別子または生簀識別子を有する損害額算定指示を受け付ける指示受付部と、
前記損害額算定指示が有する飼育者識別子または生簀識別子と対になる規模情報を前記飼育者情報格納部から取得する規模取得部と、
前記求償単価情報と前記規模取得部が取得した規模情報とを用いて、前記損害額算定指示が有する飼育者識別子により識別される飼育者または生簀識別子により識別される生簀の損害額を取得する損害額取得部と、
前記損害額取得部が取得した損害額を出力する損害額出力部とを具備する損害額出力装置。
【請求項１８】
前記求償単価格納部には、
リスク要因情報に関する条件である要因条件と求償単価情報とを有する１以上の単価管理情報が格納され、
１以上のリスク要因情報を受け付けるリスク要因受付部と、
前記リスク要因受付部が受け付けた１以上のリスク要因情報に合致する要因条件と対になる求償単価情報を取得する求償単価取得部とをさらに具備し、
前記求償単価格納部の求償単価格情報は、前記求償単価取得部が取得した求償単価情報である請求項１７記載の損害額出力装置。
【請求項１９】
生簀を撮影して得られた１以上の生簀画像が格納される生簀画像格納部と、
前記１以上の生簀画像を用いて、生簀が存在するか否かを判断する存在判断部とをさらに具備し、
前記存在判断部の判断結果に応じて異なる処理を行う請求項１７または請求項１８記載の損害額出力装置。
【請求項２０】
飼育者が生簀に対して作業を行っているか否かを判断する作業判断部とをさらに具備し、
前記存在判断部の判断結果に応じて異なる処理を行う請求項１７または請求項１８記載の損害額出力装置。
【請求項２１】
前記作業判断部は、
生簀を撮影して得られた１以上の生簀画像を用いて、飼育者が生簀に対して作業を行っているか否かを判断する請求項２０記載の損害額出力装置。
【請求項２２】
飼育者に対応する１以上の位置情報を受信する位置情報受信部をさらに具備し、
前記作業判断部は、
前記１以上の位置情報を用いて、飼育者が生簀に対して作業を行っているか否かを判断する請求項２０記載の損害額出力装置。
【請求項２３】
生簀において損害が発生しているか否かを判断する損害発生判断部をさらに具備し、
前記損害額出力部は、
損害が発生していると前記損害発生判断部が判断した場合のみ、前記損害額を出力する請求項１７から請求項２０いずれか一項に記載の損害額出力装置。
【請求項２４】
前記損害発生判断部は、
生簀を撮影して得られた１以上の画像を用いて、前記生簀において損害が発生しているか否かを判断する請求項２３記載の損害額出力装置。
【請求項２５】
気象に関する気象情報を受け付ける気象情報受付部と、
前記損害発生判断部は、
前記気象情報を用いて、前記生簀において損害が発生しているか否かを判断する請求項２３記載の損害額出力装置。
【請求項２６】
水中生物群情報受付部、資産価値取得部、および資産価値出力部により実現される情報処理方法であって、
前記水中生物群情報受付部が、２以上の飼育対象である水中生物群に与えた餌に関する餌情報、飼育対象のサイズに関するサイズ情報のうちの１または２以上の情報を含む水中生物群情報を受け付ける水中生物群情報受付ステップと、
前記資産価値取得部が、前記水中生物群情報を用いて、水中生物群の資産価値を取得する資産価値取得ステップと、
前記資産価値出力部が、前記資産価値を出力する資産価値出力ステップとを具備する情報処理方法。
【請求項２７】
保険情報取得部、および保険情報出力部により実現される情報処理方法であって、
前記保険情報取得部が、請求項１から請求項８いずれか一項に記載の資産価値出力装置が出力した資産価値を用いて、保険に関する保険情報を取得する保険情報取得ステップと、
前記保険情報出力部が、前記保険情報を出力する保険情報出力ステップとを具備する情報処理方法。
【請求項２８】
飼育者を識別する飼育者識別子または生簀を識別する生簀識別子に対応付けて、水中生物群の資産価値が格納される資産価値格納部と、金融関連情報取得部と、金融関連情報出力部とにより実現される情報処理方法であって、
前記金融関連情報取得部が、前記資産価値格納部に格納されている資産価値を用いて、金融に関する金融関連情報を取得する金融関連情報取得部と、
前記金融関連情報出力部が、前記金融関連情報を出力する金融関連情報出力部とを具備する情報処理方法。
【請求項２９】
水中生物群の飼育者に関する情報であり、飼育者を識別する飼育者識別子または生簀を識別する生簀識別子、生簀の規模を特定する規模情報を有する１以上の飼育者情報が格納される飼育者情報格納部と、生簀の単位量あたりの損害額を特定する求償単価情報が格納される求償単価格納部と、指示受付部と、規模取得部と、損害額取得部と、損害額出力部により実現される情報処理方法であって、
前記指示受付部が、飼育者識別子または生簀識別子を有する損害額算定指示を受け付ける指示受付ステップと、
前記規模取得部が、前記損害額算定指示が有する飼育者識別子または生簀識別子と対になる規模情報を前記飼育者情報格納部から取得する規模取得ステップと、
前記損害額取得部が、前記求償単価情報と前記規模取得部が取得した規模情報とを用いて、前記損害額算定指示が有する飼育者識別子により識別される飼育者または生簀識別子により識別される生簀の損害額を取得する損害額取得ステップと、
前記損害額出力部が、前記損害額取得部が取得した損害額を出力する損害額出力ステップとを具備する情報処理方法。
【請求項３０】
コンピュータを、
２以上の飼育対象である水中生物群に与えた餌に関する餌情報、飼育対象のサイズに関するサイズ情報のうちの１または２以上の情報を含む水中生物群情報を受け付ける水中生物群情報受付部と、
前記水中生物群情報を用いて、水中生物群の資産価値を取得する資産価値取得部と、
前記資産価値を出力する資産価値出力部として機能させるためのプログラム。
【請求項３１】
コンピュータを、
請求項１から請求項８いずれか一項に記載の資産価値出力装置が出力した資産価値を用いて、保険に関する保険情報を取得する保険情報取得部と、
前記保険情報を出力する保険情報出力部として機能させるためのプログラム。
【請求項３２】
飼育者を識別する飼育者識別子または生簀を識別する生簀識別子に対応付けて、水中生物群の資産価値が格納される資産価値格納部にアクセス可能なコンピュータを、
前記資産価値格納部に格納されている資産価値を用いて、金融に関する金融関連情報を取得する金融関連情報取得部と、
前記金融関連情報を出力する金融関連情報出力部として機能させるためのプログラム。
【請求項３３】
水中生物群の飼育者に関する情報であり、飼育者を識別する飼育者識別子または生簀を識別する生簀識別子、生簀の規模を特定する規模情報を有する１以上の飼育者情報が格納される飼育者情報格納部と、生簀の単位量あたりの損害額を特定する求償単価情報が格納される求償単価格納部とにアクセス可能なコンピュータを、
飼育者識別子または生簀識別子を有する損害額算定指示を受け付ける指示受付部と、
前記損害額算定指示が有する飼育者識別子または生簀識別子と対になる規模情報を前記飼育者情報格納部から取得する規模取得部と、
前記求償単価情報と前記規模取得部が取得した規模情報とを用いて、前記損害額算定指示が有する飼育者識別子により識別される飼育者または生簀識別子により識別される生簀の損害額を取得する損害額取得部と、
前記損害額取得部が取得した損害額を出力する損害額出力部として機能させるためのプログラム。
【発明の詳細な説明】
【技術分野】
【０００１】
本発明は、２以上の飼育対象である水中生物群の資産価値を算定する資産価値出力装置等に関するものである。
【背景技術】
【０００２】
従来、畜産物のような日々変化する動産の情報管理および動産評価を支援する動産担保融資支援システムがあった（例えば、特許文献１参照）。
【先行技術文献】
【特許文献】
【０００３】
【特許文献１】特開２００９−１２２８８４号公報
【発明の概要】
【発明が解決しようとする課題】
【０００４】
しかしながら、従来技術においては、地上で飼育されており、飼育対象の数や状況が把握し易い畜産物を対象とした動産評価を支援する。つまり、従来技術においては、２以上の飼育対象の水中生物群の資産価値を容易に取得できなかった。
【０００５】
また、従来技術においては、個々の動産にＩＣタグまたはバーコードなどの情報記憶識別子を装着し、情報記憶識別子を、読み取り機能付き端末により読み取ることにより、個々の動産を識別、管理する。
【０００６】
しかし、従来技術においては、水中生物群に与えた餌に関する餌情報、および水中生物のサイズに関するサイズ情報を取得できないため、２以上の飼育対象の水中生物群の資産価値を容易に取得できなかった。
【課題を解決するための手段】
【０００７】
本第一の発明の資産価値出力装置は、２以上の飼育対象である水中生物群に与えた餌に関する餌情報、飼育対象のサイズに関するサイズ情報のうちの１または２以上の情報を含む水中生物群情報を受け付ける水中生物群情報受付部と、水中生物群情報を用いて、水中生物群の資産価値を取得する資産価値取得部と、資産価値を出力する資産価値出力部とを具備する資産価値出力装置
【０００８】
かかる構成により、２以上の飼育対象の水中生物群の資産価値を容易に取得できる。
【０００９】
また、本第二の発明の資産価値出力装置は、第一の発明に対して、資産価値取得部は、餌情報が餌の量に関する情報であり、多い餌の量に関する情報であるほど高い値の資産価値を取得する、またはサイズ情報が大きいサイズを示す情報であるほど高い値の資産価値を取得する資産価値出力装置である。
【００１０】
かかる構成により、２以上の飼育対象の水中生物群の資産価値を容易に取得できる。
【００１１】
また、本第三の発明の資産価値出力装置は、第一または第二の発明に対して、水中生物群情報は、サイズ情報を含み、水中生物群から取得された画像を解析し、飼育対象のサイズに関するサイズ情報を取得する画像解析部をさらに具備し、水中生物群情報受付部が受け付ける水中生物群情報は、画像解析部が取得したサイズ情報を有する資産価値出力装置である。
【００１２】
かかる構成により、カメラが撮影した画像の解析結果から得られた飼育対象のサイズ情報を用いて、２以上の飼育対象の水中生物群の資産価値を容易に取得できる。
【００１３】
また、本第四の発明の資産価値出力装置は、第三の発明に対して、画像解析部は、カメラが水中生物群を撮影した１または２以上の画像から、２以上の飼育対象を検知し、２以上の各飼育対象のサイズを取得し、２以上のサイズの代表値であるサイズ情報を取得するサイズ情報取得手段を具備する資産価値出力装置である。
【００１４】
かかる構成により、カメラが撮影した画像の解析結果から得られた飼育対象のサイズ情報を用いて、２以上の飼育対象の水中生物群の資産価値を容易に取得できる。
【００１５】
また、本第五の発明の資産価値出力装置は、第一または第二の発明に対して、カメラが水中生物群を撮影した画像を解析し、飼育対象の種類である種類情報を取得する画像解析部をさらに具備し、水中生物群情報受付部が受け付ける水中生物群情報は、画像解析部が取得した種類情報を有する資産価値出力装置である。
【００１６】
かかる構成により、カメラが撮影した画像の解析結果から得られた飼育対象のサイズ情報を用いて、２以上の飼育対象の水中生物群の資産価値を容易に取得できる。
【００１７】
また、本第六の発明の資産価値出力装置は、第一から第五いずれか１つの発明に対して、水中生物群情報は、餌情報とサイズ情報とを有し、資産価値取得部は、餌情報が餌の量に関する情報であり、多い餌の量に関する情報であるほど高い値の第一の資産価値を取得するコストアプローチ手段と、サイズ情報が大きいサイズを示す情報であるほど高い値の第二の資産価値を取得するマーケットアプローチ手段とを具備し、かつ２以上の資産価値を取得し、資産価値出力部は、第一の資産価値と第二の資産価値とを含む２以上の資産価値、または２以上の資産価値の代表値を出力する資産価値出力装置である。
【００１８】
かかる構成により、餌情報とサイズ情報とを用いて、２以上の飼育対象の水中生物群の資産価値を容易に取得できる。
【００１９】
また、本第七の発明の資産価値出力装置は、第六の発明に対して、資産価値出力部は、２以上の資産価値を用いて、最大または最小または平均の資産価値を出力する資産価値出力装置である。
【００２０】
かかる構成により、餌情報とサイズ情報とを用いて、２以上の飼育対象の水中生物群の資産価値を適切に出力できる。
【００２１】
また、本第八の発明の資産価値出力装置は、第一から第七いずれか１つの発明に対して、水中生物群情報受付部は、２以上の生簀ごとに水中生物群情報を受け付け、資産価値取得部は、２以上の生簀ごとに水中生物群の資産価値を取得し、資産価値出力部は、２以上の生簀ごとに資産価値を出力する資産価値出力装置である。
【００２２】
かかる構成により、生簀ごとに、適切に資産価値を出力できる。
【００２３】
また、本第九の発明の保険情報出力装置は、第一から第八いずれか１つの発明に対して、資産価値出力装置が出力した資産価値を用いて、保険に関する保険情報を取得する保険情報取得部と、保険情報を出力する保険情報出力部とを具備する保険情報出力装置である。
【００２４】
かかる構成により、資産価値を用いて保険情報を取得できる。
【００２５】
また、本第十の発明の保険情報出力装置は、第九の発明に対して、水中生物群の飼育者の関する飼育者情報が格納される飼育者情報格納部をさらに具備し、保険情報取得部は、資産価値と飼育者情報とを用いて保険情報を取得する保険情報出力装置である。
【００２６】
かかる構成により、資産価値と飼育者情報とを用いて保険情報を取得できる。
【００２７】
また、本第十一の発明の保険情報出力装置は、第十の発明に対して、保険情報取得部は、飼育者情報を用いて、飼育者のランクを取得するランク取得手段と、資産価値とランクとを用いて、保険情報を取得する保険情報取得手段とを具備する保険情報出力装置である。
【００２８】
かかる構成により、飼育者のランクに基づき、適切な保険情報を取得できる。
【００２９】
また、本第十二の発明の保険情報出力装置は、第九または第十の発明に対して、水中生物群に対して保険金が支払われる状態となるリスクを増加させるまたは低減させる要因となる１以上のリスク要因情報が格納されるリスク要因情報格納部をさらに具備し、保険情報取得部は、１以上のリスク要因情報をも用いて保険情報を取得する保険情報出力装置である。
【００３０】
かかる構成により、リスク要因に基づき、適切な保険情報を取得できる。
【００３１】
また、本第十三の発明の保険情報出力装置は、第十一の発明に対して、１以上のリスク要因情報は、飼育場所の自然に関する自然情報、水中生物群の属性値、周辺環境に関する周辺環境情報、飼育者の作業に関する作業情報、飼育に使用する設備の設備情報のうち１以上の情報を有する保険情報出力装置である。
【００３２】
かかる構成により、リスク要因に基づき、適切な保険情報を取得できる。
【００３３】
また、本第十四の発明の金融関連情報出力装置は、飼育者を識別する飼育者識別子または生簀を識別する生簀識別子に対応付けて、水中生物群の資産価値が格納される資産価値格納部と、資産価値格納部に格納されている資産価値を用いて、金融に関する金融関連情報を取得する金融関連情報取得部と、金融関連情報を出力する金融関連情報出力部とを具備する金融関連情報出力装置である。
【００３４】
かかる構成により、２以上の飼育対象の水中生物群の資産価値を用いて、例えば、保険情報、融資金額情報等の金融関連情報を取得できる。
【００３５】
また、本第十五の発明の金融関連情報出力装置は、第十四の発明に対して、水中生物群の飼育者に関する飼育者情報が格納される飼育者情報格納部をさらに具備し、金融関連情報取得部は、資産価値と飼育者情報とを用いて金融関連情報を取得する金融関連情報出力装置である。
【００３６】
かかる構成により、２以上の飼育対象の水中生物群の資産価値と飼育者情報とを用いて、例えば、保険情報、融資金額情報等の金融関連情報を取得できる。
【００３７】
また、本第十六の発明の金融関連情報出力装置は、第十四または第十五の発明に対して、水中生物群に対して保険金が支払われる状態となるリスクを増加させるまたは低減させる要因となる１以上のリスク要因情報が格納されるリスク要因情報格納部をさらに具備し、金融関連情報取得部は、１以上のリスク要因情報をも用いて保険情報を取得する金融関連情報出力装置である。
【００３８】
かかる構成により、２以上の飼育対象の水中生物群の資産価値とリスク要因情報とを用いて、例えば、保険情報、融資金額情報等の金融関連情報を取得できる。
【００３９】
また、本第十七の発明の損害額出力装置は、水中生物群の飼育者に関する情報であり、飼育者を識別する飼育者識別子または生簀を識別する生簀識別子、生簀の規模を特定する規模情報を有する１以上の飼育者情報が格納される飼育者情報格納部と、生簀の単位量あたりの損害額を特定する求償単価情報が格納される求償単価格納部と、飼育者識別子または生簀識別子を有する損害額算定指示を受け付ける指示受付部と、損害額算定指示が有する飼育者識別子または生簀識別子と対になる規模情報を飼育者情報格納部から取得する規模取得部と、求償単価情報と規模取得部が取得した規模情報とを用いて、損害額算定指示が有する飼育者識別子により識別される飼育者または生簀識別子により識別される生簀の損害額を取得する損害額取得部と、損害額取得部が取得した損害額を出力する損害額出力部とを具備する損害額出力装置である。
【００４０】
かかる構成により、生簀の規模情報と求償単価とを用いて、損害が発生した生簀の損害額を算定できる。
【００４１】
また、本第十八の発明の損害額出力装置は、第十七の発明に対して、求償単価格納部には、リスク要因情報に関する条件である要因条件と求償単価情報とを有する１以上の単価管理情報が格納され、１以上のリスク要因情報を受け付けるリスク要因受付部と、リスク要因受付部が受け付けた１以上のリスク要因情報に合致する要因条件と対になる求償単価情報を取得する求償単価取得部とをさらに具備し、求償単価格納部の求償単価格情報は、求償単価取得部が取得した求償単価情報である損害額出力装置である。
【００４２】
かかる構成により、求償単価を自動的に取得できる。
【００４３】
また、本第十九の発明の損害額出力装置は、第十七または第十八の発明に対して、生簀を撮影して得られた１以上の生簀画像が格納される生簀画像格納部と、１以上の生簀画像を用いて、生簀が存在するか否かを判断する存在判断部とをさらに具備し、存在判断部の判断結果に応じて異なる処理を行う損害額出力装置である。
【００４４】
かかる構成により、生簀が存在するか否かを判断できる。
【００４５】
また、本第二十の発明の損害額出力装置は、第十七または第十八の発明に対して、飼育者が生簀に対して作業を行っているか否かを判断する作業判断部とをさらに具備し、存在判断部の判断結果に応じて異なる処理を行う損害額出力装置である。
【００４６】
かかる構成により、飼育者が生簀に対して作業を行っているか否かを判断できる。
【００４７】
また、本第二十一の発明の損害額出力装置は、第二十の発明に対して、作業判断部は、生簀を撮影して得られた１以上の生簀画像を用いて、飼育者が生簀に対して作業を行っているか否かを判断する損害額出力装置である。
【００４８】
かかる構成により、１以上の生簀画像を用いて、飼育者が生簀に対して作業を行っているか否かを判断できる。
【００４９】
また、本第二十二の発明の損害額出力装置は、第二十の発明に対して、飼育者に対応する１以上の位置情報を受信する位置情報受信部をさらに具備し、作業判断部は、１以上の位置情報を用いて、飼育者が生簀に対して作業を行っているか否かを判断する損害額出力装置である。
【００５０】
かかる構成により、飼育者に対応する１以上の位置情報を用いて、飼育者が生簀に対して作業を行っているか否かを判断できる。
【００５１】
また、本第二十三の発明の損害額出力装置は、第十七から第二十いずれか１つの発明に対して、生簀において損害が発生しているか否かを判断する損害発生判断部をさらに具備し、損害額出力部は、損害が発生していると損害発生判断部が判断した場合のみ、損害額を出力する損害額出力装置である。
【００５２】
かかる構成により、生簀に損害が発生しているか否かを判断できる。
【００５３】
また、本第二十四の発明の損害額出力装置は、第二十三の発明に対して、損害発生判断部は、生簀を撮影して得られた１以上の画像を用いて、生簀において損害が発生しているか否かを判断する損害額出力装置である。
【００５４】
かかる構成により、１以上の生簀画像を用いて、生簀に損害が発生しているか否かを判断できる。
【００５５】
また、本第二十五の発明の損害額出力装置は、第二十三の発明に対して、環境に関する環境情報を受け付ける環境情報受付部と、損害発生判断部は、環境情報を用いて、生簀において損害が発生しているか否かを判断する損害額出力装置である。
【００５６】
かかる構成により、環境情報を用いて、生簀に損害が発生しているか否かを判断できる。
【発明の効果】
【００５７】
本発明による資産価値出力装置によれば、２以上の飼育対象の水中生物群の資産価値を容易に取得できる。
【図面の簡単な説明】
【００５８】
【図１】実施の形態１における情報システムＡの概念図
【図２】同情報システムＡのブロック図
【図３】同情報システムＡを構成する資産価値出力装置１のブロック図
【図４】同サイズ情報取得手段１３１１が取得するサイズ情報の例を示す図
【図５】同資産価値出力装置１の動作例について説明するフローチャート
【図６】同生簀資産価値取得処理の例について説明するフローチャート
【図７】同サイズ情報等取得処理の例について説明するフローチャート
【図８】同給餌器２の動作例について説明するフローチャート
【図９】同飼育者情報管理表を示す図
【図１０】同飼料コスト比率管理表を示す図
【図１１】同対象市場価格管理表を示す図
【図１２】同給餌情報管理表を示す図
【図１３】同飼育対象情報管理表を示す図
【図１４】同出力例を示す図
【図１５】実施の形態２における情報システムＢの概念図
【図１６】同情報システムＢを構成する保険情報出力装置５のブロック図
【図１７】同保険情報出力装置５の動作について説明するフローチャート
【図１８】同飼育者情報管理表を示す図
【図１９】同リスク要因情報管理表を示す図
【図２０】同資産保険管理表を示す図
【図２１】同飼育者ランク補正表を示す図
【図２２】同リスクランク補正表を示す図
【図２３】実施の形態３における情報システムＣの概念図
【図２４】同情報システムＣを構成する金融関連情報出力装置６のブロック図
【図２５】同金融関連情報出力装置６の動作例について説明するフローチャート
【図２６】同資産金融関連情報管理表の例を示す図
【図２７】同飼育者ランク補正表の例を示す図
【図２８】同リスクランク補正表の例を示す図
【図２９】実施の形態４における損害額出力装置７のブロック図
【図３０】同損害額出力装置７の第一の動作例について説明するフローチャート
【図３１】同損害額出力装置７の第二の動作例について説明するフローチャート
【図３２】同生簀存在判断処理の例について説明するフローチャート
【図３３】同作業有無判断処理の例について説明するフローチャート
【図３４】同損害発生有無判断処理の例について説明するフローチャート
【図３５】同損害額取得処理の例について説明するフローチャート
【図３６】同単価管理表の例を示す図
【図３７】上記実施の形態におけるコンピュータシステムの概観図
【図３８】同コンピュータシステムのブロック図
【発明を実施するための形態】
【００５９】
以下、資産価値出力装置等の実施形態について図面を参照して説明する。なお、実施の形態において同じ符号を付した構成要素は同様の動作を行うので、再度の説明を省略する場合がある。
【００６０】
（実施の形態１）
本実施の形態において、例えば、魚等の水中生物に与えた餌に関する餌情報と魚のサイズ情報のうちの１以上の情報を用いて、水中生物群の資産価値を算定する資産価値出力装置を含む情報システムについて説明する。なお、水中生物は、水中の飼育物であり、例えば、水の中で移動する飼育物である。水中生物は、例えば、魚、たこ、イカ、えび、イルカ等である。また、水中生物は、水の中で移動しない、昆布、海藻等も含むと考えても良い。水中生物は、貝を含むと考えても良い。
【００６１】
また、本実施の形態において、カメラまたはソナー等で取得した水中生物の画像から水中生物のサイズ情報を取得し、かかるサイズ情報を用いて、水中生物群の資産価値を算定する資産価値出力装置を含む情報システムについて説明する。
【００６２】
また、本実施の形態において、カメラまたはソナー等で取得した水中生物群の画像から水中生物をサンプリングし、サイズ情報の代表値を取得し、当該代表値を用いて、水中生物群の資産価値を算定する資産価値出力装置を含む情報システムについて説明する。
【００６３】
また、本実施の形態において、コストアプローチ、マーケットアプローチを含む２以上のアルゴリズムで資産価値を算定する資産価値出力装置を含む情報システムについて説明する。なお、コストアプローチとは、飼育にかかった費用に基づいて資産価値を算定する方法である。また、マーケットアプローチとは、市場での水中生物の価値に基づいて資産価値を算定する方法である。
【００６４】
さらに、本実施の形態において、１または２以上の各生簀ごとに資産価値を算定する資産価値出力装置を含む情報システムについて説明する。
【００６５】
図１は、本実施の形態における情報システムＡの概念図である。情報システムＡは、資産価値出力装置１、１または２以上の給餌器２、１または２以上のユーザ端末３、および１または２以上のカメラ４を備える。
【００６６】
資産価値出力装置１は、水中生物群の資産価値を出力する装置である。資産価値出力装置１は、通常、１以上の給餌器２、１以上のユーザ端末３、および１以上のカメラ４と通信可能な装置である。資産価値出力装置１は、例えば、クラウドサーバ、ＡＳＰサーバ等のサーバ装置である。ただし、資産価値出力装置１は、スタンドアロンの装置でも良い。
【００６７】
給餌器２は、水中生物群に餌を与える装置である。給餌器２は、例えば、資産価値出力装置１に後述する餌情報を送信する装置である。
【００６８】
ユーザ端末３は、ユーザが使用する端末である。ユーザとは、例えば、魚等の水中生物の飼育者、飼育者が所属する組織の他の職員、飼育者に融資する融資担当者等であり、その役割は問わない。なお、他の職員の職種は問わない。端末は、スマートフォン、タブレット端末等の携帯端末、据え置き型のＰＣ等であり、その所在やタイプは問わない。なお、飼育は、養殖と言っても良い。飼育者は、養殖者と言っても良い。
【００６９】
カメラ４は、水中生物群を撮影し、画像を取得する。画像は、動画が好適であるが、静止画でも良い。カメラ４は、通信機能を有し、資産価値出力装置１、または／およびユーザ端末３に画像を送信することは好適である。また、カメラ４には、生簀識別子が格納されており、画像と共に生簀識別子を送信することは好適である。また、カメラ４には、カメラ識別子が格納されており、画像と共にカメラ識別子を送信することは好適である。かかる場合、カメラ識別子は、生簀を識別する情報にもなることは好適である。
【００７０】
カメラ４が画像等を送信するタイミングは問わない。カメラ４は、例えば、常時、画像等を送信しても良い。ただし、送信の要求が受信された場合のみ、画像等を送信しても良い。かかる場合、カメラ４は、送信の要求等の受信機能を有する。
【００７１】
また、カメラ４は、生簀ごとに１または２以上設置されていることは好適である。また、カメラ４は、水中に設置されていることは好適であるが、生簀の上から撮影できる位置に設置されるなど、水中以外の場所に設置されていても良い。生簀は、魚等の水中生物を飼育する施設である。カメラ４の種類は問わないが、３６０度カメラ、広域のカメラ、ステレオカメラが好適である。カメラ４は、距離カメラでも良い。なお、ステレオカメラは、２つ以上のカメラを同期させたカメラシステムである。つまり、ステレオカメラは、対象物を複数の異なる方向から同時に撮影することにより、その奥行き方向の情報も記録できるようにしたカメラである。また、カメラ４に代えて、ソナー（超音波機器）を用いて、画像を取得しても良い。かかるソナーは、例えば、イメージングソナーであり、公知技術（例えば、インターネットＵＲＬ「http://www.kwk.co.jp/marine/products/sonar.html」参照）である。
【００７２】
図２は、本実施の形態における情報システムＡのブロック図である。図３は、情報システムＡを構成する資産価値出力装置１のブロック図である。
【００７３】
資産価値出力装置１は、格納部１１、受付部１２、処理部１３、および出力部１４を備える。格納部１１は、飼育者情報格納部１１１を備える。受付部１２は、水中生物群情報受付部１２１を備える。処理部１３は、画像解析部１３１、および資産価値取得部１３２を備える。画像解析部１３１は、サイズ情報取得手段１３１１、および種類情報取得手段１３１２を備える。資産価値取得部１３２は、コストアプローチ手段１３２１、およびマーケットアプローチ手段１３２２を備える。出力部１４は、資産価値出力部１４１を備える。
【００７４】
給餌器２は、給餌格納部２１、給餌処理部２２、給餌送信部２３、および給餌受信部２４を備える。
【００７５】
ユーザ端末３は、ユーザ格納部３１、ユーザ受付部３２、ユーザ処理部３３、ユーザ送信部３４、ユーザ受信部３５、およびユーザ出力部３６を備える。
【００７６】
資産価値出力装置１を構成する格納部１１には、各種の情報が格納される。各種の情報とは、例えば、飼育者情報、後述する各種の演算式、後述する各種の対応表等である。
【００７７】
演算式は、例えば、後述する飼料効率を算出する演算式、後述する無摂餌量削減率を算出する演算式、後述する実際増肉係数を算出する演算式、後述する飼料コストを算出する演算式、後述する市場価値を算出する演算式等である。
【００７８】
対応表は、例えば、後述する飼料コスト比率管理表、後述する対象市場価格管理表、後述する給餌情報管理表、サイズ情報（例えば、尾叉長、全長、体高）と重量との対応表である。
【００７９】
飼育者情報格納部１１１には、１または２以上の飼育者情報が格納される。飼育者情報は、水中生物群の飼育者の関する情報である。
【００８０】
飼育者情報は、例えば、飼育者識別子、生簀識別子を有する。飼育者識別子は、飼育者を識別する情報である。飼育者識別子は、例えば、ＩＤ、飼育者名、電話番号、メールアドレス、飼育者が使用するユーザ端末３のＩＰアドレス等である。生簀識別子は、飼育者識別子で識別される飼育者の生簀を識別する情報である。生簀識別子は、例えば、ＩＤである。生簀識別子は、飼育者識別子を有している、と考えても良い。
【００８１】
飼育者情報は、例えば、飼育者の飼育対象の種類を示す種類情報を有する。種類情報は、例えば、まぐろ、鯛、カキ、ワカメ等である。
【００８２】
飼育者情報は、例えば、飼育者が飼育対象に与えている餌に関する餌情報を有する。餌情報の詳細については後述する。
【００８３】
飼育者情報は、例えば、生簀識別子に対応付けて、生簀に関する生簀情報を有しても良い。生簀情報は、例えば、生簀に投入した稚魚の数、生簀の位置または領域を示す位置情報、生簀で死んだ魚の数を示す死魚数である。
【００８４】
受付部１２は、各種の指示や情報等を受け付ける。各種の指示や情報等とは、例えば、後述する水中生物群情報、餌情報、資産価値出力指示、画像等である。資産価値出力指示とは、資産価値の出力を促す指示である。資産価値出力指示は、通常、飼育者識別子を有する。
【００８５】
受付部１２は、例えば、給餌器２から餌情報等を受信する。餌情報等は、例えば、餌情報と生簀識別子である。餌情報等は、例えば、飼育者識別子を有する。ここでの餌情報は、例えば、与えた餌の重量、摂取したと推定される餌の重量、摂取されなかったと推定される餌の重量、給餌時間、一定期間（例えば、１日、１か月、１年）での給餌回数、餌を与えたことを示す情報、餌を与えた時刻に関する時刻情報（例えば、１０時４５分、朝、昼など）である。
【００８６】
なお、摂取したと推定される餌の重量、摂取されなかったと推定される餌の重量は、例えば、後述する画像解析部１３１により取得されても良い。
【００８７】
受付部１２は、例えば、カメラ４から画像を受信する。受付部１２は、画像と共に、生簀識別子を受信することは好適である。受付部１２は、画像と共に、飼育者識別子を受信しても良い。なお、受付部１２が受信する画像は、２以上の画像を有する動画であることは好適であるが、静止画でも良い。
【００８８】
ここで、受け付けとは、通常、有線もしくは無線の通信回線を介した外部の装置からの受信である。また、受け付けとは、キーボードやマウス、タッチパネルなどの入力デバイスからユーザにより入力されても良いし、後述する画像処理等の処理により取得しても良い。また、受け付けとは、光ディスクや磁気ディスク、半導体メモリなどの記録媒体から読み出された情報の受け付けなどを含む概念である、と考えても良い。
【００８９】
水中生物群情報受付部１２１は、水中生物群情報を受け付ける。水中生物群情報受付部１２１は、２以上の生簀ごとに水中生物群情報を受け付けることは好適である。水中生物群情報受付部１２１は、例えば、生簀を識別する生簀識別子と水中生物群情報とを対応付けて受け付ける。水中生物群情報受付部１２１は、例えば、格納部１１の水中生物群情報を読み出す。
【００９０】
水中生物群情報受付部１２１は、水中生物群情報を構成する一部の情報を受信し、一部の情報を格納部１１から読み出すなど、２種類以上の異なる手段により水中生物群情報を取得しても良い。
【００９１】
水中生物群情報は、飼育対象の水中生物群に関する情報である。水中生物群は、２以上の水中生物の集合である。
【００９２】
水中生物群情報は、餌情報、サイズ情報のうちの１または２以上の情報を含む。水中生物群情報は、餌情報とサイズ情報とを有することは好適である。水中生物群情報は、種苗ロットの仕入先に関する仕入先情報、遺伝情報（ＤＮＡ）、品種により種苗の安全性をランク化した場合のランクを有することは好適である。
【００９３】
水中生物群情報受付部１２１は、例えば、給餌器２が送信した餌情報を受信し、サイズ情報取得手段１３１１が取得したサイズ情報を受け付ける。
【００９４】
餌情報は、２以上の飼育対象である水中生物群に与えた餌に関する情報である。餌情報は、例えば、一回または一定期間（毎日、毎月、毎年）における給餌重量、単位時間当たりの給餌重量(ｇ／秒、ｇ／分、ｇ／時)、一回当たり給餌時間、一定期間（例えば、１日、１か月、１年）での給餌回数、給餌タイミングに関するタイミング情報などである。タイミング情報は、例えば、朝に給餌するか否かを示す情報、昼に給餌するか否かを示す情報、晩に給餌するか否かを示す情報などである。餌情報は、例えば、給餌器２から受信される、または給餌器２から受信した外部の装置（図示しない）から受信される。
【００９５】
餌情報は、例えば、餌の種類を示す餌種類情報、餌の内容物を示す餌内容物情報、餌の物性を示す餌物性情報のいずれか１以上を有しても良い。餌種類情報は、例えば、ＥＰ（沈没式、浮体式）、ＤＰ、ＭＰ、生餌（魚種）などのうちのいずれかを示す情報である。餌種類情報は、例えば、餌の安全性のレベルを示す情報でも良い。
【００９６】
また、餌内容物情報は、例えば、魚粉量である。また、餌内容物情報は、例えば、代替プロテイン(微細藻類、単細胞、甲殻類、大豆などなど)の有無または量、アミノ酸の有無または量、ビタミンの有無または量、ミネラルの有無または量などである。
【００９７】
また、餌物性情報は、餌のサイズ、餌の粘性、餌の色、餌の硬度などのうちの１以上を示す情報である。
【００９８】
また、餌情報は、重量あたり飼料価格、飼料効率を有しても良い。飼料効率とは、飼料を与える場合の効率に関する情報であり、例えば、演算式「飼料効率（％）＝１００×増えた体重（湿重）／食べた餌の量（乾重）」により算出され得る。また、飼料効率は、例えば、演算式「実際飼料効率（％）＝１００×増えた体重(湿重)／給餌した飼料重量（乾重）」により算出され得る。なお、飼料効率を算出する演算式は、他の演算式でも良い。
【００９９】
また、餌情報は、例えば、餌の種類を示す餌種類情報、餌の内容物を示す餌内容物情報、餌の物性を示す餌物性情報、重量あたり飼料価格のうちの１以上の情報を有する。
【０１００】
サイズ情報は、飼育対象のサイズに関する情報である。サイズ情報は、例えば、魚の尾叉長、標準体長、全長、体高、体幅、重量のうちの１または２以上の情報である。サイズ情報は、例えば、サイズ情報取得手段１３１１の画像処理により取得される。なお、全長とは、体の最前端から尾鰭の後端までの長さである。また、尾叉長とは、上顎の先端から尾鰭が二叉する中央部の凹みの外縁までの長さである。また、標準体長とは、上顎の先端から尾鰭基底までの長さである。また、体高とは、体の背縁から腹縁までの垂直方向の長さである。また、体幅とは、左右の胸鰭の付け根の間の長さである。
【０１０１】
水中生物群情報は、例えば、飼料コスト比率、摂餌量率、無摂餌量、無摂餌量削減率、市場価格、増肉係数、実際増肉係数、飼料効率、種類情報、対象ランクを有する。なお、飼料コスト比率は、飼料コストが全体の飼育のコストに占める割合である。また、摂餌量率は、給餌した餌に対する摂取された餌の量の割合に関する情報であり、演算式「摂餌量率＝摂餌量／給餌量」により算出される。無摂餌量は、給餌した餌に対する摂取されなかった餌の量の割合に関する情報であり、演算式「無摂餌量＝給餌量 - 無摂餌量」により算出される。また、無摂餌量削減率は、異なる２時点での無摂餌量の比率に関する情報であり、演算式「無摂餌量削減率＝無摂餌量Ａ／無摂餌量Ｂ（Ａ，Ｂは異なる２時点を表す）」により算出される。市場価格は、飼育対象の市場での価値である。市場価格は、通常、単位重量あたりの価格である。なお、増肉係数とは、単位重量分（例えば、１ｋｇ）成長するのに必要な餌の量（例えば、ｋｇ）であり、演算式「増肉係数＝食べた餌の量（乾重）／増えた体重（湿重）」または演算式「実際増肉係数＝給餌した飼料重量（乾重）／増えた体重（湿重）」により算出できる。なお、増肉係数および実際増肉係数は、小さいほど、より少ない量の餌で成長することを意味する。
【０１０２】
対象ランクとは、飼育対象の健康状態に関するランクである。対象ランクは、例えば、魚の色、オプティカルフロー、行動時間、積算移動距離、行動パターンを用いて取得され得る。対象ランクは、例えば、行動時間が長いほど、または積算移動距離が長いほど、高い数値となる。
【０１０３】
なお、魚の色を用いてランクを取得する方法は、例えば、以下である。例えば、画像に含まれる魚の領域の複数の画素値（ＲＧＢの値等）を利用する。つまり、魚の領域の複数の画素値の代表値（平均値、中央値など）を取得し、当該代表値が病気を示す情報であるか否かの閾値（格納部１１に格納されている）を参照し、閾値より大きい場合（例えば、黄色味が強い場合）、病気であると判断され、低いランクが取得される。
【０１０４】
また、オプティカルフロー（運動量）を用いてランクを取得する方法は、例えば、以下である。例えば、通常遊泳時の運動量であると判断される閾値が格納部１１に格納されており、オプティカルフローにより運動量の情報を取得し、当該運動量の情報が閾値以下または閾値より小さい場合に病気であると判断され、低いランクが取得される。
【０１０５】
同様に、行動時間、積算移動距離についても、通常遊泳時の遊泳行動から取得される単位時間（例えば、１日あたり）の累積値の閾値が格納部１１に格納されており、取得された値（行動時間、積算移動距離）が、かかる累積値の閾値以下または閾値未満である場合に病気であると判断され、低いランクが取得される。
【０１０６】
また、行動パターンについて、通常遊泳時の遊泳行動から取得される行動パターンの情報が格納部１１に格納されており、取得された行動パターンの情報が格納されている行動パターンの情報との類似度が閾値以下または閾値未満である場合に病気であると判断され、低いランクが取得される。
【０１０７】
処理部１３は、各種の処理を行う。各種の処理とは、例えば、画像解析部１３１、資産価値取得部１３２が行う処理である。
【０１０８】
画像解析部１３１は、水中生物群から取得された画像を解析し、飼育対象のサイズに関するサイズ情報を取得する。
【０１０９】
画像解析部１３１は、例えば、カメラが水中生物群を撮影した１または２以上の各画像を解析し、飼育対象のサイズに関するサイズ情報を取得する。かかる画像は、カメラ４が送信し、受付部１２が受信した画像であることは好適である。但し、画像は、図示しないソナーにより取得された画像でも良い。また、画像は、ユーザにより入力された画像でも良い。画像解析部１３１がサイズ情報を取得する処理の詳細は、サイズ情報取得手段１３１１の説明において述べる。
【０１１０】
画像解析部１３１は、水中生物群から取得された画像を解析し、飼育対象の種類である種類情報を取得する。
【０１１１】
画像解析部１３１は、例えば、カメラが水中生物群を撮影した１または２以上の各画像を解析し、飼育対象の種類である種類情報を取得する。但し、画像は、図示しないソナーにより取得された画像でも良い。また、画像は、ユーザにより入力された画像でも良い。画像解析部１３１が種類情報を取得する処理の詳細は、種類情報取得手段１３１２の説明において述べる。
【０１１２】
画像解析部１３１は、水中生物群から取得された１または２以上の各画像を解析し、飼育対象の水中生物の数を取得しても良い。なお、画像は、例えば、カメラ４、または図示しないソナーにより取得された画像である。また、ソナーにより水中生物の数を取得する技術は公知技術である（インターネットＵＲＬ「http://www.suikei.co.jp/養殖マグロ：「養殖マグロ、「音響カーテン」通過させ尾数正しく算出」参照）。
【０１１３】
画像解析部１３１は、例えば、カメラ４が水中生物群を撮影した１または２以上の各画像を解析し、飼育対象の水中生物の数を取得しても良い。
【０１１４】
画像解析部１３１は、例えば、画像から水中生物を認識し、当該認識した水中生物の数を算出する。なお、画像の中のオブジェクトを認識する技術、および画像の中のオブジェクトの数を取得する技術は公知技術であるので、詳細な説明を省略する。なお、かかる画像は、３６０度カメラで取得した画像であることは好適である。また、画像解析部１３１は、２以上の各画像の中の水中生物の数を取得し、例えば、最大数を水中生物の数とすることは好適である。
【０１１５】
画像解析部１３１は、例えば、画像を解析し、生簀の底に沈んでいる水中生物の数を取得しても良い。かかる水中生物の数は、例えば、死魚数である。
【０１１６】
サイズ情報取得手段１３１１は、水中生物群から取得された１または２以上の画像から、２以上の飼育対象を検知し、２以上の各飼育対象のサイズを取得する。
【０１１７】
サイズ情報取得手段１３１１は、２以上の各飼育対象のサイズの代表値であるサイズ情報を取得することは好適である。ここで、代表値とは、例えば、平均値、中央値である。ただし、代表値は、最大値等でも良い。
【０１１８】
サイズ情報取得手段１３１１は、例えば、１または２以上の各画像から水中生物を検知し、当該検知した水中生物の幅、高さ、奥行きの情報のうちの１または２以上を取得する。サイズ情報取得手段１３１１は、水中生物が正面を向いていることを検知した場合の画像を採用することは好適である。画像から特定のオブジェクトを検知する技術は公知の画像認識技術であるので、ここでの説明は省略する。また、画像内のオブジェクトのサイズを取得する技術は公知技術であるので、ここでの説明は省略する。なお、サイズ情報取得手段１３１１は、例えば、図４に示すように、魚の尾叉長、全長、体高、体幅を、画像から取得する。そして、サイズ情報取得手段１３１１は、取得したサイズ情報のうちの１または２以上の情報を用いて、重量を取得する。サイズ情報取得手段１３１１は、例えば、尾叉長、体高、体幅をパラメータとする増加関数の演算式により、重量を算出する。なお、かかる演算式は、格納部１１に格納されている。サイズ情報取得手段１３１１は、例えば、距離画像またはステレオカメラを用いて、オブジェクトの各箇所のサイズを取得する。
【０１１９】
種類情報取得手段１３１２は、水中生物群から取得された画像を解析し、飼育対象の種類である種類情報を取得する。なお、飼育対象とは、ここでは水中生物である。なお、画像の取得方法は、上述したように、カメラ４を使用して取得する方法、ソナーにより取得する方法、ユーザから受け付ける方法等、問わない。
【０１２０】
種類情報取得手段１３１２は、例えば、機械学習のアルゴリズムにより、種類情報を取得する。つまり、種類情報取得手段１３１２は、例えば、各種類情報に対応する１または２以上の画像を学習させ、学習器を構築し、当該学習器を格納部１１に蓄積しておく。なお、機械学習において、学習器を構成するためには、例えば、機械学習の関数（例えば、fasttext、TinySVM、各種のrandomForest関数等）に、入力となる情報群（画像、または画像から取得される素性を要素とするベクトルと出力させたい種類情報とを引数として与えると学習器が得られる。
【０１２１】
そして、種類情報取得手段１３１２は、１または２以上の各画像から水中生物を検知し、当該検知した飼育物の領域を切り出し、機械学習のアルゴリズムにより、切り出した部分画像を学習器に適用し、種類情報を取得する。なお、機械学習のアルゴリズムは、深層学習、ＳＶＭ、決定木、ランダムフォレスト等であり、問わないことは言うまでもない。また、機械学習において、機械学習の関数（例えば、fasttext、TinySVM、各種のrandomForest関数等）に、切り出した部分画像または当該部分画像から取得される素性を要素とするベクトル、および学習器を引数として与えると種類情報が得られる。
【０１２２】
ＳＶＭのアルゴリズムを採用する場合、種類情報取得手段１３１２は、各種類情報に対応する１または２以上の画像からベクトルを構成し、種類情報ごとに正例のベクトルと負例のベクトルとを学習させ、種類情報ごとに学習器を構築し、当該学習器を格納部１１に蓄積しておく。なお、例えば、種類情報ごとに、当該種類情報に対応する画像から正例のベクトルを構成し、他の種類情報に対応する画像から負例のベクトルを構成する。そして、種類情報取得手段１３１２は、１または２以上の各画像から水中生物を検知し、当該検知した飼育物の領域を切り出し、切り出した部分画像を、各種類情報ごとの学習器に適用し、スコアを取得する。そして、種類情報取得手段１３１２は、スコアが最大の学習器に対応する種類情報を取得する。
【０１２３】
種類情報取得手段１３１２は、例えば、対応表を用いて種類情報を取得する。つまり、種類情報取得手段１３１２は、例えば、種類情報と学習情報との対である２以上の対応情報を有する対応表を格納部１１に格納しておく。なお、学習情報は、対応する種類情報の種類の飼育対象の画像をベクトル化した情報である。そして、種類情報取得手段１３１２は、１または２以上の各画像から水中生物を検知し、当該検知した飼育物の領域を切り出し、切り出した部分画像をベクトル化し、当該ベクトルに最も近似する学習情報（ベクトル）と対になる種類情報を取得する。
【０１２４】
資産価値取得部１３２は、水中生物群情報を用いて、水中生物群の資産価値を取得する。つまり、資産価値取得部１３２は、餌情報、飼育対象のサイズ情報のうちの１または２以上の情報を用いて、水中生物群の資産価値を取得する。なお、かかる水中生物群情報は、水中生物群情報受付部１２１が受け付けた情報である。
【０１２５】
資産価値取得部１３２は、餌情報が餌の量に関する情報であり、多い餌の量に関する情報であるほど高い値の資産価値を取得することは好適である。餌の量に関する情報は、例えば、一回または一定期間（毎日、毎月、毎年）での給餌重量、時間当たり給餌重量(g/秒、g/分、g/時)、一回当たり給餌時間、一定期間（日、月、年）での給餌回数のうちの１以上の情報である。
【０１２６】
資産価値取得部１３２は、サイズ情報が大きいサイズを示す情報であるほど高い値の資産価値を取得する。
【０１２７】
資産価値取得部１３２は、２以上の生簀ごとに水中生物群の資産価値を取得することは好適である。
【０１２８】
ここで、資産価値とは、通常、金額であるが、ランクなどでも良い。ランクは、資産のランクであり、例えば、５段階、１０段階、１００段階等、そのクラス数は問わない。
【０１２９】
資産価値取得部１３２は、後述するコストアプローチ手段１３２１が取得した第一の資産価値、後述するマーケットアプローチ手段１３２２が取得した第二の資産価値のうちの１以上の情報を用いて、資産価値を取得することは好適である。
【０１３０】
資産価値取得部１３２は、例えば、第一の資産価値、第二の資産価値を含む２以上の資産価値から最大または最小または平均の資産価値を取得しても良い。かかる最大の資産価値は、出力対象の資産価値である。資産価値取得部１３２は、例えば、第一の資産価値、第二の資産価値を含む２以上の資産価値を統計処理した結果の資産価値を取得しても良い。
【０１３１】
コストアプローチ手段１３２１は、餌情報が餌の量に関する情報であり、多い餌の量に関する情報であるほど高い値の第一の資産価値を取得する。コストアプローチ手段１３２１は、サイズ情報をも用いて第一の資産価値を取得しても良い。コストアプローチ手段１３２１は、通常、サイズ情報が大きいサイズを示す情報である場合に、高い値の第一の資産価値を取得する。
【０１３２】
コストアプローチ手段１３２１は、例えば、以下の（１）から（３）のいずれかの演算式により、水中生物の育成に必要な飼料コストを算出する。なお、すべての演算式は、例えば、格納部１１に格納されている、とする。
（１）飼料コスト＝水中生物の重量×増肉係数または実際増肉係数×単位重量あたり飼料価格
（２）飼料コスト＝ 総給餌量×単位重量あたり飼料価格
（３）飼料コスト＝ 時間あたり給餌重量×一回あたり給餌時間×給餌回数×単位重量あたり飼料価格
【０１３３】
なお、単位重量あたり飼料価格、単位重量あたり飼料価格、単位重量あたり飼料価格等は、予め格納部１１に格納されている、とする。また、水中生物の重量は、サイズ情報から取得された値である。
【０１３４】
また、例えば、１尾当たり育成総コストは、演算式「１尾当たり育成総コスト＝１尾あたり資産価値＝飼料コスト／飼料コスト比率」により算出する。なお、飼料コスト比率は、飼料コストが全体の飼育のコストに占める割合であり、例えば、予め格納部１１に格納されている、とする。飼料コスト比率は、例えば、０．７、０．６等である。
【０１３５】
また、例えば、１生簀当たり育成総コストは、演算式「１生簀当たり育成総コスト＝１生簀あたり資産価値＝１尾あたり育成総コスト×生簀内尾数」により算出する。なお、１生簀当たり育成総コストは、１生簀当たりの第一の資産価値である。また、生簀内尾数は、上述したように、画像解析部１３１が取得しても良いし、生簀識別子または飼育者識別子に対応付けて予め格納部１１に格納されていても良い。生簀内尾数は、例えば、「予め格納されている稚魚数−死魚数」により算出されても良い。
【０１３６】
さらに、１事業者の動産の資産価値（例えば、養殖魚資産と言う。）は、演算式「１事業者の動産の資産価値＝各生簀あたり育成総コストの総和」により算出する。なお、１事業者の動産の資産価値は、１事業者当たりの第一の資産価値である。つまり、コストアプローチ手段１３２１は、一の飼育者の飼育者識別子と対になる１以上の各生簀識別子に対応する育成総コストを加算し、１事業者当たりの第一の資産価値を算出する。
【０１３７】
マーケットアプローチ手段１３２２は、サイズ情報が大きいサイズを示す情報であるほど高い値の第二の資産価値を取得する。マーケットアプローチ手段１３２２は、重量が大きいほど高い値の第二の資産価値を取得する。
【０１３８】
なお、マーケットアプローチ手段１３２２は、餌情報をも用いても良い。サイズ情報は、例えば、サイズ情報取得手段１３１１が取得した情報であるが、水中生物群情報受付部１２１が受け付けた水中生物群情報に含まれていても良い。
【０１３９】
マーケットアプローチ手段１３２２は、例えば、１尾当たり市場価値を演算式「１尾当たり市場価値＝１尾あたり資産価値＝ 飼育対象の重量×市場価格」により算出する。なお、単位重量あたりの市場価格は、予め格納部１１に格納されている、とする。
【０１４０】
また、マーケットアプローチ手段１３２２は、例えば、１生簀当たり市場価値を演算式「１生簀当たり市場価値＝１生簀あたり資産価値＝１尾あたり市場価値×生簀内尾数」により算出する。なお、１生簀当たり市場価値は、１生簀当たりの第二の資産価値である。
【０１４１】
さらに、マーケットアプローチ手段１３２２は、例えば、１事業者の動産価値を演算式「１事業者の動産価値＝各生簀あたり市場価値の総和」により算出する。なお、１事業者の動産価値は、１事業者当たりの第二の資産価値である。つまり、マーケットアプローチ手段１３２２は、一の飼育者の飼育者識別子と対になる１以上の各生簀識別子に対応する市場価値を加算し、１事業者当たりの第二の資産価値を算出する。
【０１４２】
出力部１４は、各種の情報を出力する。各種の情報とは、例えば、資産価値、第一の資産価値、第二の資産価値である。ここで、出力とは、通常、外部の装置への送信であるが、ディスプレイへの表示、プロジェクターを用いた投影、プリンタでの印字、音出力、記録媒体への蓄積、他の処理装置や他のプログラムなどへの処理結果の引渡しなどを含む概念である、と考えても良い。
【０１４３】
資産価値出力部１４１は、資産価値取得部１３２が取得した資産価値を出力する。資産価値出力部１４１は、第一の資産価値と第二の資産価値とを含む２以上の資産価値、または２以上の資産価値の代表値を出力しても良い。
【０１４４】
資産価値出力部１４１は、例えば、第一の資産価値と第二の資産価値とを含む２以上の資産価値のうち、最大または最小または平均の資産価値を出力する。
【０１４５】
資産価値出力部１４１は、２以上の生簀ごとに資産価値を出力することは好適である。
【０１４６】
給餌器２を構成する給餌格納部２１には、例えば、生簀識別子、機器識別子、種類情報、給餌量情報、タイミング情報などが格納される。格納される種類情報は、例えば、給餌器２が設けられた生簀で飼育されている飼育対象（例えば、魚）の種類を示す。給餌量情報とは、予め設定されている給餌量を示す情報である。タイミング情報とは、予め設定されている給餌タイミングに関す情報である。タイミング情報は、例えば、前述した残存量情報を取得するタイミングと同じでよい。なお、予め設定される情報（給餌量を示す情報、給餌タイミングに関す情報等）は、任意に設定可能であることは言うまでもない。また、給餌器２は、任意のタイミングでマニュアル操作によって給餌を行うことが可能であることは好適である。
【０１４７】
給餌処理部２２は、各種の処理を行う。給餌処理部２２は、タイミング情報が示すタイミングになった場合に、給餌のための処理を行う。給餌のための処理とは、例えば、給餌器２の餌を行う口を開け、給餌量情報が示す給餌量の餌が出された後に当該口を閉じる処理である。給餌のための処理とは、例えば、給餌量情報が示す給餌量の餌を、餌が確保されている容器（図示しない）から取り出し、生簀に投入する処理である。その他、給餌のための処理は問わない。
【０１４８】
給餌処理部２２は、例えば、残存量センサを用いて、残存量情報を取得する。給餌処理部２２は、例えば、給餌量を取得する。また、給餌処理部２２は、例えば、環境センサを用いて、環境情報を取得する。
【０１４９】
残存量情報とは、餌の残存量に関する情報である。残存量とは、給餌器２に残っている餌の量である。残存量に関する情報とは、例えば、残存量であるが、使用量でもよい。使用量とは、給餌器２から生簀に投入された餌の量である。使用量は、例えば、予め決められた量から残存量を減算した結果である。予め決められた量とは、例えば、給餌器２が有する容器に収納可能な餌の量（以下、容量と記す場合がある）である。また、給餌器２が餌の重量を計測可能である場合、残存量は重量により取得されても良い。
【０１５０】
また、環境情報とは、環境に関する情報である。環境とは、通常、魚等の飼育対象が飼育されている環境である。環境は、例えば、生簀内の環境であるが、生簀が設置されている場所の環境でもよい。生簀が設置されている場所とは、前述したように、例えば、海洋、湖沼、河川等の水中、または陸上の溜池などであるが、海洋等が存在する地域の環境でもよい。または、環境は、かかる局所的な環境に限らず、地球全体の環境も含むと考えてもよい。
【０１５１】
環境情報は、例えば、水温、塩分濃度、溶存酸素量、透明度、流速などの値であるが、環境センサで検知し得る物理量や化学成分等であれば、その種類は問わない。また、環境情報は、例えば、現時点での値でもよいし、予め決められた期間の平均値でもよい。期間とは、例えば、一年間、３カ月間等であるが、その長短は問わない。また、期間とは、例えば、現時点までの期間（例えば、直近３カ月、当年等）であるが、過去の一定期間（例えば、先月までの３カ月間、前年等）でもよい。さらに、環境情報は、例えば、後述する１以上のパラメータの１つであってもよい。
【０１５２】
給餌送信部２３は、各種の情報を送信する。各種の情報とは、例えば、給餌処理部２２が取得した残存量情報、使用した餌の量を示す給餌量情報、給餌処理部２２が取得した環境情報などである。給餌送信部２３は、取得された残存量等の情報を、通常、資産価値出力装置１に送信するが、例えば、ユーザ端末３など、他の装置に送信してもよい。また、給餌送信部２３は、例えば、給餌格納部２１に格納されている生簀識別子、機器識別子、種類情報、タイミング情報と共に、残存量情報、給餌量情報、環境情報等を送信しても良い。
【０１５３】
給餌受信部２４は、例えば、ユーザ端末３から各種の指示を受信する。各種の指示とは、例えば、残存量情報または環境情報などの送信指示である。
【０１５４】
ユーザ端末３を構成するユーザ格納部３１には、例えば、ユーザ識別子、端末識別子などの情報が格納される。ユーザ識別子とは、ユーザを識別する情報である。ユーザ識別子は、例えば、住所・氏名、携帯電話番号、メールアドレスなどであるが、ＩＤでもよく、ユーザを識別し得る情報であれば何でもよい。端末識別子とは、ユーザ端末３を識別する情報である。端末識別子は、例えば、ＩＰアドレスであるが、ＩＤでもよいし、ユーザ識別子と兼用でもよく、ユーザ端末３を識別し得る情報であれば何でもよい。
【０１５５】
ユーザ受付部３２は、ユーザから指示や情報等を受け付ける。指示や情報等とは、例えば、資産価値出力指示、後述する保険情報出力指示である。
【０１５６】
ユーザ受付部３２は、指示や情報等を、例えば、タッチパネル、キーボード、マウスなどの入力デバイスを介して受け付けるが、他の装置から受信してもよい。
【０１５７】
ユーザ処理部３３は、各種の処理を行う。各種の処理とは、例えば、ユーザ受信部３５が各種の情報を出力する情報の構造にすること、ユーザ受付部３２が受け付けた指示や情報等を送信する情報の構造にすること等である。
【０１５８】
ユーザ送信部３４は、指示や情報等を資産価値出力装置１に送信する。指示や情報等とは、例えば、資産価値出力指示である。また、ユーザ送信部３４は、後述する保険情報出力装置５に送信する。指示や情報等とは、例えば、保険情報出力指示である。
【０１５９】
ユーザ受信部３５は、例えば、資産価値出力装置１から各種の情報を受信する。各種の情報とは、例えば、資産価値である。また、ユーザ受信部３５は、例えば、後述する保険情報出力装置５から各種の情報を受信する。各種の情報とは、例えば、後述する保険情報である。
【０１６０】
ユーザ出力部３６は、例えば、ユーザ受信部３５が受信した各種の情報を出力する。なお、ユーザ出力部３６による出力は、通常、ディスプレイ等の出力デバイスを介した出力であるが、例えば、記録媒体への蓄積でも、他の機能や他のプログラムへの処理結果の引渡しでもよいし、他の装置への送信でも構わない。
【０１６１】
格納部１１、飼育者情報格納部１１１、給餌格納部２１、およびユーザ格納部３１は、不揮発性の記録媒体が好適であるが、揮発性の記録媒体でも実現可能である。
【０１６２】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【０１６３】
受付部１２、水中生物群情報受付部１２１、給餌受信部２４、およびユーザ受信部３５は、通常、無線または有線の通信手段で実現されるが、放送を受信する手段で実現されても良い。
【０１６４】
処理部１３、画像解析部１３１、サイズ情報取得手段１３１１、種類情報取得手段１３１２、資産価値取得部１３２、コストアプローチ手段１３２１、マーケットアプローチ手段１３２２、給餌処理部２２、およびユーザ処理部３３は、通常、ＭＰＵやメモリ等から実現され得る。処理部１３の処理手順は、通常、ソフトウェアで実現され、当該ソフトウェアはＲＯＭ等の記録媒体に記録されている。但し、ハードウェア（専用回路）で実現しても良い。
【０１６５】
出力部１４、資産価値出力部１４１、給餌送信部２３、およびユーザ送信部３４は、通常、無線または有線の通信手段で実現されるが、放送手段で実現されても良い。
【０１６６】
ユーザ受付部３２は、テンキーやキーボード等の入力手段のデバイスドライバーや、メニュー画面の制御ソフトウェア等で実現され得る。
【０１６７】
ユーザ出力部３６は、ディスプレイやスピーカー等の出力デバイスを含むと考えても含まないと考えても良い。ユーザ出力部３６は、出力デバイスのドライバーソフトまたは、出力デバイスのドライバーソフトと出力デバイス等で実現され得る。
【０１６８】
次に、情報システムＡの動作について説明する。まず、資産価値出力装置１の動作例について、図５のフローチャートを用いて説明する。
【０１６９】
（ステップＳ５０１）受付部１２は、資産価値出力指示を受け付けたか否かを判断する。資産価値出力指示を受け付けた場合はステップＳ５０２に行き、資産価値出力指示を受け付けなかった場合はステップＳ５０９に行く。なお、ここで、受付部１２は、例えば、資産価値出力指示をユーザ端末３から受信する。また、資産価値出力指示は、水中生物群情報の一部または全部を有しても良い。
【０１７０】
（ステップＳ５０２）処理部１３は、資産価値出力指示が有する飼育者識別子を取得する。
【０１７１】
（ステップＳ５０３）処理部１３は、カウンタｉに１を代入する。
【０１７２】
（ステップＳ５０４）処理部１３は、ステップＳ５０２で取得した飼育者識別子と対になるｉ番目の生簀識別子が飼育者情報格納部１１１に存在するか否かを判断する。ｉ番目の生簀識別子が存在する場合はステップＳ５０５に行き、ｉ番目の生簀識別子が存在しない場合はステップＳ５０７に行く。
【０１７３】
（ステップＳ５０５）処理部１３は、ｉ番目の生簀識別子で識別される生簀で飼育されている水中生物群の資産価値を取得する。かかる生簀資産価値取得処理の例について、図６のフローチャートを用いて説明する。
【０１７４】
（ステップＳ５０６）処理部１３は、カウンタｉに１を１、インクリメントする。ステップＳ５０４に戻る。
【０１７５】
（ステップＳ５０７）資産価値取得部１３２は、１または２以上の生簀の資産価値から、ステップＳ５０２で取得した飼育者識別子で識別される飼育者が飼育している水中生物群の資産価値を取得する。資産価値取得部１３２は、通常、生簀の資産価値の合計を飼育者が飼育している水中生物群の資産価値として取得する。
【０１７６】
（ステップＳ５０８）資産価値出力部１４１は、ステップＳ５０７で取得された資産価値を出力する。ステップＳ５０１に戻る。資産価値出力部１４１は、ステップＳ５０５で取得した１以上の生簀単位での資産価値を出力しても良い。なお、ここで、出力とは、例えば、資産価値出力指示を送信してきたユーザ端末３への資産価値の送信である。
【０１７７】
（ステップＳ５０９）受付部１２は、画像等をカメラ４から受信したか否かを判断する。画像等を受信した場合はステップＳ５１０に行き、受信しなかった場合はステップＳ５１１に行く。なお、画像等は、例えば、画像と生簀識別子である。画像等は、例えば、画像と生簀識別子と飼育者識別子である。画像等は、例えば、当該画像を撮影したカメラ４を識別するカメラ識別子を有しても良い。
【０１７８】
（ステップＳ５１０）処理部１３は、ステップＳ５０９で受信された画像を、対応する生簀識別子に対応付けて、格納部１１に蓄積する。ステップＳ５０１に戻る。
【０１７９】
（ステップＳ５１１）受付部１２は、餌情報等を給餌器２から受信したか否かを判断する。餌情報等を受信した場合はステップＳ５１２に行き、受信しなかった場合はステップＳ５０１に戻る。なお、餌情報等は、例えば、餌情報と生簀識別子である。餌情報等は、例えば、餌情報と生簀識別子と飼育者識別子である。餌情報は、例えば、与えた餌の重量、給餌時間、餌を与えた時刻に関する時刻情報のうちの１以上の情報を有する。
【０１８０】
（ステップＳ５１２）処理部１３は、生簀識別子に対応付けて、餌情報を格納部１１に蓄積する。ステップＳ５０１に戻る。
【０１８１】
なお、図５のフローチャートにおいて、処理部１３は、蓄積された餌情報（例えば、与えた餌の重量、給餌時間、餌を与えた時刻に関する時刻情報）の集合を用いて、一回における給餌重量の平均値を算出する処理、一定期間（毎日、毎月、毎年）における給餌重量である総合給餌重量を算出する処理、累積給餌時間を算出する処理、タイミング情報を取得する処理、飼料効率を算出する処理、無摂餌量削減率を算出する処理、実際増肉係数を算出する処理のうちの１以上の処理を行っても良い。なお、かかる処理のタイミングは問わない。処理部１３は、例えば、予め決められた時刻になった時、または資産価値出力指示が受け付けられた時に、かかる処理を行う。
【０１８２】
また、図５のフローチャートにおいて、一の生簀のみの資産価値を取得し、出力する処理を行っても良い。
【０１８３】
さらに、図５のフローチャートにおいて、電源オフや処理終了の割り込みにより処理は終了する。
【０１８４】
次に、ステップＳ５０５の生簀資産価値取得処理の例について、図６のフローチャートを用いて説明する。
【０１８５】
（ステップＳ６０１）処理部１３は、資産価値の取得の対象である生簀の生簀識別子を取得する。
【０１８６】
（ステップＳ６０２）画像解析部１３１は、ステップＳ６０１で取得された生簀識別子と対になる１以上の画像であり、条件に合致する画像を格納部１１から取得する。なお、条件は、例えば、画像に対応する時刻情報（撮影時刻を示す情報）が予め決められた条件を満たすほど最近であることである。また、条件は、例えば、給餌の時間帯ではないことである。なお、画像解析部１３１は、現在、カメラ４から受信された画像であり、ステップＳ６０１で取得された生簀識別子に対応付いている１以上の画像を取得しても良い。
【０１８７】
（ステップＳ６０３）サイズ情報取得手段１３１１は、ステップＳ６０２で取得された１以上の画像を用いて、飼育対象のサイズ情報等を取得する処理を行う。サイズ情報等取得処理の例について、図７のフローチャートを用いて説明する。なお、ここでは、ステップＳ６０１で取得された生簀識別子で識別される生簀の中の飼育対象の尾数である生簀内尾数をも取得する。
【０１８８】
（ステップＳ６０４）種類情報取得手段１３１２は、ステップＳ６０２で取得された１以上の画像を用いて、飼育対象の水中生物の種類を取得する。なお、種類情報取得手段１３１２は、格納部１１に格納されている種類情報であり、生簀識別子または飼育者識別子と対になる種類情報を取得しても良い。
【０１８９】
（ステップＳ６０５）処理部１３は、ステップＳ６０３で取得されたサイズ情報を用いて、重量を取得する。処理部１３は、ステップＳ６０４で取得された種類情報をも用いて重量を取得することは好適である。処理部１３は、例えば、ステップＳ６０４で取得された種類情報に対応する重量算出の演算式を格納部１１から読み出し、当該演算式に１または２以上のサイズ情報を代入し、演算式を実行することにより重量を算出する。なお、演算式は、例えば、取得されたサイズ情報（例えば、尾叉長、全長、体高）をパラメータとする増加関数である。また、処理部１３は、例えば、ステップＳ６０４で取得された種類情報に対応する対応表（重量取得のための表）から、取得されたサイズ情報に該当するサイズ情報の範囲と対になる重量を、対応表から取得する。なお、かかる場合、対応表は、サイズの範囲を示す情報と重量とを対に有する２以上の対応情報を有する表である。なお、ここで取得される重量は、例えば、生簀内の水中生物の平均的な重量である。
【０１９０】
（ステップＳ６０６）資産価値取得部１３２は、生簀識別子に対応する餌情報を取得する。
【０１９１】
（ステップＳ６０７）コストアプローチ手段１３２１は、取得した餌情報を用いて、飼料コストを算出する。また、コストアプローチ手段１３２１は、例えば、飼料コスト、生簀内尾数を用いて、当該生簀の育成総コストである当該生簀の第一の資産価値を算出する。
【０１９２】
（ステップＳ６０８）マーケットアプローチ手段１３２２は、例えば、ステップＳ６０５で取得された重量、単位重量あたりの市場価値、生簀内尾数を用いて、当該生簀の第二の資産価値を算出する。
【０１９３】
（ステップＳ６０９）資産価値取得部１３２は、第一の資産価値、第二の資産価値を用いて、当該生簀の資産価値を取得する。上位処理にリターンする。
【０１９４】
次に、ステップＳ６０３のサイズ情報等取得処理の例について、図７のフローチャートを用いて説明する。
【０１９５】
（ステップＳ７０１）サイズ情報取得手段１３１１は、１または２以上の各画像から、飼育対象の水中生物のオブジェクト認識を行う。
【０１９６】
（ステップＳ７０２）サイズ情報取得手段１３１１は、カウンタｉに１を代入する。
【０１９７】
（ステップＳ７０３）サイズ情報取得手段１３１１は、ステップＳ７０１で認識したオブジェクトの中に、ｉ番目のオブジェクトが存在するか否かを判断する。ｉ番目のオブジェクトが存在する場合はステップＳ７０４に行き、ｉ番目のオブジェクトが存在しない場合はステップＳ７０７に行く。
【０１９８】
（ステップＳ７０４）サイズ情報取得手段１３１１は、画像の中のｉ番目のオブジェクトの形状が条件に合致するか否かを判断する。条件に合致する場合はステップＳ７０５に行き、条件に合致しない場合はステップＳ７０６に行く。なお、形状が条件に合致する場合とは、例えば、画像内のオブジェクトの形状が飼育対象の正面の形状であること、または画像内のオブジェクトの形状が飼育対象の前面の形状であることである。その他、形状が条件に合致する場合とは、例えば、画像内のオブジェクトの形状が飼育対象の上面の形状であることである。また、かかる判断は、予め飼育対象の各面の形状を学習させておき、機械学習（深層学習、ランダムフォレスト等）により可能である。
【０１９９】
（ステップＳ７０５）サイズ情報取得手段１３１１は、画像の中のｉ番目のオブジェクトの１または２以上のサイズ情報を取得し、図示しないバッファに蓄積する。なお、かかるサイズ情報は、例えば、魚の尾叉長、全長、体高、体幅のうちの１以上の情報である。また、１以上のサイズ情報は、どこのサイズかを識別可能なように蓄積される。どこのサイズかを識別可能なように蓄積されることは、例えば、サイズの場所を識別する属性名（例えば、尾叉長、全長、体高、体幅）に対応付けて、サイズ情報が蓄積される。
【０２００】
（ステップＳ７０６）サイズ情報取得手段１３１１は、カウンタｉを１、インクリメントする。ステップＳ７０３に戻る。
【０２０１】
（ステップＳ７０７）サイズ情報取得手段１３１１は、１または２以上のオブジェクトのサイズ情報を用いて、サイズの種類（例えば、尾叉長、全長、体高、体幅）ごとに、サイズの代表値（例えば、平均値、中央値など）を取得する。
【０２０２】
（ステップＳ７０８）サイズ情報取得手段１３１１は、飼育対象の数を取得する。上位処理にリターンする。
【０２０３】
次に、給餌器２の動作例について、図８のフローチャートを用いて説明する。
【０２０４】
（ステップＳ８０１）給餌処理部２２は、給餌格納部２１のタイミング情報を用いて、給餌のタイミングであるか否かを判断する。給餌のタイミングである場合はステップＳ８０２に行き、給餌のタイミングでない場合はステップＳ８０６に行く。
【０２０５】
（ステップＳ８０２）給餌処理部２２は、給餌のための処理を行う。なお、ここで、例えば、給餌が完了するまで、ウェイトする。
【０２０６】
（ステップＳ８０３）給餌処理部２２は、給餌量情報、残存量情報を取得する。また、給餌処理部２２は、生簀識別子、機器識別子、種類情報を給餌格納部２１から取得する。さらに、給餌処理部２２は、図示しない時計から時刻情報を取得する。
【０２０７】
（ステップＳ８０４）給餌処理部２２は、ステップＳ８０３で取得した情報から送信する情報を構成する。なお、送信する情報は、例えば、給餌量情報、残存量情報、生簀識別子、機器識別子、種類情報、時刻情報のうちの１または２以上の情報を含む。
【０２０８】
（ステップＳ８０５）給餌送信部２３は、ステップＳ８０４で構成された情報を資産価値出力装置１に送信する。ステップＳ８０１に戻る。
【０２０９】
（ステップＳ８０６）給餌処理部２２は、環境情報を取得するタイミングであるか否かを判断する。環境情報を取得するタイミングであればステップＳ８０７に行き、環境情報を取得するタイミングでなければステップＳ８０８に行く。なお、環境情報を取得するタイミングは、例えば、常時、一定時間間隔（例えば、１０分ごと、１時間ごと等）、指示を受け付けた場合等であり、タイミングは問わない。
【０２１０】
（ステップＳ８０７）給餌処理部２２は、環境センサを用いて、環境情報を取得する。そして、給餌処理部２２は、当該環境情報を給餌格納部２１に蓄積する。なお、かかる場合、給餌処理部２２は、図示しない時計から時刻情報を取得し、当該時刻情報に対応付けて境情報を蓄積することは好適である。
【０２１１】
（ステップＳ８０８）給餌送信部２３は、環境情報等を送信するタイミングであるか否かを判断する。環境情報等を送信するタイミングであればステップＳ８０９に行き、環境情報等を送信するタイミングでなければステップＳ８０１に戻る。なお、環境情報等を送信するタイミングは問わない。環境情報を送信するタイミングは、例えば、常時、一定時間間隔（例えば、１０分ごと、１時間ごと等）、指示を受け付けた場合等である。
【０２１２】
（ステップＳ８０９）給餌処理部２２は、給餌格納部２１の環境情報を取得する。また、給餌処理部２２は、給餌格納部２１の生簀識別子または機器識別子を取得する。そして、給餌処理部２２は、環境情報と生簀識別子、または環境情報と機器識別子を用いて送信する情報を構成する。
【０２１３】
（ステップＳ８１０）給餌送信部２３は、ステップＳ８０９で構成された情報を送信する。なお、情報の送信先は、例えば、資産価値出力装置１、またはユーザ端末３である。ステップＳ８０１に戻る。
【０２１４】
次に、ユーザ端末３の動作について説明する。まず、ユーザ受付部３２は、ユーザから指示や情報等を受け付ける。次に、ユーザ処理部３３は、ユーザ受付部３２が受け付けた指示や情報等を送信する情報の構造にする。次に、ユーザ送信部３４は、構成された情報を資産価値出力装置１に送信する。かかる構成された情報は、例えば、資産価値出力指示である。
【０２１５】
なお、ユーザ送信部３４は、構成された情報を給餌器２に送信しても良い。かかる構成された情報は、例えば、環境情報の取得指示である。
【０２１６】
次に、ユーザ受信部３５は、資産価値出力装置１または給餌器２から、送信した指示に対応する情報を受信する。なお、かかる情報は、例えば、資産価値、環境情報である。そして、ユーザ処理部３３は、ユーザ受信部３５が各種の情報を出力する情報の構造にする。次に、ユーザ出力部３６は、かかる構成された情報を出力する。
【０２１７】
以下、本実施の形態における情報システムＡの具体的な動作について説明する。情報システムＡの概念図は図１である。本具体例において、飼育対象は魚であり、情報システムＡにおいて、養殖している魚の生簀ごとの資産価値、および飼育者ごとの資産価値を算出する場合について説明する。
【０２１８】
今、資産価値出力装置１の格納部１１の飼育者情報格納部１１１には、図９に示す構造を有する飼育者情報管理表が格納されている。飼育者情報管理表には、「飼育者識別子」「生簀識別子」「種類情報」「飼料価格」「稚魚数」「位置情報」「死魚数」を有するレコードが、２以上、格納されている。「種類情報」は、対応する生簀識別子で識別される生簀で飼育されている水中生物の」種類である。「種類情報」は、例えば、種類情報取得手段１３１２が、カメラ４から受信された画像に対して画像認識し、取得した情報である。「種類情報」は、ユーザが入力し、ユーザ端末３から受信された情報でも良い。「飼料価格」は、飼育に使用する飼料の単位量あたり価格であり、例えば、ユーザが入力し、ユーザ端末３から受信された情報である。「稚魚数」は、生簀に最初に入れられた稚魚の数である。「稚魚数」は、例えば、ユーザが入力し、ユーザ端末３から受信された情報である。「位置情報」は、生簀の位置を示す情報であり、ここでは生簀の領域を示す矩形領域であり、矩形の２点（例えば、左上の地点、右下の地点）の（緯度，経度）の情報である。「死魚数」は、飼育中に死んだ魚の数である。「死魚数」は、例えば、画像解析部１３１が、受信された生簀の中の画像から底に沈んでいる飼育対象を認識し、認識した飼育対象の数を取得し、得た情報である。ただし、「死魚数」は、ユーザが入力し、ユーザ端末３から受信された情報でも良い。
【０２１９】
また、格納部１１には、図１０に示す飼料コスト比率管理表が格納されている。飼料コスト比率管理表は、飼育対象の種類に応じた飼料コスト比率を管理する表である。飼料コスト比率管理表は、「ＩＤ」「種類情報」「飼料コスト比率」を有するレコードを１以上格納している。なお、「ＩＤ」はレコードを識別する情報である。
【０２２０】
また、格納部１１には、図１１に示す対象市場価格管理表が格納されている。対象市場価格管理表は、飼育対象の単位重量当たりの市場価格を管理する表である。対象市場価格管理表は、「ＩＤ」「種類情報」「単位重量当たりの市場価格」を有するレコードを１以上格納している。なお、「ＩＤ」はレコードを識別する情報である。なお、単位重量は、例えば、１ｋｇ、または１００ｇであるが、問わない。「市場価格」は、ここでは、例えば、円である。
【０２２１】
また、格納部１１には、図１２に示す構造を有する給餌情報管理表が格納されている。給餌情報管理表は、給餌に関する情報を管理する表である。給餌情報管理表には、「ＩＤ」「飼育者識別子」「生簀識別子」「時刻情報」「給餌量情報」「摂餌量情報」「残存量情報」「給餌時間」を有するレコードが、２以上、格納され得る。給餌情報管理表の各レコードの「時刻情報」「給餌量情報」「残存量情報」「給餌時間」は、例えば、給餌が行われた場合に、給餌器２から受信される餌情報に基づく。
【０２２２】
なお、「摂餌量情報」は、例えば、以下のように取得される。つまり、画像解析部１３１が、給餌開始から直後の画像を画像解析し、飼育対象が餌を摂取しない時間を画像解析により取得し、または餌の摂取後の画像を解析し、底に存在する餌の量を取得し、かかる餌を摂取しない時間、底に存在する餌の量のいずれか１以上を演算式に代入し、演算することにより、摂取されなかった餌の量を算出し、給餌量情報が示す給餌量から摂取されなかった餌の量を減算し、摂餌量情報を得る。なお、かかる演算式は、餌を摂取しない時間、底に存在する餌の量をパラメータとする増加関数である。また、摂餌量情報は、例えば、ユーザ端末３から受信される給餌量に対する摂餌量の割合を用いて、「摂餌量情報＝給餌量情報×割合」により算出されても良い。
【０２２３】
また、「給餌時間」は、カメラ４から受信された動画（２以上の静止画の集合）から、画像解析部１３１が給餌の開始時点および給餌の終了時点を自動的に検知し、処理部１３が、開始時点から終了時点までの時間を取得しても良い。かかる場合、処理部１３は、例えば、画像に対応付いている時刻情報を用いても良いし、画像に対応付いているフィールド識別子とフレームレートとを用いて時刻情報を用いても良い。
【０２２４】
また、格納部１１には、魚の各種類情報に対応付けて、重量を算出する演算式である重量算出演算式が格納されている、とする。また、重量算出演算式は、尾叉長、体高、体幅をパラメータとする増加関数である、とする。なお、重量算出演算式は、種類情報に応じて異なることは好適であるが、２以上の種類情報に対応する演算式が同じでも良い。
【０２２５】
さらに、格納部１１には、図１３に示す構造を有する飼育対象情報管理表が格納されている。飼育対象情報管理表は、生簀ごとに飼育対象に関する情報が格納される表である。飼育対象情報管理表には、「飼育者識別子」「生簀識別子」「サイズ情報」「重量」「総給餌量」「総摂餌量」「尾数」を有するレコードが、２以上、格納され得る。「サイズ情報」は、「尾叉長」「全長」「体高」「体幅」を有する。図１３に示す飼育対象情報管理表は、２０１８年６月末時点での各生簀の状況である。また、「サイズ情報」の各属性値は、その生簀における魚の平均のサイズである、とする。
【０２２６】
また、「サイズ情報」の各属性値は、例えば、サイズ情報取得手段１３１１が、生簀ごとに、２０１８年６月３０日に送信された画像を画像解析し、上述したアルゴリズムにより、取得した値である、とする。また、「重量」は、処理部１３が、生簀識別子に対応する種類情報を図９の管理表から取得し、当該種類情報と対になる重量算出演算式を格納部１１から取得し、当該重量算出演算式に、尾叉長、体高、体幅を代入し、実行することにより得て、蓄積した値である。
【０２２７】
「総給餌量」は、処理部１３が、図１２の給餌情報管理表から、生簀識別子に対応するレコードを取得し、当該レコードが有する給餌量情報を加算することにより取得し、蓄積した値である。
【０２２８】
「総摂餌量」は、処理部１３が、図１２の給餌情報管理表から、生簀識別子に対応するレコードを取得し、当該レコードが有する摂餌量情報を加算することにより取得し、蓄積した値である。
【０２２９】
「尾数」は、処理部１３が、図９の飼育者情報管理表から、生簀識別子に対応するレコードを取得し、当該レコードの「稚魚数」から「死魚数」を減算することにより取得し、蓄積した値である。また、「尾数」は、ソナーや画像を用いて取得されても良いことは言うまでもない。つまり、「尾数」の取得方法は問わない。
【０２３０】
かかる状況において、飼育者「ｂ０１」は、ユーザ端末３に資産価値出力指示を入力した、とする。すると、ユーザ受付部３２は、ユーザから資産価値出力指示を受け付ける。そして、ユーザ処理部３３は、ユーザ格納部３１の飼育者識別子「ｂ０１」を読み出し、飼育者識別子「ｂ０１」を有する資産価値出力指示を構成する。次に、ユーザ送信部３４は、かかる資産価値出力指示を資産価値出力装置１に送信する。
【０２３１】
次に、資産価値出力装置１の受付部１２は、資産価値出力指示を受信する。次に、処理部１３は、受信された資産価値出力指示が有する飼育者識別子「ｂ０１」を取得する。
【０２３２】
次に、処理部１３は、飼育者識別子「ｂ０１」と対になる１番目の生簀識別子「ｃ０１」で識別される生簀で飼育されている水中生物群の資産価値を、以下のように算出する。
【０２３３】
つまり、まず、コストアプローチ手段１３２１は、生簀識別子「ｃ０１」と対になるサイズ情報、重量、総給餌量、総摂餌量を図１３の管理表から読み出す。
【０２３４】
次に、コストアプローチ手段１３２１は、格納部１１に格納されている前月の重量（図示しないが、Ｗ０１とする）と今月の重量Ｗ１１との差「Ｗ１１−Ｗ０１」を算出する。次に、コストアプローチ手段１３２１は、総給餌量「ＴＦ１１」と「Ｗ１１−Ｗ０１」とを用いて、実際増肉係数「実際増肉係数＝ＴＦ１１／（Ｗ１１−Ｗ０１）」を算出する。なお、実際増肉係数は、予め与えられている情報（増肉係数）でも良いことは言うまでもない。また、重量の差は、１ヶ月の間での差であるとは限らず、予め決められた期間（例えば、数日、１週間など）の２時点における重量の差で良いことは言うまでもない。
【０２３５】
そして、コストアプローチ手段１３２１は、以下の（１）〜（３）のいずれか１以上の飼料コスト演算式により、飼料コストを算出する。
（１）飼料コスト＝水中生物の重量×増肉係数または実際増肉係数×単位重量あたり飼料価格
（２）飼料コスト＝総給餌量×単位重量あたり飼料価格
（３）飼料コスト＝時間あたり給餌重量×一回あたり給餌時間×給餌回数×単位重量あたり飼料価格
【０２３６】
なお、コストアプローチ手段１３２１は、２以上の飼料コスト演算式により、飼料コストを算出した場合、２以上の飼料コストの代表値（例えば、最大値、中間値、平均値など）を、取得し、１尾当たり育成総コストの算出に使用する飼料コストとしても良い。
【０２３７】
そして、コストアプローチ手段１３２１は、生簀識別子「ｃ０１」と対になる種類情報「ｋ０１」を図９の管理表から取得し、当該種類情報「ｋ０１」と対になる飼料コスト比率「０．８」を図１０の管理表から読み出し、飼料コスト比率「０．８」と算出した飼料コストとを、格納部１１の１尾当たり育成総コスト算出演算式「１尾当たり育成総コスト＝１尾あたり資産価値＝飼料コスト／飼料コスト比率」に代入し、当該演算を実行する。次に、コストアプローチ手段１３２１は、格納部１１の１生簀あたり資産価値算出演算式「１生簀あたり資産価値＝１尾あたり育成総コスト×生簀内尾数」に、「１尾当たり育成総コスト」と、生簀内尾数「３５０」とを代入し、演算し、本生簀の資産価値を算出する。なお、生簀内尾数「３５０」は、コストアプローチ手段１３２１が、生簀識別子「ｃ０１」と対になる尾数「３５０」を図１３の管理表から取得した情報である。
【０２３８】
以上により、生簀識別子「ｃ０１」で識別される生簀の第一の資産価値が算出された。
【０２３９】
次に、コストアプローチ手段１３２１は、飼育者「ｂ０１」と対になる２番目の生簀識別子「ｃ０２」で識別される生簀で飼育されている水中生物群の第一の資産価値を、生簀識別子「ｃ０１」の生簀と同様に算出する。
【０２４０】
次に、マーケットアプローチ手段１３２２は、飼育者識別子「ｂ０１」と対になる１番目の生簀識別子「ｃ０１」と対になる重量「Ｗ１１」を図１３の管理表から取得する。この重量「Ｗ１１」は、１尾あたりの平均重量である。また、マーケットアプローチ手段１３２２は、生簀識別子「ｃ０１」と対になる種類情報「ｋ０１」を図９の管理表から取得する。次に、マーケットアプローチ手段１３２２は、種類情報「ｋ０１」と対になる単位重量当たりの市場価値「１００」を図１１の管理表から取得する。次に、マーケットアプローチ手段１３２２は、格納部１１の１尾あたり資産価値の演算式「１尾あたり資産価値＝飼育対象の重量×市場価格」に、重量「Ｗ１１」と単位重量当たりの市場価値「１００」とを代入し、１尾あたり資産価値を算出する。次に、マーケットアプローチ手段１３２２は、格納部１１の１生簀当たり資産価値演算式「１生簀あたり資産価値＝１尾あたり市場価値×生簀内尾数」に、算出した１尾あたり資産価値と、生簀内尾数「３５０」とを代入し、演算を行い、生簀識別子「ｃ０１」で識別される生簀の資産価値を算出する。
【０２４１】
以上により、生簀識別子「ｃ０１」で識別される生簀の第二の資産価値が算出された。
【０２４２】
次に、マーケットアプローチ手段１３２２は、飼育者「ｂ０１」と対になる２番目の生簀識別子「ｃ０２」で識別される生簀で飼育されている水中生物群の第二の資産価値を、生簀識別子「ｃ０１」の生簀と同様に算出する。
【０２４３】
次に、資産価値取得部１３２は、生簀識別子「ｃ０１」に対応付けて、第一の資産価値と第二の資産価値の代表値（例えば、最大値、最小値、平均値など）を取得する。
【０２４４】
また、資産価値取得部１３２は、生簀識別子「ｃ０２」に対応付けて、第一の資産価値と第二の資産価値の代表値（例えば、最大値、最小値、平均値など）を取得する。
【０２４５】
次に、資産価値取得部１３２は、生簀識別子「ｃ０１」に対応する代表値と生簀識別子「ｃ０２」に対応する代表値とを加算し、飼育者識別子「ｂ０１」に対応付ける。
【０２４６】
次に、資産価値出力部１４１は、取得された資産価値を、ユーザ端末３に送信する。なお、ここで送信される資産価値は、例えば、生簀識別子「ｃ０１」で識別される生簀の水中生物群の資産価値、生簀識別子「ｃ０２」で識別される生簀の水中生物群の資産価値、および飼育者「ｂ０１」で識別される飼育者が飼育している水中生物群の資産価値である。
【０２４７】
次に、飼育者「ｂ０１」のユーザ端末３のユーザ受信部３５は、上述した３つの資産価値等を受信する。そして、ユーザ処理部３３は、受信された資産価値等から出力する情報を構成する。次に、ユーザ出力部３６は、構成された情報を出力する。なお、かかる出力例は、図１４である。
【０２４８】
以上、本実施の形態によれば、２以上の飼育対象の水中生物群の資産価値を容易に取得できる。
【０２４９】
また、本実施の形態によれば、カメラが撮影した画像の解析結果から得られた飼育対象のサイズ情報を用いて、２以上の飼育対象の水中生物群の資産価値を容易に取得できる。
【０２５０】
また、本実施の形態によれば、餌情報とサイズ情報とを用いて、２以上の飼育対象の水中生物群の資産価値を容易に取得できる。
【０２５１】
また、本実施の形態によれば、生簀ごとに、適切に資産価値を出力できる。
【０２５２】
また、本実施の形態によれば、水中に設置された画像から得られたサイズ情報を用いて、資産価値を容易に取得できる。
【０２５３】
さらに、本実施の形態によれば、給餌器２から自動的に受信された餌情報を用いて、資産価値を容易に取得できる。
【０２５４】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における資産価値出力装置１を実現するソフトウェアは、例えば、以下のようなプログラムである。つまり、このプログラムは、コンピュータを、２以上の飼育対象である水中生物群に与えた餌に関する餌情報、飼育対象のサイズに関するサイズ情報のうちの１または２以上の情報を含む水中生物群情報を受け付ける水中生物群情報受付部と、前記水中生物群情報を用いて、水中生物群の資産価値を取得する資産価値取得部と、前記資産価値を出力する資産価値出力部として機能させるためのプログラムである。
【０２５５】
（実施の形態２）
本実施の形態において、実施の形態１で算出された資産価値を用いて、保険情報を取得する保険情報出力装置を含む情報システムについて説明する。
【０２５６】
図１５は、本実施の形態における情報システムＢの概念図である。情報システムＢは、資産価値出力装置１、１または２以上の給餌器２、１または２以上のユーザ端末３、１または２以上のカメラ４、および保険情報出力装置５を備える。
【０２５７】
図１６は、本実施の形態における情報システムＢを構成する保険情報出力装置５のブロック図である。
【０２５８】
保険情報出力装置５は、保険情報格納部５１、保険情報受付部５２、保険情報取得部５３、および保険情報出力部５４を備える。保険情報格納部５１は、飼育者情報格納部５１１、およびリスク要因情報格納部５１２を備える。保険情報取得部５３は、ランク取得手段５３１、および保険情報取得手段５３２を備える。
【０２５９】
保険情報出力装置５を構成する保険情報格納部５１には、各種の情報が格納される。各種の情報とは、例えば、飼育者情報、後述するリスク要因情報、後述する各種の演算式である。
【０２６０】
飼育者情報格納部５１１は、１または２以上の飼育者情報が格納される。飼育者情報は、水中生物群の飼育者の関する情報である。
【０２６１】
飼育者情報は、飼育者識別子と対応付いていることは好適である。飼育者情報は、例えば、氏名、連絡先情報、飼育者の生簀数、売上高、生産高、取引銀行を特定する銀行情報のうちの１以上の情報を有する。飼育者情報は、例えば、飼育者の過去実績情報を有する。過去実績情報は、飼育者の過去の飼育に関する実績の情報である。過去実績情報は、例えば、当該飼育者の過去の平均的な歩留まり、１以上の事故歴情報のうちの１以上の情報を有する。事故歴情報は、過去の飼育に関する事故についての情報であり、例えば、発生時期、事故内容、被害額の情報のうちの１以上の情報を有する。なお、連絡先情報は、連絡先を示す情報であり、例えば、メールアドレス、電話番号、ＩＰアドレス、住所等である。飼育者情報は、例えば、システム導入情報、システム利用情報を有する。システム導入情報は、飼育を安全または／および効率的に行うためのシステムの導入に関する情報である。なお、銀行情報が予め格納されている銀行を識別する情報（例えば、都銀の名称）である場合、事業者の規模や与信が閾値以上であることは判断する情報として利用される。例えば、銀行情報が予め格納されている銀行を識別する情報（例えば、都銀の名称）である場合、飼育者のランクを上位に設定可能である。
【０２６２】
飼育者情報は、例えば、水質サンプリングの結果に関する情報、生簀の点検頻度に関する情報、養殖設備の点検頻度に関する情報、死魚の点検頻度に関する情報、船の仕様に関する情報、船の活用方法に関する情報（例えば、船に設置された温度計のデータ）、特定の機材（例えば、船上給餌機等）の有無に関する情報、生簀の仕様に関する情報、生簀ネットの仕様に関する情報、生簀または生簀ネットの洗浄頻度に関する情報、生簀または生簀ネットのライフタイムに関する情報、生簀または生簀ネットの保証の有無に関する情報、飼育対象の種類を識別する種類情報、水入れ日に関する情報、水入れ時の飼育対象の大きさ、飼育対象の生産期間、種苗提供元を特定する情報、現在の飼育対象の大きさ、飼育対象の出荷時の大きさ、飼育者の管理資料の有無に関する情報、責任者に関する情報、担当者に関する情報、餌代の支払いに関する情報（支払頻度、支払った日等）、過去の保険請求情報、財務情報、魚価情報、生産効率（ＦＣＲ、ＳＧＲ）に関する情報等を含んでも良い。なお、管理資料は、例えば、体測の記録、重量測定の記録、匹数の記録、給餌記録、健康状態の記録、投薬記録、水質記録、寄生虫処置記録、病気記録、プランクトン／藻類の発生記録等が記載された資料である。
【０２６３】
システムとは、例えば、飼育者の生簀の監視システムであり、例えば、資産価値出力装置１から情報を取得するシステム、生簀に設置されたカメラ４から画像を受信するシステム等である。システムは、給餌器２でも良い。ただし、システムは、カメラ４に代えて、またはカメラに加えて、ソナー、各種センサ等を用いても良い。
【０２６４】
システム導入情報は、例えば、システム導入率「全システム導入数／全生簀数」、システムを導入しているか否かを示す情報である。
【０２６５】
システム利用情報は、例えば、モニタリング回数、給餌状況の確認回数、管理アプリ起動数である。モニタリング回数とは、飼育者のユーザ端末３を用いて、カメラ４から画像を受信した回数である。この回数は、単位期間（例えば、１日、１週間、１ヶ月など）の回数であることは好適である。給餌状況の確認回数は、ユーザ端末３が資産価値出力装置１にアクセスし、図１２の管理表から当該ユーザのレコードを受信する操作を行った回数である。管理アプリ起動数は、ユーザ端末３が資産価値出力装置１にアクセスするアプリを起動した回数、またはアプリを起動し、資産価値出力装置１にアクセスした回数である。なお、飼育者のユーザ端末３は、資産価値出力装置１にアクセスし、資産価値出力装置１から当該ユーザの給餌情報等の情報を得ることができる、とする。
【０２６６】
リスク要因情報格納部５１２は、１または２以上のリスク要因情報が格納される。リスク要因情報とは、水中生物群に対して保険金が支払われる状態となるリスクを増加させるまたはリスクを低減させる要因となる情報である。リスク要因情報は、例えば、飼育者識別子、または生簀識別子に対応付けて格納されている。なお、リスク要因情報は、人手によりリスク要因情報格納部５１２に蓄積されても良いし、図示しない外部のサーバ等から受信する等しても良い。つまり、リスク要因情報格納部５１２のリスク要因情報が蓄積されるまでのルートは問わないことは言うまでもない。
【０２６７】
リスク要因情報は、例えば、自然情報、水中生物群の属性値、周辺環境情報、作業情報、設備情報である。リスク要因情報は、例えば、生簀情報、給餌した餌の量に対する摂取された餌の量を示す摂餌量率（摂餌量／給餌量)、システム内における他ユーザとの交流の状況を示す交流情報である。
【０２６８】
自然情報は、飼育場所の自然に関する情報である。飼育場所は、例えば、生簀、生簀が存在する領域または地域である。自然情報は、例えば、日照・日長、降雨量、天候情報のうちの１以上の情報である。
【０２６９】
なお、日照・日長が予め決められた適正範囲以外となるとリスクが増加する。また、降雨量が予め決められた適正範囲以外となるとリスクが増加する。また、天候情報は、天候に関する情報であり、例えば、単位期間（例えば、１年）における暴風、またはハリケーン、または津波等の平均災害発生数である。平均災害発生数が多いほどリスクが増える。
【０２７０】
水中生物群の属性値は、飼育対象の病気に関する情報である。水中生物群の属性値に応じたリスクがある、と判断される。
【０２７１】
周辺環境情報は、周辺環境に関する情報である。周辺環境情報は、例えば、海水温、海中酸素濃度（ＤＯ）、海中の塩分濃度、海中のＯＲＰの濃度、海中のＮＨ４＋の濃度、海中のＮＯ３−の濃度、海中のＮＯ２−の濃度、海中のＣａ３＋の濃度、海中のＭｇ２＋の濃度、海中のＫ＋の濃度、海中のＣａの濃度、海中のＭｇの濃度、海中の有害性のプランクトン濃度、海中のクロロフィル濃度、潮流速度、海中の濁度、海中の透明度、海中の珪藻の量、赤潮情報である。
【０２７２】
周辺環境情報は、例えば、風速に関する風速情報、潮に関する潮情報、台風に関する台風情報、地震に関する地震情報、水温に関する水温情報、気温に関する気温情報、水質に関する水質情報、地形に関する地形情報、海や池や湖等の養殖の環境の色に関する色情報のうちのいずれか１以上を含んでも良い。
【０２７３】
風速情報は、例えば、平均風速、最大風速、平均風速、最小風速、風向に関する情報、吹送距離である。例えば、平均風速、最大風速、平均風速、最小風速の値が大きいほど、リスクが増加する。また、例えば、平均風速、最大風速、平均風速、最小風速の値が閾値を超えている程度が大きいほど、リスクが増加する。
【０２７４】
潮情報は、例えば、最大波高、最大潮流速度、平均潮流速度、最小潮流速度、潮流方向に関する情報である。例えば、最大波高、最大潮流速度、平均潮流速度、最小潮流速度の値が大きいほど、リスクが増加する。また、例えば、最大波高、最大潮流速度、平均潮流速度、最小潮流速度の値が閾値を超えている程度が大きいほど、リスクが増加する。
【０２７５】
台風情報は、例えば、台風発生頻度、台風時の最大風速、最大波高、台風の進行方向に関する情報、台風の発生日時または季節を特定する情報である。例えば、台風発生頻度、台風時の最大風速、最大波高の値が大きいほど、リスクが増加する。また、例えば、台風発生頻度、台風時の最大風速、最大波高の値が閾値を超えている程度が大きいほど、リスクが増加する。
【０２７６】
地震情報は、例えば、過去の予め決められた期間（例えば、３０年間、５０年間）の近隣での地震の発生件数である。例えば、発生件数が多いほど、リスクが増加する。また、例えば、発生件数が閾値を超えている程度が大きいほど、リスクが増加する。
【０２７７】
水温情報は、例えば、最大水温、平均水温、最小水温、夏季最高水温、冬季最低水温である。例えば、最大水温、平均水温、最小水温、夏季最高水温、冬季最低水温の値が大きいほど、リスクが増加する。また、例えば、最大水温、平均水温、最小水温、夏季最高水温、冬季最低水温の値が閾値を超えている程度が大きいほど、リスクが増加する。
【０２７８】
気温情報は、例えば、最大気温、平均気温、最小気温、夏季最高気温、冬季最低気温である。例えば、最大気温、平均気温、最小気温、夏季最高気温、冬季最低気温の値が大きいほど、リスクが増加する。また、例えば、平均気温、最小気温、夏季最高気温、冬季最低気温の値が閾値を超えている程度が大きいほど、リスクが増加する。
【０２７９】
水質情報は、水質に関する種々のデータである。例えば、水質情報の値が閾値を超えている程度が大きいほど、リスクが増加する。
【０２８０】
地形情報は、例えば、湾の形状に関する情報、地質に関する情報、池の形態に関する情報である。例えば、地形情報が、閾値を超えている程度が大きいほど、リスクが増加する。
【０２８１】
色情報は、例えば、池や海等の色を特定する情報、色から推定される養殖実施有無を示す情報である。色情報が、閾値を超えている程度が大きいほど、リスクが増加する。
【０２８２】
なお、海水温が予め決められた範囲以外となるとリスクが増加する。また、海中酸素濃度（DO）が予め決められた適正範囲以外となるとリスクが増加する。また、塩分濃度が予め決められた適正範囲以外となるとリスクが増加する。また、ＯＲＰの濃度が予め決められた適正範囲以外となるとリスクが増加する。また、ＮＨ４＋の濃度が予め決められた適正範囲以外となるとリスクが増加する。また、ＮＯ３−の濃度が予め決められた適正範囲以外となるとリスクが増加する。また、ＮＯ２−の濃度が予め決められた適正範囲以外となるとリスクが増加する。また、Ｃａ３＋の濃度が予め決められた適正範囲以外となるとリスクが増加する。また、Ｍｇ２＋の濃度が予め決められた適正範囲以外となるとリスクが増加する。また、Ｋ＋の濃度が予め決められた適正範囲以外となるとリスクが増加する。また、Ｃａの濃度が予め決められた適正範囲以外となるとリスクが増加する。また、Ｍｇの濃度が予め決められた適正範囲以外となるとリスクが増加する。また、クロロフィル濃度が予め決められた適正範囲以外となるとリスクが増加する。また、有害性のプランクトン濃度が予め決められた適正範囲以外となるとリスクが増加する。また、潮流速度が予め決められた適正範囲以外となるとリスクが増加する。また、濁度、透明度が予め決められた適正範囲以外となるとリスクが増加する。また、珪藻の量が予め決められた適正範囲以外となるとリスクが増加する。また、赤潮情報は、単位期間（例えば、１年、３年）における赤潮発生回数である。赤潮発生回数が多いほどリスクが増える。
【０２８３】
作業情報は、飼育者の作業に関する情報である。作業情報は、例えば、生簀作業回数である。生簀作業回数が多ければ、リスクが増加する。
【０２８４】
設備情報は、飼育に使用する設備に関する情報である。設備情報は、例えば、システム導入情報、システム利用情報である。
【０２８５】
システム導入情報は、例えば、システム導入率、システムを導入しているか否かを示す情報である。システム導入率が大きいほど、システムを導入しているほど、リスクが減る。
【０２８６】
システム利用情報は、例えば、生簀の監視システムによるモニタリング回数、モニタリング頻度、給餌状況の確認回数、生簀の監視システムに含まれるユーザ端末３に格納されている管理アプリの起動回数または起動頻度である。なお、モニタリングは、例えば、カメラ４から受信された画像のモニタリング、給餌器２から受信されたセンサの値のモニタリング、給餌器２から受信された衛星データのモニタリングなどである。また、システム利用情報は、例えば、給餌器２を用いた自動給餌の回数または頻度である。
【０２８７】
なお、モニタリング回数が多いほどリスクは減り、管理アプリの起動回数または起動頻度が大きいほどリスクは減り、自動給餌の回数または頻度が大きいほどリスクは減る。また、遊泳・給餌行動解析に基づく給餌の適正化、各モニタリングによる無駄餌の削減、または遊泳・給餌行動解析に基づく無駄餌の削減を検知した場合には、リスクが減る。
【０２８８】
生簀情報は、生簀に関する情報である。生簀情報は、例えば、尾数、密度、水深である。尾数は、生簀内の飼育対象の数である。密度は生簀内の飼育対象の密度である。密度が予め決められた適正範囲以外となるとリスクが増加する。水深が予め決められた適正範囲以外となるとリスクが増加する。
【０２８９】
飼育者情報は、１または２以上の生簀識別子を有しても良い。また、生簀識別子に対応付けて、資産価値が格納されていても良い。なお、かかる資産価値は、例えば、生簀の資産価値であり、資産価値出力装置１が取得した資産価値である。ただし、かかる資産価値は、例えば、ユーザが入力した情報でも良い。また、飼育者情報は、飼育者識別子に対応する資産価値を有しても良い。かかる資産価値も、資産価値出力装置１が取得した資産価値である。また、飼育者情報は、実施の形態１で説明した飼育者情報が有する情報を有しても良い。
【０２９０】
保険情報受付部５２は、指示や情報等を受け付ける。指示や情報等とは、例えば、保険情報出力指示である。保険情報出力指示は、保険情報の出力を促す指示である。保険情報出力指示は、例えば、飼育者識別子、生簀識別子、または飼育者識別子と生簀識別子を有する。
【０２９１】
保険情報受付部５２は、例えば、衛星受信機を有する。なお、衛星受信機を有することは、衛星受信機が保険情報出力装置５に内蔵されていることでも、外付けされていることでもよい。保険情報受付部５２は、例えば、衛星受信機を用いて情報を取得した図示しない装置から、以下の情報を受信しても良い。
【０２９２】
衛星受信機とは、人工衛星からの情報を受信する機器またはモジュールである。人工衛星とは、例えば、気象衛星等の地球観測衛星であるが、放送衛星や通信衛星などでもよく、その種類は問わない。気象衛星とは、気象観測を行う人工衛星である。気象観測とは、例えば、雲の観測、水蒸気の観測、雨や風の観測、気温や海水温の観測などである。気象衛星は、各種観測機器を備えており、各種観測機器を用いて気象観測を行い、気象情報を取得する。各種観測機器とは、例えば、可視光を用いたカメラ、赤外線カメラ、マイクロ波散乱計等であるが、その種類は問わない。こうして取得された気象情報は、例えば、当該気象衛星自身によって、または放送衛星や通信衛星を介して、地上に送信（放送も含む）される。
【０２９３】
地球観測衛星とは、地球を観測する人工衛星である。観測とは、例えば、上述した気象観測であるが、地球の表面（例えば、地表や海面等）の撮影でもよい。地球観測衛星は、例えば、電波、赤外線、可視光といった各種の波長の電磁波を用いて、地球表面の撮影を行い、各種の波長による画像情報を取得する。取得された画像情報もまた、例えば、当該地球観測衛星自身によって又は放送衛星等を介して地上に送信される。
【０２９４】
保険情報取得部５３は、資産価値出力装置１が出力した資産価値を用いて、保険情報を取得する。保険情報取得部５３は、資産価値と飼育者情報とを用いて保険情報を取得することは好適である。保険情報取得部５３は、１以上のリスク要因情報をも用いて保険情報を取得することは好適である。保険情報取得部５３は、資産価値と飼育者情報と１以上のリスク要因情報とを用いて保険情報を取得することはさらに好適である。
【０２９５】
なお、保険情報とは、保険に関する情報である。保険情報は、例えば、保険料率、保険金額、保険料などである。なお、保険料率とは、保険における単価であり、例えば、保険金額の固定料（例えば、１０００円）あたりの保険料である。保険金額とは、被保険者が受け取る金額である。保険料とは、保険会社に支払う金額である。
【０２９６】
保険情報取得部５３は、例えば、資産価値をパラメータとする増加関数により、保険料率を算出する。なお、かかる増加関数は、保険情報格納部５１に格納されている。また、保険情報取得部５３は、例えば、資産価値をパラメータとする増加関数により、保険金額を算出する。また、保険情報取得部５３は、例えば、資産価値をパラメータとする増加関数により、保険料を算出する。
【０２９７】
また、例えば、保険情報格納部５１に、資産価値の幅と保険情報（保険料率、保険金額、保険料など）との対応を示す対応表が格納されており、保険情報取得部５３は、使用する資産価値に対応する保険情報を対応表から取得しても良い。
【０２９８】
保険情報取得部５３は、例えば、１以上のリスク要因情報を用いて保険情報を取得する
場合には、上記の「リスクが高くなる」としたパラメータの値を使用する場合、「リスクが低くなる」としたパラメータの値を使用する場合と比較して、高い保険料率を取得する。
【０２９９】
ランク取得手段５３１は、飼育者情報を用いて、飼育者のランクである飼育者ランクを取得する。なお、飼育者ランクは、５段階でも、１０段階でも、１００段階でも良い。なお、飼育者情報は、元々、飼育者ランクを有しても良い。かかる場合、ランク取得手段５３１は、不要である。そして、かかる場合、飼育者ランクは、例えば、人手により入力される。
【０３００】
ランク取得手段５３１は、例えば、受け付けられた飼育者の生簀数、売上高、生産高が大きいほど、高い飼育者ランクを取得する。ランク取得手段５３１は、例えば、受け付けられた飼育者の生簀数、売上高、生産高のうちの１以上をパラメータとする増加関数により、飼育者ランクを取得する。また、保険情報格納部５１に、飼育者の生簀数、売上高、生産高を用いた条件と、飼育者ランクとの対応を示した２以上の対応情報を有する対応表が格納されており、ランク取得手段５３１は、例えば、受け付けられた飼育者の生簀数、売上高、生産高のうちの１以上の情報に合致する条件と対になる飼育者ランクを対応表から取得する。
【０３０１】
また、ランク取得手段５３１は、例えば、当該飼育者の過去の平均的な歩留まりが高い値であるほど、高い飼育者ランクを取得する。ランク取得手段５３１は、例えば、受け付けられた歩留まりをパラメータとする増加関数により、飼育者ランクを取得する。また、保険情報格納部５１に歩留まりを用いた条件と、飼育者ランクとの対応を示した２以上の対応情報を有する対応表が格納されており、ランク取得手段５３１は、例えば、受け付けられた歩留まりに合致する条件と対になる飼育者ランクを対応表から取得する。
【０３０２】
また、ランク取得手段５３１は、例えば、受け付けられた事故歴情報が示す事故の回数、被害額の総額が大きいほど、低い飼育者ランクを取得する。ランク取得手段５３１は、例えば、事故の回数、被害額の総額のうちの１以上をパラメータとする減少関数により、飼育者ランクを取得する。また、保険情報格納部５１に事故の回数、被害額の総額のうちの１以上を用いた条件と、飼育者ランクとの対応を示した２以上の対応情報を有する対応表が格納されており、ランク取得手段５３１は、例えば、受け付けられた事故の回数、被害額の総額のうちの１以上の情報に合致する条件と対になる飼育者ランクを対応表から取得する。
【０３０３】
ランク取得手段５３１は、例えば、生簀の点検頻度に関する情報、養殖設備の点検頻度に関する情報、死魚の点検頻度に関する情報のいずれか１以上の頻度に関する情報が大きい値であれば、高い飼育者ランクを取得する。ランク取得手段５３１は、例えば、生簀の点検頻度に関する情報、養殖設備の点検頻度に関する情報、死魚の点検頻度に関する情報のうちの１以上をパラメータとする増加関数により、飼育者ランクを取得する。ランク取得手段５３１は、例えば、生簀の点検頻度に関する情報、養殖設備の点検頻度に関する情報、死魚の点検頻度に関する情報のうちの１以上を用いた条件と、飼育者ランクとの対応を示した２以上の対応情報を有する対応表が格納されており、ランク取得手段５３１は、例えば、受け付けられた生簀の点検頻度に関する情報等のうちの１以上の情報に合致する条件と対になる飼育者ランクを対応表から取得する。
【０３０４】
また、ランク取得手段５３１は、例えば、飼育者情報が有する特定の機材の有無に関する情報が「有り」である場合に、「無し」である場合と比較して、高い飼育者ランクを取得する。
【０３０５】
また、ランク取得手段５３１は、例えば、飼育者情報に対応付けられて、船に設置された温度計のデータが格納されていれば、格納されていない場合と比較して、高い飼育者ランクを取得する。
【０３０６】
また、生簀ネットを識別するネット識別子と価格またはランクとの対応を示す２以上の対応情報を有する対応表が格納部１１に格納されており、ランク取得手段５３１は、例えば、飼育者情報が有する生簀ネットのネット識別子と対になる価格またはランクが高いほど、高い飼育者ランクを取得する。
【０３０７】
また、ランク取得手段５３１は、例えば、生簀または生簀ネットの洗浄頻度に関する情報が大きい値であるほど、高い飼育者ランクを取得する。
【０３０８】
また、ランク取得手段５３１は、例えば、生簀または生簀ネットのライフタイムに関する情報が交換頻度が大きい（ライフタイムが短い）ことを示す情報であるほど、高い飼育者ランクを取得する。
【０３０９】
また、ランク取得手段５３１は、例えば、生簀または生簀ネットの保証の有無に関する情報が「有り」である場合、「無し」である場合より、高い飼育者ランクを取得する。
【０３１０】
また、種類情報と歩留まりを特定する情報との対応を示す２以上の対応情報を有する対応表が格納部１１に格納されており、ランク取得手段５３１は、例えば、種類情報と対になる歩留まりを特定する情報を対応表から取得し、当該歩留まりを特定する情報が良い歩留まりを示す場合ほど、高い飼育者ランクを取得する。
【０３１１】
また、ランク取得手段５３１は、例えば、水入れ時の飼育対象の大きさが、大きい値であるほど、高い飼育者ランクを取得する。
【０３１２】
また、ランク取得手段５３１は、例えば、飼育対象の生産期間が短いほど、高い飼育者ランクを取得する。
【０３１３】
また、種苗提供元を特定する情報と提供元のランクまたは歩留まりとの対応を示す２以上の対応情報を有する対応表が格納部１１に格納されており、ランク取得手段５３１は、例えば、種苗提供元を特定する情報と対になる提供元のランクまたは歩留まりを取得し、当該情報が高い値であるほど、高い飼育者ランクを取得する。
【０３１４】
また、ランク取得手段５３１は、例えば、現在の飼育対象の大きさ、飼育対象の出荷時の大きさが大きい値であるほど、高い飼育者ランクを取得する。
【０３１５】
また、ランク取得手段５３１は、例えば、飼育者の管理資料の有無に関する情報が「有り」の場合、「無し」の場合より、高い飼育者ランクを取得する。
【０３１６】
また、ランク取得手段５３１は、例えば、飼育者の管理資料に対する記録頻度が高いほど、高い飼育者ランクを取得する。なお、かかる場合、飼育者の管理資料に対する記録が、飼育者情報に含まれる。
【０３１７】
また、ランク取得手段５３１は、例えば、飼育者情報が、責任者に関する情報または担当者に関する情報を含む場合、含まない場合と比較して、高い飼育者ランクを取得する。
【０３１８】
また、ランク取得手段５３１は、例えば、餌代の支払いに関する情報が、支払いタームが短いことを示す場合、長いことを示す場合より、高い飼育者ランクを取得する。
【０３１９】
また、ランク取得手段５３１は、例えば、過去の保険請求情報が示す保険求償が少ないほど、また保険請求の回数または頻度が少ないほど、高い飼育者ランクを取得する。
【０３２０】
また、ランク取得手段５３１は、例えば、財務情報が示す財務状況が健全であると判断できる場合、不健全である場合と比較して、高い飼育者ランクを取得する。
【０３２１】
また、ランク取得手段５３１は、例えば、魚価情報が示す価格が高いほど、高い飼育者ランクを取得する。
【０３２２】
また、ランク取得手段５３１は、例えば、生産効率が示す値が、効率が良いことを示す値であるほど、高い飼育者ランクを取得する。
【０３２３】
ランク取得手段５３１は、リスクのランクであるリスクランクを取得しても良い。ランク取得手段５３１は、リスク要因情報格納部５１２の１以上のリスク要因情報を用いて、リスクランクを取得する。ランク取得手段５３１は、例えば、１以上のリスク要因情報をリスクランク算出の演算式に代入し、演算を行い、リスクランクを取得する。また、保険情報格納部５１に１以上のリスク要因情報を用いた条件とリスクランクとの対応を示した２以上の対応情報を有する対応表が格納されており、ランク取得手段５３１は、例えば、１以上のリスク要因情報に合致する条件と対になるリスクランクを対応表から取得する。
【０３２４】
なお、リスクランク算出の演算式は、例えば、上記のリスク要因情報について、適正範囲に対して外れている度合を示す値をパラメータとする増加関数である。また、リスクランク算出の演算式は、例えば、生簀作業回数をパラメータとする増加関数である。また、リスクランク算出の演算式は、例えば、システム導入率をパラメータとする減少関数である。また、リスクランク算出の演算式は、例えば、システム利用情報（モニタリング回数、モニタリング頻度、給餌状況の確認回数などのうちの１以上の情報）をパラメータとする減少関数である。つまり、システムの利用が活発であればリスクは減る。
【０３２５】
保険情報取得手段５３２は、資産価値とランクとを用いて、保険情報を取得する。保険情報取得手段５３２は、例えば、飼育者ランクとリスクランクのうちの１以上のランクを用いて保険情報を取得する。
【０３２６】
保険情報取得手段５３２は、例えば、資産価値が大きいほど、高い保険料を取得する。
【０３２７】
保険情報取得手段５３２は、例えば、飼育者ランクが高いほど、低い保険料率を取得する。
【０３２８】
保険情報取得手段５３２は、例えば、リスクランクが高いほど、高い保険料率を取得する。
【０３２９】
保険情報取得手段５３２は、例えば、資産価値を用いて標準的な保険情報を取得し、標準的な保険情報に対して、飼育者ランクとリスクランクのうちの１以上のランクを用いて補正した保険情報を取得する。なお、保険情報取得手段５３２の保険情報の取得アルゴリズムは問わない。
【０３３０】
保険情報出力部５４は、保険情報取得部５３が取得した保険情報を出力する。ここで、出力とは、例えば、ユーザ端末３への送信である。ただし、出力とは、表示でも良い。
【０３３１】
保険情報格納部５１、飼育者情報格納部５１１、およびリスク要因情報格納部５１２は、不揮発性の記録媒体が好適であるが、揮発性の記録媒体でも実現可能である。
【０３３２】
保険情報格納部５１等に情報が記憶される過程は問わない。例えば、記録媒体を介して情報が保険情報格納部５１等で記憶されるようになってもよく、通信回線等を介して送信された情報が保険情報格納部５１等で記憶されるようになってもよく、あるいは、入力デバイスを介して入力された情報が保険情報格納部５１等で記憶されるようになってもよい。
【０３３３】
保険情報取得部５３、ランク取得手段５３１、および保険情報取得手段５３２は、通常、ＭＰＵやメモリ等から実現され得る。保険情報取得部５３等の処理手順は、通常、ソフトウェアで実現され、当該ソフトウェアはＲＯＭ等の記録媒体に記録されている。但し、ハードウェア（専用回路）で実現しても良い。
【０３３４】
保険情報出力部５４は、通常、無線または有線の通信手段で実現されるが、放送手段で実現されても良い。
【０３３５】
次に、保険情報出力装置５の動作について、図１７のフローチャートを用いて説明する。
【０３３６】
（ステップＳ１７０１）保険情報受付部５２は、保険情報出力指示を受け付けたか否かを判断する。保険情報出力指示を受け付けた場合はステップＳ１７０２に行き、保険情報出力指示を受け付けなかった場合はステップＳ１７０８に行く。
【０３３７】
（ステップＳ１７０２）保険情報取得部５３は、ステップＳ１７０１で受け付けられた保険情報出力指示が有する生簀識別子を取得する。
【０３３８】
（ステップＳ１７０３）保険情報取得部５３は、ステップＳ１７０２で取得された生簀識別子と対になる資産価値を保険情報格納部５１から取得する。
【０３３９】
（ステップＳ１７０４）ランク取得手段５３１は、生簀識別子と対になる飼育者識別子に対応する飼育者情報を飼育者情報格納部５１１から取得する。そして、ランク取得手段５３１は、飼育者情報を用いて、飼育者ランクを取得する。なお、飼育者ランクの取得アルゴリズムの例は上述したので、ここでの詳細な説明は省略する。
【０３４０】
（ステップＳ１７０５）ランク取得手段５３１は、生簀識別子と対になる飼育者識別子に対応するリスク要因情報をリスク要因情報格納部５１２から取得する。そして、ランク取得手段５３１は、リスク要因情報を用いて、リスクランクを取得する。なお、リスクランクの取得アルゴリズムの例は上述したので、ここでの詳細な説明は省略する。
【０３４１】
（ステップＳ１７０６）保険情報取得手段５３２は、ステップＳ１７０３で取得した資産価値、ステップＳ１７０４で取得した飼育者ランク、ステップＳ１７０５で取得したリスクランクを用いて、保険情報を取得する。
【０３４２】
（ステップＳ１７０７）保険情報出力部５４は、ステップＳ１７０６で取得された保険情報を出力する。ステップＳ１７０１に戻る。
【０３４３】
（ステップＳ１７０８）保険情報受付部５２は、情報を受け付けたか否かを判断する。情報を受け付けた場合はステップＳ１７０９に行き、情報を受け付けなかった場合はステップＳ１７０１に戻る。なお、情報とは、例えば、飼育者情報、リスク要因情報である。保険情報受付部５２は、生簀識別子、または飼育者識別子に対応付けられた情報を受け付ける。
【０３４４】
（ステップＳ１７０９）図示しない蓄積手段は、ステップＳ１７０８で受信された情報を保険情報格納部５１に蓄積する。ステップＳ１７０１に戻る。なお、ステップＳ１７０８で受信された情報は、通常、生簀識別子、または飼育者識別子に対応付けられて蓄積される。
【０３４５】
以下、本実施の形態における情報システムＢの具体的な動作について説明する。情報システムＢの概念図は図１５である。
【０３４６】
今、飼育者情報格納部５１１には、図１８に示す構造を有する飼育者情報管理表が格納されている。飼育者情報管理表には、「飼育者識別子」「飼育者ランク」「生簀識別子」「資産価値」「リスクランク」「売上高」「平均歩留まり」「事故回数」「被害総額」「システム導入率」「システム利用情報」を有するレコードが、２以上、格納されている。「システム利用情報」は、「モニタリング回数」「アプリ起動回数」を有する。「飼育者ランク」は、ランク取得手段５３１により、飼育者ごとに、上述したアルゴリズムで算出された値である。「資産価値」は、実施の形態１で説明した資産価値出力装置１が蓄積した情報である。「リスクランク」は、生簀ごとに、上述したアルゴリズムで算出された値である。「売上高」は、ユーザ（例えば、飼育者）により入力され、ユーザ端末３から受信された情報である。「平均歩留まり」は、過去に入力された稚魚数と、過去に自動取得または入力された死魚数とから算出された値である。「事故回数」「被害総額」はユーザ（例えば、飼育者）により入力され、ユーザ端末３から受信された情報である。「システム導入率」は、ユーザ（例えば、保険情報出力装置５の管理者）により入力され、ユーザ端末３から受信された情報である。「モニタリング回数」「アプリ起動回数」は、資産価値出力装置１が取得した情報である。なお、図１８のＶ１〜Ｖ３、Ｓ１、Ｓ２、Ｙ１、Ｙ２、Ｒ１、Ｒ２等は、通常、具体的な数値である、とする。
【０３４７】
また、リスク要因情報格納部５１２には、図１９に示す構造を有するリスク要因情報管理表が格納されている。リスク要因情報管理表には、「飼育者識別子」「生簀識別子」「自然情報」「周辺情報」「作業情報」「設備情報」を有するレコードが、２以上、格納されている。「自然情報」は、ここでは、例えば、「日照時間」「降雨量」を有する。「自然情報」は、例えば、生簀識別子で識別される生簀の位置情報をキーとして、図示しないサーバ装置（自然情報を管理するサーバであり、例えば、気象庁のサーバである。）から取得した情報である。「周辺情報」は、ここでは、例えば、「海水温」「透明度」を有する。「周辺情報」は、例えば、保険情報受付部５２が取得し、蓄積した情報である。なお、図１９の「周辺情報」は、保険情報受付部５２は受信した周辺情報の中から、図示しない処理部が、生簀識別子と対になる位置情報に対応する周辺情報を取得し、蓄積したものである。「作業情報」は「生簀作業回数」を有する。「生簀作業回数」は、ここでは、飼育者の１日あたりの生簀に対する作業回数である。「生簀作業回数」は、資産価値出力装置１の画像解析部１３１が、受信された生簀の画像から、人が生簀に居た１日あたりの回数を、各日について取得し、単位期間（例えば、１ヶ月、１年など）の平均を算出した情報である、また、「設備情報」は、ここでは「システム導入率」を有する。「設備情報」は、例えば、ユーザ（例えば、保険情報出力装置５の管理者）により入力され、ユーザ端末３から受信された情報である。なお、図１９のｒ１〜ｒ４、ｓｔ１〜ｓｔ４、ｔｒ１〜ｔｒ４、Ｒ１、Ｒ２等は、通常、具体的な数値である、とする。
【０３４８】
また、保険情報格納部５１には、図２０に示す資産保険管理表が格納されている。資産保険管理表は、所有する資産価値（Ｖ）に対する標準の保険情報（保険料率、保険金額、保険料）を決定するための対応表である。なお、図２０のｘ１〜ｘ４、ａ１〜ａ３、ｂ１〜ｂ３、ｃ１〜ｃ３等には、通常、具体的な数値または数値を取得する算出式が格納されている。
【０３４９】
また、保険情報格納部５１には、図２１に示す飼育者ランク補正表が格納されている。飼育者ランク補正表は、飼育者ランクに応じて、図２０を用いて取得された標準値を補正するための表である。図２１では、飼育者ランクに応じて、補正情報に対応する数値分、標準値が増減する。
【０３５０】
また、保険情報格納部５１には、図２２に示すリスクランク補正表が格納されている。リスクランク補正表は、リスクランクに応じて、図２０を用いて取得された標準値を補正するための表である。図２２では、リスクランクに応じて、補正情報に対応する数値分、標準値が増減する。
【０３５１】
かかる状況において、ユーザ（例えば、飼育者、または保険会社の社員）が、ユーザ端末３に、生簀識別子「ｃ０２」を有する保険情報出力指示を入力した、とする。すると、ユーザ端末３のユーザ受付部３２は保険情報出力指示を受け付ける。そして、ユーザ処理部３３は、生簀識別子「ｃ０２」を有する指示であり、送信する構造の保険情報出力指示を構成する。次に、ユーザ送信部３４は、当該保険情報出力指示を保険情報出力装置５に送信する。
【０３５２】
次に、保険情報出力装置５の保険情報受付部５２は、保険情報出力指示を受信する。次に、保険情報取得部５３は、当該保険情報出力指示が有する生簀識別子「ｃ０２」を取得する。
【０３５３】
次に、保険情報取得部５３は、生簀識別子「ｃ０２」と対になる資産価値「Ｖ２」を図１８の管理表から取得する。
【０３５４】
次に、ランク取得手段５３１は、生簀識別子「ｃ０２」と対になる飼育者識別子「ｂ０１」に対応する飼育者ランク「４」を図１８の管理表から取得する。
【０３５５】
また、ランク取得手段５３１は、生簀識別子「ｃ０２」と対になるリスクランク「１」を取得する。
【０３５６】
次に、保険情報取得手段５３２は、資産価値「Ｖ２」を図２０の管理表に適用し、「ＩＤ＝３」のレコードに対応する、と判断した、とする。そして、保険情報取得手段５３２は、資産価値「Ｖ２」に対応する標準の保険情報（保険料率「ａ３」、保険金額「ｂ３」、保険料「ｃ３」）を図２０の管理表から取得する。
【０３５７】
次に、保険情報取得手段５３２は、飼育者ランク「４」に対応する補正情報（保険料率「＋４％」、保険金額「＋５％」、保険料「−３％」）を図２１の管理表から取得する。
【０３５８】
また、保険情報取得手段５３２は、リスクランク「１」に対応する補正情報（保険料率「＋１０％」、保険金額「＋２０％」、保険料「−５％」）を図２２の管理表から取得する。
【０３５９】
次に、保険情報取得手段５３２は、標準の保険情報（保険料率「ａ３」、保険金額「ｂ３」、保険料「ｃ３」）と、飼育者ランク「４」に対応する補正情報（保険料率「＋４％」、保険金額「＋５％」、保険料「−３％」）と、リスクランク「１」に対応する補正情報（保険料率「＋１０％」、保険金額「＋２０％」、保険料「−５％」）とを用いて、保険情報（保険料率「ａ３＋１４％」、保険金額「ｂ３×１．２５」、保険料「ｃ３×０．９」）を算出する。
【０３６０】
次に、保険情報出力部５４は、取得された保険情報を、保険情報出力指示を送信してきたユーザ端末３に送信する。
【０３６１】
次に、ユーザ受信部３５は、保険情報を受信する。そして、ユーザ処理部３３は、受信された保険情報を出力するデータ構造にする。次に、ユーザ出力部３６は、かかる保険情報を表示する。
【０３６２】
以上、本実施の形態によれば、資産価値を用いて、適切な保険情報を取得できる。
【０３６３】
また、本実施の形態によれば、資産価値と飼育者情報とを用いて保険情報を取得できる。
【０３６４】
また、本実施の形態によれば、飼育者のランクに基づき、適切な保険情報を取得できる。
【０３６５】
さらに、本実施の形態によれば、リスク要因に基づき、適切な保険情報を取得できる。
【０３６６】
なお、本実施の形態において、保険情報出力装置５は、資産価値出力装置１を内部に有しても良い。かかる場合、保険情報出力装置５は、格納部１１、受付部１２、処理部１３、出力部１４を備える。格納部１１は、飼育者情報格納部５１１、リスク要因情報格納部５１２を備える。受付部１２は、水中生物群情報受付部１２１、保険情報受付部５２を備える。処理部１３は、画像解析部１３１、資産価値取得部１３２、保険情報取得部５３を備える。画像解析部１３１は、サイズ情報取得手段１３１１、種類情報取得手段１３１２を備える。資産価値取得部１３２は、コストアプローチ手段１３２１、マーケットアプローチ手段１３２２を備える。出力部１４は、資産価値出力部１４１、保険情報出力部５４を備える。保険情報取得部５３は、ランク取得手段５３１、保険情報取得手段５３２を備える。
【０３６７】
また、本実施の形態において、主に、保険情報出力装置５は、実施の形態１で算出された資産価値を用いて保険情報を取得する場合について説明した。しかし、保険情報出力装置５は、人手で入力された等の資産価値を用いて保険情報を取得しても良いことは言うまでもない。
【０３６８】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における保険情報出力装置５を実現するソフトウェアは、以下のようなプログラムである。つまり、このプログラムは、例えば、コンピュータを、資産価値出力装置１が出力した資産価値を用いて、保険に関する保険情報を取得する保険情報取得部と、前記保険情報を出力する保険情報出力部として機能させるためのプログラムである。
【０３６９】
（実施の形態３）
本実施の形態において、飼育対象である水中生物群の資産価値を用いて、金融関連情報を取得し、出力する金融関連情報出力装置を具備する情報システムについて説明する。なお、金融関連情報は、例えば、保険情報、後述する融資金額情報、後述する投資金額情報、後述する信用情報である。なお、信用情報は、上述した飼育者ランクと同じ情報でも良い。
【０３７０】
なお、金融関連情報が保険情報である場合、金融関連情報出力装置は上述した保険情報出力装置５である。
【０３７１】
また、本実施の形態において、飼育者ランクをも用いて、金融関連情報を取得し、出力する金融関連情報出力装置を具備する情報システムについて説明する。
【０３７２】
さらに、本実施の形態において、リスク要因情報をも用いて、金融関連情報を取得し、出力する金融関連情報出力装置を具備する情報システムについて説明する。
【０３７３】
図２３は、本実施の形態における情報システムＣの概念図である。情報システムＣは、資産価値出力装置１、１または２以上の給餌器２、１または２以上のユーザ端末３、１または２以上のカメラ４、および金融関連情報出力装置６を備える。
【０３７４】
図２４は、本実施の形態における情報システムＣを構成する金融関連情報出力装置６のブロック図である。
【０３７５】
金融関連情報出力装置６は、格納部６１、受付部６２、処理部６３、および出力部６４を備える。
【０３７６】
格納部６１は、飼育者情報格納部５１１、リスク要因情報格納部５１２、および資産価値格納部６１１を備える。処理部６３は、金融関連情報取得部６３１を備える。金融関連情報取得部６３１は、ランク取得手段５３１、保険情報取得手段５３２、融資情報取得手段６３１１、および投資情報取得手段６３１２を備える。出力部６４は、金融関連情報出力部６４１を備える。
【０３７７】
金融関連情報出力装置６を構成する格納部６１には、各種の情報が格納される。各種の情報とは、例えば、飼育者情報、リスク要因情報、資産価値、後述する各種の演算式である。
【０３７８】
資産価値格納部６１１には、１または２以上の資産価値が格納される。資産価値格納部６１１には、通常、飼育者識別子、生簀識別子のうちの１以上の識別子に対応付けて、資産価値が格納される。なお、資産価値格納部６１１の資産価値は、資産価値出力装置１で取得された資産価値であることは好適であるが、ユーザが入力した資産価値、他の装置で取得された資産価値等でも良い。また、資産価値は、ここでは、水中生物群の資産価値である。
【０３７９】
受付部６２は、各種の指示や情報等を受け付ける。ここで、受け付けとは、通常、有線もしくは無線の通信回線を介した外部の装置からの受信である。また、受け付けとは、キーボードやマウス、タッチパネルなどの入力デバイスからユーザにより入力されても良いし、後述する画像処理等の処理により取得しても良い。また、受け付けとは、光ディスクや磁気ディスク、半導体メモリなどの記録媒体から読み出された情報の受け付けなどを含む概念である、と考えても良い。
【０３８０】
処理部６３は、各種の処理を行う。各種の処理とは、例えば、金融関連情報取得部６３１、ランク取得手段５３１、保険情報取得手段５３２、融資情報取得手段６３１１、投資情報取得手段６３１２が行う処理である。
【０３８１】
金融関連情報取得部６３１は、資産価値格納部６１１に格納されている資産価値を用いて、金融関連情報を取得する。ここで、金融関連情報とは、金融に関する情報である。金融関連情報は、例えば、上述した保険情報、融資情報、投資情報である。融資情報は、融資に関する情報である。融資情報は、例えば、融資金額、融資の条件に関する情報（例えば、融資期間など）である。投資情報とは、投資に関する情報である。投資情報は、投資金額、投資の条件に関する情報である。
【０３８２】
金融関連情報取得部６３１は、資産価値と飼育者情報とを用いて金融関連情報を取得することは好適である。
【０３８３】
金融関連情報取得部６３１は、１以上のリスク要因情報をも用いて保険情報を取得することは好適である。
【０３８４】
融資情報取得手段６３１１は、資産価値を用いて、融資情報を取得する。融資情報取得手段６３１１は、資産価値とランクとを用いて、融資情報を取得することは好適である。融資情報取得手段６３１１は、例えば、飼育者ランクとリスクランクのうちの１以上のランクを用いて融資情報を取得する。
【０３８５】
融資情報取得手段６３１１は、例えば、資産価値が大きいほど、高い融資金額を取得する。融資情報取得手段６３１１は、例えば、資産価値をパラメータとして、融資金額を出力する演算式に、資産価値格納部６１１の資産価値を代入し、当該演算式を実行し、融資金額を算出する。かかる場合、当該演算式は、資産価値をパラメータとする増加関数である。また、融資情報取得手段６３１１は、例えば、格納部６１に格納されている対応表であり、資産価値の幅と融資金額との対応を示す２以上の対応情報を有する対応表を参照し、資産価値格納部６１１の資産価値に対応する融資金額を対応表から取得する。
【０３８６】
融資情報取得手段６３１１は、例えば、飼育者ランクが高いほど、高い融資金額を取得する。融資情報取得手段６３１１は、例えば、飼育者ランクをパラメータとして、融資金額を出力する演算式に、飼育者ランクを代入し、当該演算式を実行し、融資金額を算出する。かかる場合、当該演算式は、飼育者ランクをパラメータとする増加関数である。また、融資情報取得手段６３１１は、例えば、格納部６１に格納されている対応表であり、飼育者ランクと融資金額との対応を示す２以上の対応情報を有する対応表を参照し、飼育者ランクに対応する融資金額を対応表から取得する。
【０３８７】
融資情報取得手段６３１１は、例えば、リスクランクが高いほど、低い融資金額を取得する。融資情報取得手段６３１１は、例えば、リスクランクをパラメータとして、融資金額を出力する演算式に、リスクランクを代入し、当該演算式を実行し、融資金額を算出する。かかる場合、当該演算式は、リスクランクをパラメータとする減少関数である。また、融資情報取得手段６３１１は、例えば、格納部６１に格納されている対応表であり、リスクランクと融資金額との対応を示す２以上の対応情報を有する対応表を参照し、リスクランクに対応する融資金額を対応表から取得する。なお、融資は、クラウドファンディングなどの小口投融資を含んでも良いことは言うまでもない。
【０３８８】
なお、融資情報取得手段６３１１の融資情報の取得アルゴリズムは問わない。
【０３８９】
投資情報取得手段６３１２は、資産価値を用いて、投資情報を取得する。投資情報取得手段６３１２は、資産価値とランクとを用いて、投資情報を取得することは好適である。投資情報取得手段６３１２は、例えば、飼育者ランクとリスクランクのうちの１以上のランクを用いて投資情報を取得する。
【０３９０】
投資情報取得手段６３１２は、例えば、資産価値が大きいほど、高い投資金額を取得する。投資情報取得手段６３１２は、例えば、資産価値をパラメータとして、投資金額を出力する演算式に、資産価値格納部６１１の資産価値を代入し、当該演算式を実行し、投資金額を算出する。かかる場合、当該演算式は、資産価値をパラメータとする増加関数である。また、投資情報取得手段６３１２は、例えば、格納部６１に格納されている対応表であり、資産価値の幅と投資金額との対応を示す２以上の対応情報を有する対応表を参照し、資産価値格納部６１１の資産価値に対応する投資金額を対応表から取得する。
【０３９１】
投資情報取得手段６３１２は、例えば、飼育者ランクが高いほど、高い投資金額を取得する。投資情報取得手段６３１２は、例えば、飼育者ランクをパラメータとして、投資金額を出力する演算式に、飼育者ランクを代入し、当該演算式を実行し、投資金額を算出する。かかる場合、当該演算式は、飼育者ランクをパラメータとする増加関数である。また、投資情報取得手段６３１２は、例えば、格納部６１に格納されている対応表であり、飼育者ランクと投資金額との対応を示す２以上の対応情報を有する対応表を参照し、飼育者ランクに対応する投資金額を対応表から取得する。
【０３９２】
投資情報取得手段６３１２は、例えば、リスクランクが高いほど、低い投資金額を取得する。投資情報取得手段６３１２は、例えば、リスクランクをパラメータとして、投資金額を出力する演算式に、リスクランクを代入し、当該演算式を実行し、投資金額を算出する。かかる場合、当該演算式は、リスクランクをパラメータとする減少関数である。また、投資情報取得手段６３１２は、例えば、格納部６１に格納されている対応表であり、リスクランクと投資金額との対応を示す２以上の対応情報を有する対応表を参照し、リスクランクに対応する投資金額を対応表から取得する。
【０３９３】
なお、投資情報取得手段６３１２の投資情報の取得アルゴリズムは問わない。
【０３９４】
出力部６４は、各種の情報を出力する。ここで、出力とは、例えば、ユーザ端末３への送信である。ただし、出力とは、表示でも良い。
【０３９５】
金融関連情報出力部６４１は、金融関連情報取得部６３１が取得した金融関連情報を出力する。
【０３９６】
格納部６１、および資産価値格納部６１１は、不揮発性の記録媒体が好適であるが、揮発性の記録媒体でも実現可能である。
【０３９７】
格納部６１等に情報が記憶される過程は問わない。例えば、記録媒体を介して情報が格納部６１等で記憶されるようになってもよく、通信回線等を介して送信された情報が格納部６１等で記憶されるようになってもよく、あるいは、入力デバイスを介して入力された情報が格納部６１等で記憶されるようになってもよい。
【０３９８】
受付部６２は、例えば、無線または有線の通信手段により実現される。
【０３９９】
処理部６３、金融関連情報取得部６３１融資情報取得手段６３１１、および投資情報取得手段６３１２は、通常、ＭＰＵやメモリ等から実現され得る。処理部６３等の処理手順は、通常、ソフトウェアで実現され、当該ソフトウェアはＲＯＭ等の記録媒体に記録されている。但し、ハードウェア（専用回路）で実現しても良い。
【０４００】
出力部６４、および金融関連情報出力部６４１は、例えば、無線または有線の通信手段により実現される。
【０４０１】
次に、情報システムＣを構成する金融関連情報出力装置６の動作例について、図２５のフローチャートを用いて説明する。
【０４０２】
（ステップＳ２５０１）受付部６２は、金融関連情報出力指示を受け付けたか否かを判断する。金融関連情報出力指示を受け付けた場合はステップＳ２５０２に行き、金融関連情報出力指示を受け付けなかった場合はステップＳ２５０８に行く。
【０４０３】
（ステップＳ２５０２）金融関連情報取得部６３１は、ステップＳ２５０１で受け付けられた金融関連情報出力指示が有する生簀識別子を取得する。
【０４０４】
（ステップＳ２５０３）金融関連情報取得部６３１は、ステップＳ２５０２で取得された生簀識別子と対になる資産価値を資産価値格納部６１１から取得する。
【０４０５】
（ステップＳ２５０４）ランク取得手段５３１は、生簀識別子と対になる飼育者識別子に対応する飼育者情報を飼育者情報格納部５１１から取得する。そして、ランク取得手段５３１は、飼育者情報を用いて、飼育者ランクを取得する。なお、飼育者ランクの取得アルゴリズムの例は上述したので、ここでの詳細な説明は省略する。
【０４０６】
（ステップＳ２５０５）ランク取得手段５３１は、生簀識別子と対になる飼育者識別子に対応するリスク要因情報をリスク要因情報格納部５１２から取得する。そして、ランク取得手段５３１は、リスク要因情報を用いて、リスクランクを取得する。なお、リスクランクの取得アルゴリズムの例は上述したので、ここでの詳細な説明は省略する。
【０４０７】
（ステップＳ２５０６）金融関連情報取得部６３１は、ステップＳ２５０３で取得した資産価値、ステップＳ２５０４で取得した飼育者ランク、ステップＳ２５０５で取得したリスクランクを用いて、金融関連情報を取得する。
【０４０８】
なお、金融関連情報が保険情報である場合、保険情報取得手段５３２が、資産価値と飼育者ランクとリスクランクとを用いて、保険情報を取得する。また、金融関連情報が融資情報である場合、融資情報取得手段６３１１が、資産価値と飼育者ランクとリスクランクとを用いて、融資情報を取得する。また、金融関連情報が投資情報である場合、投資情報取得手段６３１２が、資産価値と飼育者ランクとリスクランクとを用いて、投資情報を取得する。
【０４０９】
また、ここで、金融関連情報取得部６３１は、２種類以上の金融関連情報（例えば、、融資情報と投資情報）を取得しても良い。
【０４１０】
（ステップＳ２５０７）金融関連情報出力部５４は、ステップＳ２５０６で取得された１種類以上の金融関連情報を出力する。ステップＳ２５０１に戻る。
【０４１１】
（ステップＳ２５０８）受付部６２は、情報を受け付けたか否かを判断する。情報を受け付けた場合はステップＳ２５０９に行き、情報を受け付けなかった場合はステップＳ２５０１に戻る。なお、情報とは、例えば、飼育者情報、リスク要因情報である。受付部６２は、生簀識別子、または飼育者識別子に対応付けられた情報を受け付ける。
【０４１２】
（ステップＳ２５０９）図示しない蓄積手段は、ステップＳ２５０８で受信された情報を格納部６１に蓄積する。ステップＳ２５０１に戻る。なお、ステップＳ２５０８で受信された情報は、通常、生簀識別子、または飼育者識別子に対応付けられて蓄積される。
【０４１３】
なお、図２５のフローチャートにおいて、電源オフや処理終了の割り込みにより処理は終了する。
【０４１４】
以下、本実施の形態における情報システムＣの具体的な動作について説明する。情報システムＢの概念図は図２３である。なお、保険情報を取得する処理については、実施の形態２で説明したので、ここでは、融資金額情報、投資金額情報の取得処理について説明する。
【０４１５】
今、飼育者情報格納部５１１には、図１８に示す構造を有する飼育者情報管理表が格納されている、とする。
【０４１６】
また、リスク要因情報格納部５１２には、図１９に示す構造を有するリスク要因情報管理表が格納されている、とする。
【０４１７】
また、格納部６１には、図２６に示す資産金融関連情報管理表が格納されている。資産金融関連情報管理表は、所有する資産価値（Ｖ）に対する標準の金融関連情報（融資金額、投資金額）を決定するための対応表である。なお、図２４のｘ１〜ｘ４、ｄ１〜ｄ３、ｅ１〜ｅ３等には、通常、具体的な数値または数値を取得する算出式が格納されている。なお、融資金額は融資情報の例であり、投資金額は投資情報の例である。
【０４１８】
また、格納部６１には、図２７に示す飼育者ランク補正表が格納されている。飼育者ランク補正表は、飼育者ランクに応じて、図２６を用いて取得された標準値を補正するための表である。図２７では、飼育者ランクに応じて、補正情報に対応する数値分、標準値が増減する。
【０４１９】
また、格納部６１には、図２２８示すリスクランク補正表が格納されている。リスクランク補正表は、リスクランクに応じて、図２６を用いて取得された標準値を補正するための表である。図２８では、リスクランクに応じて、補正情報に対応する数値分、標準値が増減する。
【０４２０】
かかる状況において、ユーザ（例えば、飼育者、または金融関係会社の社員）が、ユーザ端末３に、飼育者識別子「ｂ０１」を有する金融関連情報出力指示を入力した、とする。すると、ユーザ端末３のユーザ受付部３２は金融関連情報出力指示を受け付ける。そして、ユーザ処理部３３は、飼育者識別子「ｂ０１」を有する指示であり、送信する構造の金融関連情報出力指示を構成する。次に、ユーザ送信部３４は、当該金融関連情報出力指示を金融関連情報出力装置６に送信する。
【０４２１】
次に、金融関連情報出力装置６の受付部６２は、金融関連情報出力指示を受信する。次に、金融関連情報取得部６３１は、当該保険情報出力指示が有する飼育者識別子「ｂ０１」を取得する。
【０４２２】
次に、金融関連情報取得部６３１は、飼育者識別子「ｂ０１」と対になる資産価値「Ｖ１」「Ｖ２」を図１８の管理表から取得する。そして、金融関連情報取得部６３１は、２つの資産価値を加算し、「Ｖ１＋Ｖ２」を得る。
【０４２３】
次に、ランク取得手段５３１は、飼育者識別子「ｂ０１」に対応する飼育者ランク「４」を図１８の管理表から取得する。
【０４２４】
また、ランク取得手段５３１は、飼育者識別子「ｂ０１」と対になるリスクランク「３」「１」を取得する。また、ランク取得手段５３１は、２つのリスクランク「３」「１」の代表値（ここでは、例えば、平均値）である「２」を取得する。つまり、ランク取得手段５３１は、複数のリスクランクを用いて、代表値を取得する。また、ここでは、代表値は平均値であるが、最大値、最小値、中間値等でも良い。
【０４２５】
次に、融資情報取得手段６３１１は、資産価値「Ｖ１＋Ｖ２」を図２６の管理表に適用し、例えば、「ＩＤ＝３」のレコードに対応する、と判断した、とする。そして、融資情報取得手段６３１１は、資産価値「Ｖ１＋Ｖ２」に対応する標準の融資金額「ｄ３」を図２６の管理表から取得する。
【０４２６】
次に、融資情報取得手段６３１１は、飼育者ランク「４」に対応する補正情報「＋５％」を図２７の管理表から取得する。
【０４２７】
また、融資情報取得手段６３１１は、リスクランク「２」に対応する補正情報「＋５％」を図２８の管理表から取得する。
【０４２８】
次に、融資情報取得手段６３１１は、飼育者ランク「４」に対応する補正情報「＋５％」とリスクランク「２」に対応する補正情報「＋５％」とから「＋１０％」を算出し、当該「＋１０％」と標準の融資金額「ｄ３」とを用いて、融資金額「ｄ３×１．１」を算出する。
【０４２９】
次に、投資情報取得手段６３１２は、資産価値「Ｖ１＋Ｖ２」を図２６の管理表に適用し、例えば、「ＩＤ＝３」のレコードに対応する、と判断した、とする。そして、投資情報取得手段６３１２は、資産価値「Ｖ１＋Ｖ２」に対応する標準の投資金額「ｅ３」を図２６の管理表から取得する。
【０４３０】
次に、投資情報取得手段６３１２、飼育者ランク「４」に対応する補正情報「＋１０％」を図２７の管理表から取得する。
【０４３１】
また、投資情報取得手段６３１２は、リスクランク「２」に対応する補正情報「＋１０」を図２８の管理表から取得する。
【０４３２】
次に、投資情報取得手段６３１２は、飼育者ランク「４」に対応する補正情報「＋１０％」とリスクランク「２」に対応する補正情報「＋１０％」とから「＋２０％」を算出し、当該「＋２０％」と標準の投資金額「ｅ３」とを用いて、融資金額「ｄ３×１．２」を算出する。
【０４３３】
次に、金融関連情報出力部６４１は、算出された融資金額、投資金額を、金融関連情報出力指示を送信してきたユーザ端末３に送信する。
【０４３４】
次に、ユーザ端末３のユーザ受信部３５は、融資金額、投資金額を受信する。そして、ユーザ処理部３３は、受信された融資金額、投資金額を出力するデータ構造にする。次に、ユーザ出力部３６は、かかる融資金額、投資金額を表示する。
【０４３５】
以上、本実施の形態によれば、資産価値を用いて、適切な金融関連情報を取得できる。
【０４３６】
また、本実施の形態によれば、資産価値と飼育者情報とを用いて金融関連情報を取得できる。
【０４３７】
また、本実施の形態によれば、飼育者のランクに基づき、適切な金融関連情報を取得できる。
【０４３８】
さらに、本実施の形態によれば、リスク要因に基づき、適切な金融関連情報を取得できる。
【０４３９】
なお、本実施の形態において、金融関連情報出力装置６は、資産価値出力装置１を内部に有しても良い。
【０４４０】
さらに、本実施の形態における金融関連情報出力装置６を実現するソフトウェアは、以下のようなプログラムである。つまり、このプログラムは、飼育者を識別する飼育者識別子または生簀を識別する生簀識別子に対応付けて、水中生物群の資産価値が格納される資産価値格納部にアクセス可能なコンピュータを、前記資産価値格納部に格納されている資産価値を用いて、金融に関する金融関連情報を取得する金融関連情報取得部と、前記金融関連情報を出力する金融関連情報出力部として機能させるためのプログラムである。
【０４４１】
（実施の形態４）
本実施の形態において、保険対象の生簀であり、損害が生じた生簀等を特定する識別子を受け付け、当該識別子を用いて取得した情報（例えば、生簀の規模を特定する規模情報）を格納部から取得し、当該情報に基づいて損害額を算定する損害額出力装置を具備する情報システムについて説明する。
【０４４２】
また、本実施の形態において、損害額を決定する場合の基礎的な情報である求償単価を自動的に取得する損害額出力装置を具備する情報システムについて説明する。
【０４４３】
また、本実施の形態において、生簀を撮影して得られた１以上の画像を用いて、生簀の有無の判定を行う生簀存在判断処理を行う損害額出力装置を具備する情報システムについて説明する。
【０４４４】
また、本実施の形態において、飼育者のオペレーションの有無の判断を行う作業有無判断処理を行う損害額出力装置を具備する情報システムについて説明する。なお、作業有無判断処理について、生簀を撮影して得られた１以上の画像を用いる場合、飼育者または船と共に移動する移動体の位置情報を用いる場合について説明する。
【０４４５】
さらに、本実施の形態において、損害発生の有無の判断を行う損害発生有無判断処理を行う損害額出力装置を具備する情報システムについて説明する。なお、損害発生有無判断処理について、生簀を撮影して得られた１以上の画像を用いる場合、例えば、降水量、気温等の環境情報を用いる場合について説明する。
【０４４６】
本実施の形態における情報システムＤの概念図は、図２３と比較して、符号６が符号７に変わっただけである。情報システムＤは、資産価値出力装置１、１または２以上の給餌器２、１または２以上のユーザ端末３、１または２以上のカメラ４、および損害額出力装置７を備える。
【０４４７】
情報システムＤを構成する損害額出力装置７のブロック図は、図２９である。損害額出力装置７は、格納部７１、受付部７２、処理部７３、出力部７４を備える。
【０４４８】
格納部７１は、飼育者情報格納部５１１、求償単価格納部７１１、および生簀画像格納部７１２を備える。
【０４４９】
受付部７２は、リスク要因受付部７２１、指示受付部７２２、位置情報受信部７２３、および環境情報受付部７４を備える。
【０４５０】
処理部７３は、存在判断部７３１、作業判断部７３２、損害発生判断部７３３、規模取得部７３４、求償単価取得部７３５、および損害額取得部７３６を備える。
【０４５１】
出力部７４は、存在判断結果出力部７４１、作業判断結果出力部７４２、損害発生判断結果出力部７４３、および損害額出力部７４４を備える。
【０４５２】
損害額出力装置７を構成する格納部７１には、各種の情報が格納される。各種の情報とは、例えば、飼育者情報、後述する単価管理情報、後述する求償単価格、後述する生簀画像、１種類以上の環境情報である。環境情報は、環境に関する情報である。環境情報は、例えば、水温、気温、降水量等である。環境情報は、例えば、図示しないサーバから取得された情報である。格納部７１の環境情報は、その環境情報が発生した日時に対応付いていることは好適である。
【０４５３】
飼育者情報格納部５１１には、水中生物群の飼育者に関する情報であり、飼育者識別子生簀識別子、規模情報を有する１以上の飼育者情報が格納される。ここで、規模情報とは、生簀の規模を特定する情報である。規模情報は、例えば、生簀で飼われている水中生物の匹数、生簀の面積、生簀の体積のうち、１以上の情報である。
【０４５４】
求償単価格納部７１１には、１または２以上の求償単価情報が格納される。求償単価格納部７１１には、求償単価情報を有する１または２以上の単価管理情報が格納されていても良い。単価管理情報は、リスク要因情報に関する条件である要因条件と求償単価情報とを有する。求償単価格納部７１１には、例えば、リスクレベルと要因条件と求償単価情報とを有する２以上の単価管理情報が格納される。また、求償単価格納部７１１に、飼育対象の種類である種類情報、地域を識別する地域識別子、または飼育者ランクのうちの１以上の情報に対応付けて、２以上の単価管理情報の集合が格納されていることは好適である。求償単価情報とは、求償単価を特定する情報である。求償単価は、生簀の単位量あたりの損害額である。生簀の単位量とは、例えば、生簀の中の水中生物の単位匹数（例えば、１匹あたり、１００匹あたり等）、単位面積（例えば、１ｍ２、１００ｍ２等）、または単位体積（例えば、１ｍ３、５０ｍ３等）である。また、要因条件は、例えば、環境情報の幅を特定する情報である。
【０４５５】
生簀画像格納部７１２には、生簀を撮影して得られた１以上の生簀画像が格納される。１以上の生簀画像は、例えば、カメラ４が撮影した画像である。１以上の各生簀画像には、通常、生簀識別子に対応付いている。１以上の各生簀画像には、位置情報が対応付いていても良い。１以上の各生簀画は、どの生簀の画像であるかを特定できる情報に対応付いていれば良い。また、１以上の生簀画像は、例えば、カメラ４、図示しない人工衛星、図示しない航空機、または図示しないドローン等が撮影した画像であり、カメラ４、人工衛星等から受信された画像である。なお、１以上の生簀画像のフォーマット等は問わない、ことは言うまでもない。
【０４５６】
受付部７２は、各種の指示や情報等を受け付ける。各種の指示や情報等は、例えば、リスク要因情報、後述する損害額算定指示、後述する位置情報である。
【０４５７】
ここで、受け付けとは、通常、有線もしくは無線の通信回線を介した外部の装置からの受信である。また、受け付けとは、キーボードやマウス、タッチパネルなどの入力デバイスからユーザにより入力されても良いし、後述する画像処理等の処理により取得しても良い。また、受け付けとは、光ディスクや磁気ディスク、半導体メモリなどの記録媒体から読み出された情報の受け付けなどを含む概念である、と考えても良い。
【０４５８】
リスク要因受付部７２１は、１以上のリスク要因情報を受け付ける。リスク要因受付部７２１は、例えば、外部の図示しない装置またはユーザ端末３から１以上のリスク要因情報を受信する。リスク要因受付部７２１は、リスク要因情報と共に、位置情報または生簀識別子を受け付けることは好適である。
【０４５９】
指示受付部７２２は、飼育者識別子または生簀識別子を有する損害額算定指示を受け付ける。損害額算定指示は、損害額の算定の指示である。指示受付部７２２は、例えば、ユーザ端末３から損害額算定指示を受信する。
【０４６０】
位置情報受信部７２３は、飼育者に対応する１以上の位置情報を受信する。飼育者に対応する１以上の位置情報とは、例えば、飼育者の携帯端末の位置を特定する位置情報、船に設置された端末の位置を特定する位置情報、ユーザ端末３の位置を特定する位置情報である。位置情報受信部７２３は、例えば、ＧＰＳ受信機である。位置情報は、通常、（緯度，経度）であるが、他のデータ構造等でも良い。
【０４６１】
環境情報受付部７４は、１または２以上の環境情報を受け付ける。環境情報受付部７４は、例えば、図示しないサーバ（例えば、気象庁のサーバ）から１以上の環境情報を受信する。また、環境情報受付部７４は、例えば、ユーザからの入力である１以上の環境情報を受け付ける。
【０４６２】
処理部７３は、各種の処理を行う。各種の処理とは、例えば、存在判断部７３１、作業判断部７３２、損害発生判断部７３３、規模取得部７３４、求償単価取得部７３５、損害額取得部７３６が行う処理である。
【０４６３】
また、処理部７３は、リスク要因受付部７２１が受け付けた１以上のリスク要因情報を格納部７１に蓄積する。また、処理部７３は、位置情報受信部７２３が受信した１以上の位置情報を、飼育者識別子、生簀識別子、端末識別子等のうちの１以上の識別子に対応付けて、格納部７１に蓄積する。また、処理部７３は、環境情報受付部７４が受け付けた１以上の環境情報を、日時、位置情報、地域識別子等のうちの１以上の情報に対応付けて、格納部７１に蓄積する。
【０４６４】
存在判断部７３１は、１以上の生簀画像を用いて、生簀が存在するか否かを判断する。なお、かかる処理を生簀存在判断処理という。
【０４６５】
存在判断部７３１は、例えば、以下のように動作する。つまり、存在判断部７３１は、指示受付部７２２が受け付けた損害額算定指示等の指示に含まれる生簀識別子を取得する。次に、存在判断部７３１は、当該生簀識別子と対になる１以上の生簀画像を生簀画像格納部７１２から取得する。次に、存在判断部７３１は、取得した１以上の各生簀画像を用いて、当該画像内に生簀が存在するか否かを判断する。
【０４６６】
なお、海面または湖面生簀であることの判定方法は、例えば、（ａ）同一形状、サイズの正円形もしくは正方形の生簀が複数台隣接して存在していること、（ｂ）船などの他の漂流物と比較し、日単位や時間単位での生簀の移動がないことを判定すること等がある。
【０４６７】
また、陸上のえび養殖池であることの判定方法は、（ａ）正方形、もしくは長方形などの池が隣接して存在すること、（ｂ）高密度でえびを養殖するために必要なエアレーション機材の有無を判定すること、（ｃ）エアレーションによって池面に発生する渦状の流れ場の有無を判定すること等がある。
【０４６８】
上記の判断を存在判断部７３１が行う方法は、例えば、以下の３種類の方法がある。
（１）機械学習による方法
【０４６９】
存在判断部７３１は、生簀の１以上の画像を１以上の正例画像、生簀ではない１以上の画像を１以上の負例画像として、機械学習のアルゴリズムにより学習し、学習器を構成する。そして、存在判断部７３１は、取得した１以上の各生簀画像と学習器とを機械学習のアルゴリズムを用いて、生簀の画像か生簀の画像でないかを分類する。そして、存在判断部７３１は、分類結果が予め決められた条件を満たすほど生簀の画像が多い（例えば、生簀の画像が閾値の割合以上、生簀の画像の枚数が閾値以上）と判断した場合に、生簀が存在すると判断する。一方、存在判断部７３１は、分類結果が予め決められた条件を満たすほど生簀でない画像が多い（例えば、生簀ではない画像が閾値の割合以上、生簀ではない画像の枚数が閾値以上）と判断した場合に、生簀が存在すると判断する。
【０４７０】
なお、機械学習のアルゴリズムは、例えば、深層学習、ＳＶＭ、決定木、ランダムフォレスト等であり、問わないことは言うまでもない。
【０４７１】
また、機械学習において、機械学習の関数（例えば、fasttext、TinySVM、各種のrandomForest関数等）に、１以上の正例画像と１以上の負例画像と、または１以上の各正例画像から取得される素性を要素とするベクトルと１以上の負例画像とから取得される素性を要素とするベクトルを与えると、正例画像か負例画像かを分類する学習器が構成される。
【０４７２】
また、機械学習において、機械学習の関数（例えば、fasttext、TinySVM、各種のrandomForest関数等）に、取得した１以上の各生簀画像または当該各生簀画像から取得される素性を要素とするベクトル、および学習器を引数として与えると分類結果（生簀の画像か生簀の画像でないかを示す情報）が得られる。なお、かかる処理は、機械学習を用いた分類処理であり、上述した種類情報取得手段１３１２が使用する機械学習の分類処理と同様である。
（２）オブジェクト認識による方法
【０４７３】
存在判断部７３１は、取得した１以上の各生簀画像に対してオブジェクト認識処理を行い、１以上のオブジェクトを検知する。なお、オブジェクト認識処理は公知技術である。そして、存在判断部７３１は、各オブジェクトの形状、サイズ（画像上のサイズ）、オブジェクトの画像内での位置を示す配置情報を取得する。そして、存在判断部７３１は、生簀画像から取得したオブジェクトの情報が予め決められた条件を満たす場合に、生簀識別子で識別される生簀が、実際に存在している、と判断する。なお、かかる条件は、格納部７１に格納されている、とする。
【０４７４】
例えば、生簀が、海面または湖面生簀である場合、存在判断部７３１は、例えば、生簀画像からから取得したオブジェクトの情報が、概ね同一の形状、概ね正円形もしくは正方形の形状、概ね同一のサイズのオブジェクトが複数、隣接して配置されていると判断できる場合、当該生簀画像の中には、生簀が存在している、と判断する。そして、存在判断部７３１は、取得した１以上の各生簀画像が、予め決められた条件を満たすほど多く（例えば、１以上の各生簀画像の全部、閾値以上の割合、閾値以上の数、１以上等）、生簀が存在している、と判断した場合に、生簀識別子で識別される生簀が、実際に存在している、と判断する。
【０４７５】
また、例えば、生簀が、海面または湖面生簀である場合、存在判断部７３１は、例えば、同じカメラ４から異なる時刻に取得された２以上の各生簀画像から１以上のオブジェクトを認識し、当該１以上の各オブジェクトの属性値（例えば、形状、サイズ、配置）が、生簀画像間で一致するまたは概ね一致するまたは類似度が閾値以上である場合等に、生簀識別子で識別される生簀が、実際に存在している、と判断する。
【０４７６】
また、例えば、生簀が、陸上のえび養殖池である場合、存在判断部７３１は、例えば、生簀画像からから取得したオブジェクトの情報が、概ね正方形もしくは長方形の形状、概ね同一のサイズのオブジェクトが複数、隣接して配置されていると判断できる場合、当該生簀画像の中には、生簀が存在している、と判断する。そして、存在判断部７３１は、取得した１以上の各生簀画像が、予め決められた条件を満たすほど多く（例えば、１以上の各生簀画像の全部、閾値以上の割合、閾値以上の数、１以上等）、生簀が存在している、と判断した場合に、生簀識別子で識別される生簀が、実際に存在している、と判断する。
【０４７７】
また、例えば、生簀が、陸上のえび養殖池である場合、存在判断部７３１は、例えば、生簀画像から取得したオブジェクトのいずれかの属性値の集合（属性値ベクトル）が、エアレーション機材のオブジェクトの属性値の集合（属性値ベクトル）と予め決められた条件を満たすほど類似する場合に、生簀識別子で識別される生簀が、実際に存在している、と判断する。なお、かかる場合、エアレーション機材のオブジェクトの属性値ベクトルは格納部７１に格納されている、とする。
【０４７８】
また、例えば、生簀が、陸上のえび養殖池である場合、存在判断部７３１は、例えば、生簀画像から取得したオブジェクトのいずれかの属性値ベクトルが、エアレーション機材によって池面に発生する渦状の流れ場の画像から取得される属性値ベクトルと予め決められた条件を満たすほど類似する場合に、生簀識別子で識別される生簀が、実際に存在している、と判断する。なお、かかる場合、エアレーション機材によって池面に発生する渦状の流れ場の画像から取得される属性値ベクトルは格納部７１に格納されている、とする。
（３）画像の類似度を用いる方法
【０４７９】
例えば、生簀の１以上の画像である１以上の正例画像から取得されたベクトルの平均値である正例ベクトル、および生簀ではない１以上の負例画像から取得されたベクトルの平均値である負例ベクトルが格納部７１に格納されている、とする。そして、存在判断部７３１は、取得された１以上の各生簀画像からベクトルを取得し、当該ベクトルと正例ベクトルとの距離、当該ベクトルと負例ベクトルとの距離を算出し、２つの距離を比較し、距離が短い方が正例ベクトルであれば当該生簀画像には生簀が存在すると判断し、距離が長い方が正例ベクトルであれば当該生簀画像には生簀が存在しないと判断する。
【０４８０】
または、例えば、生簀の１以上の画像である１以上の正例画像から取得されたベクトルの平均値である正例ベクトルが格納部７１に格納されている、とする。そして、存在判断部７３１は、取得された１以上の各生簀画像からベクトルを取得し、当該ベクトルと正例ベクトルとの距離を算出し、当該距離が予め決められた条件を満たすほど短い（閾値以下または閾値未満等）の場合には当該生簀画像には生簀が存在すると判断し、予め決められた条件を満たすほど短くない場合には当該生簀画像には生簀が存在しないと判断する。
【０４８１】
作業判断部７３２は、飼育者が生簀に対して作業を行っているか否かを判断する。なお、かかる処理を作業有無判断処理という。
【０４８２】
作業判断部７３２は、例えば、生簀を撮影して得られた１以上の生簀画像を用いて、飼育者が生簀に対して作業を行っているか否かを判断する。生簀画像を用いた作業有無判断処理の４つの例について、以下に説明する。
（１）作業判断部７３２は、例えば、１以上の各生簀画像をオブジェクト認識し、一部の時間帯の生簀画像に船であるオブジェクトが存在し、他の時間帯の生簀画像に船であるオブジェクトが存在しないと判断した場合、飼育者が生簀に対して作業を行っている、と判断し、判断結果（例えば、作業を行っていることを示す「１」）を取得する。また、作業判断部７３２は、例えば、１以上の各生簀画像をオブジェクト認識し、いずれの時間帯の生簀画像にも船であるオブジェクトが存在しないと判断した場合、飼育者が生簀に対して作業を行っていない、と判断し、判断結果（例えば、作業を行っていないことを示す「０」）を取得する。なお、生簀画像に船が存在するか否かの判断は、画像のオブジェクト認識技術により可能であるので、詳細な説明は省略する。
（２）作業判断部７３２は、例えば、１以上の各生簀画像をオブジェクト認識し、生簀画像に自動給餌器２等の予め決められた設備が存在すると判断した場合に、飼育者が生簀に対して作業を行っている、と判断し、に自動給餌器２等の予め決められた設備が存在しないと判断した場合に、飼育者が生簀に対して作業を行っていない、と判断する。なお、自動給餌器２等の予め決められた設備が存在するか否かの判断は、画像のオブジェクト認識技術により可能である。
（３）作業判断部７３２は、例えば、１以上の各生簀画像の各画素の平均値を取得する。そして、平均値が養殖中の養殖領域の値と比較して、予め決められた条件を満たすほど類似する場合は、飼育者が生簀に対して作業を行っている、と判断する。また、平均値が養殖休止中の養殖領域の値と比較して、予め決められた条件を満たすほど類似する場合は、飼育者が生簀に対して作業を行っていない、と判断する。なお、例えば、陸上のエビ養殖池の場合は、エビ養殖の池表面色の特徴として、養殖休止中は青、養殖中は緑または茶色に変色するため、当該池の色から、飼育者が生簀に対して作業を行っているか否かを判断できる。
（４）作業判断部７３２は、例えば、養殖中の１以上の生簀画像である１以上の正例画像、および養殖休止中の生簀画像である１以上の負例画像を使用して、機械学習のアルゴリズムにより、学習器を構成する。そして、例えば、作業判断部７３２は、例えば、１以上の各生簀画像を、学習器を用いて、機械学習のアルゴリズムにより分類し、正例画像か負例画像かを判断する。なお、機械学習のアルゴリズムについては上述した。
【０４８３】
作業判断部７３２は、例えば、１以上の位置情報を用いて、飼育者が生簀に対して作業を行っているか否かを判断する。位置情報を用いた作業有無判断処理の２つの例について、以下に説明する。
（１）作業判断部７３２は、例えば、ユーザ端末３のＧＰＳ受信機から取得され、ユーザ端末から送信された１以上の位置情報であり、位置情報受信部７２３が受信した１以上の位置情報を取得する。そして、作業判断部７３２は、生簀識別子と対になる位置情報を飼育者情報格納部５１１から取得する。そして、位置情報受信部７２３が受信した１以上の各位置情報と生簀識別子と対になる位置情報との距離を算出し、１以上の距離を取得する。そして、作業判断部７３２は、例えば、１以上の距離のうち、１以上の距離が予め決められた条件を満たすほど小さいと判断した場合、飼育者が生簀に居る時間帯があり、飼育者が生簀に対して作業を行っていると判断する。
（２）作業判断部７３２は、例えば、生簀に設置された図示しない端末から送信された２以上の位置情報であり、位置情報受信部７２３が受信した２以上の位置情報を取得する。そして、作業判断部７３２は、かかる２以上の位置情報から、生簀が移動したか否かを判断する。生簀が移動していないと判断した場合は、作業判断部７３２は、飼育者が生簀に対して作業を行っていると判断する。生簀が移動したと判断した場合は、作業判断部７３２は、飼育者が生簀に対して作業を行っていないと判断する。
【０４８４】
なお、作業判断部７３２は、例えば、２以上の各位置情報（ｘ，ｙ）の距離を算出し、最大距離が閾値以内または閾値より小さいか否かにより、生簀が移動していないか否かを判断する。つまり、最大距離が閾値以内または閾値より小さい場合は、生簀は移動していないと判断し、飼育者が生簀に対して作業を行っていることを示す情報を取得し、最大距離が閾値以上または閾値より大きい場合は、生簀は移動していると判断し、飼育者が生簀に対して作業を行っていないことを示す情報を取得する。
【０４８５】
損害発生判断部７３３は、生簀において損害が発生しているか否かを判断する。なお、かかる処理を損害発生有無判断処理という。
【０４８６】
損害発生判断部７３３は、生簀を撮影して得られた１以上の画像を用いて、生簀において損害が発生しているか否かを判断する。
【０４８７】
例えば、損害発生判断部７３３は、例えば、概ね同一時刻における一の日の生簀画像と、他の日の生簀画像との類似度を算出し、当該類似度が予め決められた条件を満たすほど低い（類似度が閾値以下、または閾値未満）場合、損害が発生していると判断する。例えば、台風により生簀が破壊された場合の生簀画像と正常時の生簀画像との類似度は低い。なお、かかる判断の際に、損害発生判断部７３３は、例えば、概ね同一時刻、概ね同一の天気の一の日の生簀画像と他の日の生簀画像とを用いることは好適である。
【０４８８】
損害発生判断部７３３は、環境情報を用いて、生簀において損害が発生しているか否かを判断する。
【０４８９】
損害発生判断部７３３は、例えば、対象となる所定期間の１以上の環境情報が、求償単価格納部７１１に格納されているリスク要因情報に関する条件である要因条件に合致するか否かを判断し、合致する場合には生簀において損害が発生していないと判断し、合致しない場合には生簀において損害が発生していると判断する。
【０４９０】
損害発生判断部７３３は、例えば、１または２以上の時間的に連続する環境情報が予め格納されている適正値の範囲であるか否かを判断し、当該１以上のすべての環境情報が適正値の範囲でないと判断した場合、生簀において損害が発生していることを示す判断結果を取得する。なお、１または２以上の時間的に連続する環境情報は、予め決められた時間（例えば、１０時間、２４時間等）の２以上の環境情報であることは好適である。
【０４９１】
規模取得部７３４は、損害額算定指示が有する飼育者識別子または生簀識別子と対になる規模情報を飼育者情報格納部５１１から取得する。
【０４９２】
求償単価取得部７３５は、リスク要因受付部７２１が受け付けた１以上のリスク要因情報に合致する要因条件と対になる求償単価情報を取得する。
【０４９３】
損害額取得部７３６は、求償単価情報と規模取得部７３４が取得した規模情報とを用いて、損害額算定指示が有する飼育者識別子により識別される飼育者または生簀識別子により識別される生簀の損害額を取得する。
【０４９４】
損害額取得部７３６は、例えば、演算式「損害額＝求償単価情報×規模情報」により、損害額を算出する。
【０４９５】
出力部７４は、各種の情報を出力する。各種の情報とは、各種の判断結果、損害額等である。ここで、出力とは、例えば、ユーザ端末３等の端末への送信である。ただし、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどでも良い。また、出力部７４が出力する損害額、判断結果は如何様に使用されても良い。出力部７４が出力する損害額、判断結果は、例えば、クラウドファンディングなどの小口投融資のための情報として使用されても良い。また、出力部７４が出力する損害額、判断結果は、例えば、空き生簀のシェアリングサービスのため、各種のレポートの作成、養殖活用における仕入れ販売支援等に使用されても良い。なお、レポートは、例えば、養殖活用における環境負荷の評価レポートである。
【０４９６】
存在判断結果出力部７４１は、存在判断部７３１が取得した判断結果を出力する。なお、かかる判断結果は、生簀が存在するか否かを示す情報である。
【０４９７】
作業判断結果出力部７４２は、作業判断部７３２が取得した判断結果を出力する。なお、かかる判断結果は、飼育者が作業を行ったか否かを示す情報である。
【０４９８】
損害発生判断結果出力部７４３は、損害発生判断部７３３が取得した判断結果を出力する。なお、かかる判断結果は、損害が発生したか否かを示す情報である。
【０４９９】
損害額出力部７４４は、損害額取得部７３６が取得した損害額を出力する。
【０５００】
損害額出力部７４４は、損害が発生していると損害発生判断部７３３が判断した場合のみ、損害額を出力することは好適である。
【０５０１】
格納部７１、単価管理情報管理部７１２、求償単価格納部７１１、および生簀画像格納部７１２は、不揮発性の記録媒体が好適であるが、揮発性の記録媒体でも実現可能である。
【０５０２】
格納部７１等に情報が記憶される過程は問わない。例えば、記録媒体を介して情報が格納部７１等で記憶されるようになってもよく、通信回線等を介して送信された情報が格納部７１等で記憶されるようになってもよく、あるいは、入力デバイスを介して入力された情報が格納部７１等で記憶されるようになってもよい。
【０５０３】
受付部７２、リスク要因受付部７２１、指示受付部７２２、および位置情報受信部７２３は、通常、無線または有線の通信手段で実現されるが、放送を受信する手段で実現されても良い。
【０５０４】
処理部７３、存在判断部７３１、作業判断部７３２、損害発生判断部７３３、規模取得部７３４、求償単価取得部７３５、および損害額取得部７３６は、通常、ＭＰＵやメモリ等から実現され得る。処理部７３等の処理手順は、通常、ソフトウェアで実現され、当該ソフトウェアはＲＯＭ等の記録媒体に記録されている。但し、ハードウェア（専用回路）で実現しても良い。
【０５０５】
出力部７４、存在判断結果出力部７４１、作業判断結果出力部７４２、損害発生判断結果出力部７４３、および損害額出力部７４４は、通常、無線または有線の通信手段で実現される。ただし、出力部７４等は、出力デバイスのドライバーソフトまたは、出力デバイスのドライバーソフトと出力デバイス等で実現されても良い。
【０５０６】
次に、情報システムＤを構成する損害額出力装置７の第一の動作例について、図３０のフローチャートを用いて説明する。第一の動作例は、損害額算定指示の受け付けに応じて、損害額を算定し、出力する場合の動作例である。
【０５０７】
（ステップＳ３００１）指示受付部７２２は、損害額算定指示を受け付けたか否かを判断する。損害額算定指示を受け付けた場合はステップＳ３００２に行き、損害額算定指示を受け付けなかった場合はステップＳ３０１７に行く。
【０５０８】
（ステップＳ３００２）処理部７３は、ステップＳ３００１で受け付けられた損害額算定指示が有する生簀識別子を取得する。なお、処理部７３は、ステップＳ３００１で受け付けられた損害額算定指示が有する飼育者識別子と対になる生簀識別子を飼育者情報格納部５１１から取得しても良い。
【０５０９】
（ステップＳ３００３）存在判断部７３１は、ステップＳ３００２で取得された生簀識別子で識別される生簀が存在するか否かを判断する生簀存在判断処理を行う。生簀存在判断処理の例について、図３２のフローチャートを用いて説明する。
【０５１０】
（ステップＳ３００４）処理部７３は、ステップＳ３００３での判断結果が「生簀が存在する」であるか否かを判断する。「生簀が存在する」との判断である場合はステップＳ３００５に行き、「生簀が存在しない」との判断である場合はステップＳ３０１１に行く。
【０５１１】
（ステップＳ３００５）作業判断部７３２は、ステップＳ３００２で取得された生簀識別子で識別される生簀で、飼育者が飼育作業を行っていたか否かを判断する作業有無判断処理を行う。作業有無判断処理の例について、図３３のフローチャートを用いて説明する。
【０５１２】
（ステップＳ３００６）処理部７３は、ステップＳ３００５での判断結果が「作業を行っている」であるか否かを判断する。「作業を行っている」との判断である場合はステップＳ３００７行き、「作業を行っていない」との判断である場合はステップＳ３０１３に行く。
【０５１３】
（ステップＳ３００７）損害発生判断部７３３は、ステップＳ３００２で取得された生簀識別子で識別される生簀で、損害が発生したか否かを判断する損害発生有無判断処理を行う。損害発生有無判断処理の例について、図３４のフローチャートを用いて説明する。
【０５１４】
（ステップＳ３００８）処理部７３は、ステップＳ３００７での判断結果が「損害が発生した」であるか否かを判断する。「損害が発生した」との判断である場合はステップＳ３００９き、「損害が発生していない」との判断である場合はステップＳ３０１５に行く。
【０５１５】
（ステップＳ３００９）損害額取得部７３６は、ステップＳ３００２で取得された生簀識別子で識別される生簀で発生した損害の損害額を取得する。かかる損害額取得処理の例について、図３５のフローチャートを用いて説明する。
【０５１６】
（ステップＳ３０１０）出力部７４は、取得された損害額等を出力する。ステップＳ３００１に戻る。なお、損害額等とは、損害額だけでも良いし、損害額に加えて、存在判断結、作業判断結果、損害発生判断結果のうちの１以上を含んでも良い。
【０５１７】
（ステップＳ３０１１）処理部７３は、生簀が存在しない旨のエラーメッセージを取得する。
【０５１８】
（ステップＳ３０１２）出力部７４は、ステップＳ３０１１で取得されたエラーメッセージを出力する。
【０５１９】
（ステップＳ３０１３）処理部７３は、作業を行っていない旨のエラーメッセージを取得する。
【０５２０】
（ステップＳ３０１４）出力部７４は、ステップＳ３０１１で取得されたエラーメッセージを出力する。
【０５２１】
（ステップＳ３０１５）処理部７３は、損害が発生していない旨のエラーメッセージを取得する。
【０５２２】
（ステップＳ３０１６）出力部７４は、ステップＳ３０１１で取得されたエラーメッセージを出力する。
【０５２３】
（ステップＳ３０１７）位置情報受信部７２３は、位置情報等を受信したか否かを判断する。位置情報等を受信した場合はステップＳ３０１８に行き、位置情報等を受信しなかった場合はステップＳ３００１に戻る。なお、位置情報等とは、１以上の位置情報と、飼育者識別子、生簀識別子、飼育者のユーザ端末３の端末識別子等のうちの１以上の識別子である。
【０５２４】
（ステップＳ３０１８）処理部７３は、ステップＳ３０１７で受信された位置情報等を格納部７１に蓄積する。ステップＳ３００１に戻る。
【０５２５】
なお、図３０のフローチャートにおいて、生簀存在判断処理、作業有無判断処理、および損害発生有無判断処理を行った。しかし、かかる３つの判断処理はオプションであり、必須ではない。
【０５２６】
また、図３０のフローチャートにおいて、電源オフや処理終了の割り込みにより処理は終了する。
【０５２７】
次に、損害額出力装置７の第二の動作例について、図３１のフローチャートを用いて説明する。図３１のフローチャートにおいて、図３０のフローチャートと同一のステップについて、その説明を省略する。なお、第二の動作例は、リスク要因情報等の受け付けに応じて、損害を受けた生簀を特定し、損害額を算定し、出力する場合の動作例である。
【０５２８】
（ステップＳ３１０１）リスク要因受付部７２１は、リスク要因情報等を受け付けたか否かを判断する。リスク要因情報等を受け付けた場合はステップＳ３１０２に行き、リスク要因情報等を受け付けなかった場合はステップＳ３０１７に行く。なお、リスク要因情報等とは、例えば、１以上のリスク要因情報と、位置情報または生簀識別子である。また、リスク要因情報等とは、例えば、１以上のリスク要因情報である。受け付けられたリスク要因情報等が、位置情報または生簀識別子等の生簀を特定する情報を含むことは好適である。
【０５２９】
（ステップＳ３１０２）処理部７３は、カウンタｉに１を代入する。
【０５３０】
（ステップＳ３１０３）処理部７３は、ｉ番目の生簀識別子が飼育者情報格納部５１１に存在するか否かを判断する。ｉ番目の生簀識別子が存在する場合はステップＳ３１０４に行き、存在しない場合はステップＳ３１０１に戻る。なお、受け付けられたリスク要因情報等が位置情報または生簀識別子等の生簀を特定する情報を含む場合、ｉ番目の生簀識別子は、生簀を特定する情報により特定される生簀の中のｉ番目の生簀の生簀識別子である。
【０５３１】
（ステップＳ３１０４）処理部７３は、ｉ番目の生簀識別子を取得する。ステップＳ３０３に行く。なお、ここで取得される生簀識別子は、一つの場合を想定しているが、２以上の生簀識別子が取得された場合、ステップＳ３００３からＳ３０１０、およびＳ３０１１からＳ３０１６が生簀識別子の数だけ繰り返される。
【０５３２】
（ステップＳ３１０５）処理部７３は、カウンタｉを１、インクリメントする。ステップＳ３１０３に戻る。
【０５３３】
なお、図３１のフローチャートにおいて、生簀存在判断処理、作業有無判断処理、および損害発生有無判断処理を行った。しかし、かかる３つの判断処理はオプションであり、必須ではない。
【０５３４】
また、図３１のフローチャートにおいて、電源オフや処理終了の割り込みにより処理は終了する。
【０５３５】
次に、ステップＳ３００３の生簀存在判断処理の例について、図３２のフローチャートを用いて説明する。
【０５３６】
（ステップＳ３２０１）存在判断部７３１は、着目している生簀識別子と対になる１以上の生簀画像を生簀画像格納部７１２から取得する。着目している生簀識別子と対になる１以上の生簀画像とは、例えば、着目している生簀識別子と対になる位置情報と予め決められた条件を満たすほど近い位置の位置情報と対になる１以上の生簀画像でも良い。
【０５３７】
（ステップＳ３２０２）存在判断部７３１は、カウンタｉに１を代入する。
【０５３８】
（ステップＳ３２０３）存在判断部７３１は、ステップＳ３２０１で取得した生簀画像の中で、ｉ番目の生簀画像が存在するか否かを判断する。ｉ番目の生簀画像が存在する場合はステップＳ３２０４に行き、ｉ番目の生簀画像が存在しない場合はステップＳ３２０６に行く。
【０５３９】
（ステップＳ３２０４）存在判断部７３１は、ｉ番目の生簀画像を用いて、上述した方法を用いて、着目している生簀識別子で識別される生簀が存在するか否かを判断する。存在判断部７３１は、ここでの判断結果を、例えば、格納部７１に一時的に蓄積する。なお、一の生簀画像から生簀が存在するか否かを判断する方法については上述した。
【０５４０】
（ステップＳ３２０５）存在判断部７３１は、カウンタｉを１、インクリメントする。ステップＳ３１０３に戻る。
【０５４１】
（ステップＳ３２０６）存在判断部７３１は、ステップＳ３２０４で蓄積された１以上の判断結果を用いて、生簀が存在するか否かについての判断結果を取得する。上位処理にリターンする。
【０５４２】
なお、存在判断部７３１は、例えば、予め決められた割合以上の判断結果が「生簀が存在する」との判断結果である場合に、最終的な判断結果を「生簀が存在する」とし、予め決められた割合未満の判断結果が「生簀が存在する」との判断結果である場合に、最終的な判断結果を「生簀が存在しない」とする。存在判断部７３１は、例えば、多い方の判断結果を最終的な判断結果として取得する（多数決）。
【０５４３】
次に、ステップＳ３００５の作業有無判断処理の例について、図３３のフローチャートを用いて説明する。
【０５４４】
（ステップＳ３３０１）作業判断部７３２は、生簀画像を使用して作業有無判断処理を行うか否かを判断する。生簀画像を使用する場合はステップＳ３３０２に行き、生簀画像を使用しない場合はステップＳ３３０８に行く。なお、生簀画像を使用するか否かは予め決められていても良いし、着目する生簀識別子と対になる生簀画像が生簀画像格納部７１２に格納されているかを判断することにより、生簀画像を使用するか否かを判断しても良い。
【０５４５】
（ステップＳ３３０２）作業判断部７３２は、着目する生簀識別子と対になる１以上の生簀画像が生簀画像格納部７１２から取得する。
【０５４６】
（ステップＳ３３０３）作業判断部７３２は、カウンタｉに１を代入する。
【０５４７】
（ステップＳ３３０４）作業判断部７３２は、ステップＳ３３０２で取得した生簀画像の中で、ｉ番目の生簀画像が存在するか否かを判断する。ｉ番目の生簀画像が存在する場合はステップＳ３３０５に行き、ｉ番目の生簀画像が存在しない場合はステップＳ３３０７に行く。
【０５４８】
（ステップＳ３３０５）作業判断部７３２は、ｉ番目の生簀画像を用いて、上述した方法により、作業の有無の判断を行い、判断結果を格納部７１に一時蓄積する。なお、一の生簀画像から作業の有無の判断を行う処理については上述した。
【０５４９】
（ステップＳ３３０６）作業判断部７３２は、カウンタｉを１、インクリメントする。ステップＳ３１０３に戻る。
【０５５０】
（ステップＳ３３０７）作業判断部７３２は、ステップＳ３３０５で蓄積された１以上の判断結果を用いて、最終的な判断結果を取得する。上位処理にリターンする。
【０５５１】
なお、存在判断部７３１は、例えば、予め決められた割合以上の判断結果が「作業あり」との判断結果である場合に、最終的な判断結果を「作業あり」とし、予め決められた割合未満の判断結果が「作業あり」との判断結果である場合に、最終的な判断結果を「作業なし」とする。存在判断部７３１は、例えば、多い方の判断結果を最終的な判断結果として取得する（多数決）。
【０５５２】
（ステップＳ３３０８）作業判断部７３２は、位置情報を使用して作業有無判断処理を行うか否かを判断する。位置情報を使用する場合はステップＳ３３０９に行き、位置情報を使用しない場合はステップＳ３３１６に行く。なお、生簀画像を使用しない場合は、通常、位置情報を使用して、作業判断部７３２は、作業有無判断処理を行う。
【０５５３】
なお、位置情報を使用するか否かは予め決められていても良いし、着目する生簀識別子、または着目する生簀識別子と対になる飼育者識別子、または着目する生簀識別子と対になる端末識別子等と対になる位置情報が格納部７１に格納されているかを判断することにより、位置情報を使用するか否かを判断しても良い。
【０５５４】
（ステップＳ３３０９）作業判断部７３２は、着目する生簀識別子と対になる位置情報を飼育者情報格納部５１１から取得する。なお、この位置情報は、当該生簀識別子で識別される生簀の位置を特定する情報である。
【０５５５】
（ステップＳ３３１０）作業判断部７３２は、ステップＳ３３０９で取得された位置情報が示す位置と、予め決められた条件を満たすほど近い位置の１以上の位置情報を格納部７１から取得する。なお、ここで取得された１以上の位置情報は、飼育者の端末から送信された位置情報である。
【０５５６】
（ステップＳ３３１１）作業判断部７３２は、ステップＳ３３１０で取得された１以上の位置情報が条件を満たすか否かを判断する。条件を満たす場合はステップＳ３３１２に行き、条件を満たさない場合はステップＳ３３１６に行く。
【０５５７】
（ステップＳ３３１２）作業判断部７３２は、着目する生簀識別子と対になる２以上の位置情報であり、生簀に配置されている端末から異なる時刻において送信された２以上の位置情報を格納部７１から取得する。そして、作業判断部７３２は、当該２以上の位置情報を用いて、２以上の位置情報の間の距離を算出する。
【０５５８】
（ステップＳ３３１３）作業判断部７３２は、ステップＳ３３１２で算出した距離を用いて、生簀が移動していないか否かを判断する。生簀が移動していないとの判断の場合はステップＳ３３１４に行き、移動しているとの判断の場合はステップＳ３３１５に行く。
【０５５９】
（ステップＳ３３１４）作業判断部７３２は、「作業あり」との判断結果を得る。上位処理にリターンする。
【０５６０】
（ステップＳ３３１５）作業判断部７３２は、「作業なし」との判断結果を得る。上位処理にリターンする。
【０５６１】
（ステップＳ３３１６）作業判断部７３２は、「作業なし」との判断結果を得る。上位処理にリターンする。
【０５６２】
なお、図３３のフローチャートにおいて、ステップＳ３３０９〜ステップＳ３３０１１、Ｓ３３１６の処理、ステップＳ３３１２〜ステップＳ３３１５の処理のうち、いずれかの処理のみを行っても良い。
【０５６３】
次に、ステップＳ３００７の損害発生有無判断処理の例について、図３４のフローチャートを用いて説明する。
【０５６４】
（ステップＳ３４０１）損害発生判断部７３３は、着目する生簀識別子と対になる位置情報を飼育者情報格納部５１１から取得する。
【０５６５】
（ステップＳ３４０２）損害発生判断部７３３は、カウンタｉに１を代入する。
【０５６６】
（ステップＳ３４０３）損害発生判断部７３３は、評価すべきｉ番目の環境情報（例えば、水温、気温、降水量等）が存在するか否かを判断する。ｉ番目の環境情報が存在する場合はステップＳ３４０４に行き、ｉ番目の環境情報が存在しない場合はステップＳ３４０９に行く。
【０５６７】
（ステップＳ３４０４）損害発生判断部７３３は、ステップＳ３４０１で取得した位置情報が示す位置が含まれる領域の所定期間のｉ番目の環境情報を格納部７１または図示しないサーバ（例えば、気象庁のサーバ）から取得する。
【０５６８】
（ステップＳ３４０５）損害発生判断部７３３は、ステップＳ３４０４で取得した所定期間のｉ番目の環境情報の集合は、適正範囲であるか否かを、求償単価格納部７１１に格納されているリスク要因情報に関する条件である要因条件を用いて判断する。適正範囲であればステップＳ３４０８に行き、適正範囲でなければステップＳ３４０６に行く。
【０５６９】
（ステップＳ３４０６）損害発生判断部７３３は、「損害あり」との判断結果を得て、格納部７１に一時蓄積する。
【０５７０】
（ステップＳ３４０７）損害発生判断部７３３は、ステップＳ３４０４で取得した所定期間のｉ番目の環境情報の集合に対応するリスクレベルを、求償単価格納部７１１に格納されているリスク要因情報に関する条件である要因条件を用いて取得する。そして、損害発生判断部７３３は、当該リスクレベルとｉ番目の環境情報の識別子（例えば、水温であることを示す情報、気温であることを示す情報、降水量であることを示す情報）とを対応付けて格納部７１に一時蓄積する。
【０５７１】
（ステップＳ３４０８）損害発生判断部７３３は、カウンタｉを１、インクリメントする。ステップＳ３４０３に戻る。
【０５７２】
（ステップＳ３４０９）損害発生判断部７３３は、ステップＳ３４０７で「損害あり」との判断結果が１回でも蓄積された場合はステップＳ３４１０に行き、一度も蓄積されていない場合はステップＳ３４１１に行く。
【０５７３】
（ステップＳ３４１０）損害発生判断部７３３は、判断結果「損害あり」を得る。上位処理にリターンする。
【０５７４】
（ステップＳ３４１１）損害発生判断部７３３は、判断結果「損害なし」を得る。上位処理にリターンする。
【０５７５】
なお、図３４のフローチャートにおいて、ステップＳ３４０７の処理は損害額の取得のための処理であり、損害額を取得しない場合は不要である。
【０５７６】
次に、ステップＳ３００９の損害額取得処理の例について、図３５のフローチャートを用いて説明する。
【０５７７】
（ステップＳ３５０１）求償単価取得部７３５は、ステップＳ３４０７で一時蓄積されたリスクレベルのうち、最大のリスクレベルを取得する。そして、求償単価取得部７３５は、当該最大のリスクレベルと対になる求償単価情報を求償単価格納部７１１から取得する。
【０５７８】
（ステップＳ３５０２）規模取得部７３４は、着目する生簀識別子と対になる規模情報を飼育者情報格納部５１１から取得する。
【０５７９】
（ステップＳ３５０３）損害額取得部７３６は、ステップＳ３５０１で取得された求償単価情報と、ステップＳ３５０２で取得された規模情報とを用いて、損害額を取得する。上位処理にリターンする。なお、損害額取得部７３６は、例えば、格納部７１の演算式「損害額＝求償単価情報×規模情報」を実行し、損害額を算定する。
【０５８０】
なお、図３５のフローチャートのステップＳ３５０１において、最大のリスクレベルと対になる求償単価情報を取得したが、最小のリスクレベルと対になる求償単価情報、または中央値のリスクレベルと対になる求償単価情報等を取得しても良い。つまり、求償単価取得部７３５は、ステップＳ３４０７で一時蓄積されたリスクレベルが複数の場合、代表値のリスクレベルと対になる求償単価情報を取得することは好適である。
【０５８１】
以下、本実施の形態における情報システムＤを構成する損害額出力装置７の具体的な動作について説明する。
【０５８２】
今、損害額出力装置７の求償単価格納部７１１には、図３６に示す単価管理表が格納されている、とする。単価管理表は、要因条件と求償単価情報とを有する２以上の単価管理情報が格納される。ここでの要因条件は、例えば、「水温」に関する条件、「降水量」に関する条件等である。また、単価管理表では、規模情報ごとの求償単価情報が管理されている。
【０５８３】
図３６において、例えば、水温「１６−２０℃」の場合は適正値であり、損害は発生していないと推定できるために、求償単価情報は「−」（無し、または０）となっている。また、図３６において、例えば、水温「６−１０℃」の状態が予め決められた所定時間以上継続した場合であり、規模情報が「５０匹まで」または「体積１０ｍ３まで」である生簀に対して、求償単価情報は「６００円」である。また、図３６において、例えば、水温「３０℃より高い」状態が予め決められた所定時間以上継続した場合であり、規模情報が「５０匹まで」または「体積１０ｍ３まで」である生簀に対して、求償単価情報は「８００円」である。なお、図３６において、「・・・」の属性値は、適切な値が格納されている、とする。
【０５８４】
また、求償単価格納部７１１には、飼育対象の種類である種類情報、地域を識別する地域識別子、または飼育者ランクのうちの１以上の情報に対応付けて、２以上の単価管理表が格納されていても良い。ここで、例えば、図３６の単価管理表は、種類情報「Ａ１」、地域識別子「Ｂ１」、飼育者ランク「４」の単価管理表である、とする。
【０５８５】
また、飼育者情報格納部５１１には、図１８の飼育者情報管理表が格納されている、とする。
【０５８６】
また、生簀画像格納部７１２には、生簀識別子に対応付けられた多数の生簀画像が格納されている、とする。また、生簀画像には、時刻情報も対応付けられている、とする。
【０５８７】
さらに、格納部７１には、飼育者識別子または／および生簀識別子に対応付けられた位置情報が多数格納されている、とする。また、位置情報には、時刻情報も対応付けられている、とする。
【０５８８】
かかる状況において、ユーザは、ユーザ端末３に対して、生簀識別子「ｃ０１」を有する損害額算定指示を入力した、とする。すると、ユーザ端末３は、当該損害額算定指示を受け付け、送信する損害額算定指示を構成し、当該損害額算定指示を損害額出力装置７に送信する。
【０５８９】
次に、損害額出力装置７の指示受付部７２２は、生簀識別子「ｃ０１」を有する損害額算定指示をユーザ端末３から受信する。そして、処理部７３は、受信された損害額算定指示が有する生簀識別子「ｃ０１」を取得する。
【０５９０】
次に、存在判断部７３１は、上述したアルゴリズムにより、生簀存在判断処理を行う。そして、ここでは、生簀識別子「ｃ０１」で識別される生簀が存在している、と判断されたとする。
【０５９１】
また、作業判断部７３２は、上述したアルゴリズムにより、作業有無判断処理を行う。そして、ここでは、生簀識別子「ｃ０１」に対応する飼育者識別子「ｂ０１」で識別される飼育者が作業を行っていた、と判断されたとする。
【０５９２】
さらに、損害発生判断部７３３は、上述したアルゴリズムにより、生簀識別子「ｃ０１」で識別される生簀で、損害が発生したか否かを判断する損害発生有無判断処理を行う。詳細には、損害発生判断部７３３は、例えば、以下のように、損害発生有無判断処理を行う。
【０５９３】
まず、損害発生判断部７３３は、生簀識別子「ｃ０１」と対になる位置情報を飼育者情報管理表から取得する。
【０５９４】
次に、損害発生判断部７３３は、生簀識別子「ｃ０１」と対になる位置情報に対応する地域識別子「Ｂ１」を対応表から取得する。なお、地域識別子と位置の範囲を示す対応表は、格納部７１に格納されている、とする。
【０５９５】
次に、損害発生判断部７３３は、地域識別子「Ｂ１」と対になる水温の情報であり、所定期間の水温の情報を、図示しない環境情報を格納しているサーバから取得する。
【０５９６】
次に、損害発生判断部７３３は、地域識別子「Ｂ１」と対になる図３６に示す単価管理表から、取得した所定期間の水温の情報が適正値の範囲（ここでは、「１６−２０℃」）であるか否かを判断する。ここで、損害発生判断部７３３は、所定期間の水温の情報において、予め決められた一定期間以上、「１１−１５℃」の水温であったことを検知した、とする。そして、損害発生判断部７３３は、「損害あり」との判断結果を得る。
【０５９７】
また、損害発生判断部７３３は、「１１−１５℃」に対応するリスクレベルを、格納部７１に一時蓄積する。
【０５９８】
次に、損害額取得部７３６は、生簀識別子「ｃ０１」で識別される生簀で発生した損害の損害額を、例えば、以下のように取得する。
【０５９９】
つまり、まず、規模取得部７３４は、生簀識別子「ｃ０１」と対になる規模情報（例えば、３０匹）を飼育者情報管理表から取得する。
【０６００】
次に、損害発生判断部７３３は、「１１−１５℃」に対応するリスクレベルと対になる求償単価情報「２００円」を図３６の単価管理表から取得する。
【０６０１】
次に、損害額取得部７３６は、取得された求償単価情報「２００円」と、取得された規模情報「３０匹」とを乗算し、損害額「６０００円」を得る。そして、損害額出力部７４４は、ユーザ端末３に損害額「６０００円」を送信する。
【０６０２】
また、存在判断結果出力部７４１は、生簀識別子「ｃ０１」で識別される生簀が存在していたことを示す情報を処理部７３に渡す。また、作業判断結果出力部７４２は、生簀識別子「ｃ０１」に対応する飼育者識別子「ｂ０１」で識別される飼育者が作業を行っていたことを示す情報を処理部７３に渡す。また、損害発生判断結果出力部７４３は、生簀識別子「ｃ０１」で識別される生簀に存在が発生したことを示す情報、および「１１−１５℃」に対応するリスクレベルを処理部７３に渡す。また、損害額出力部７４４は、損害額「６０００円」を処理部７３に渡す。
【０６０３】
次に、処理部７３は、渡された情報を含むレポートを構成する。なお、レポートには、例えば、飼育者識別子「ｂ０１」、生簀識別子「ｃ０１」、「１１−１５℃」に対応するリスクレベル、損害額「６０００円」等が含まれる。
【０６０４】
次に、出力部７４は、処理部７３が構成したレポートをユーザ端末３に送信する。
【０６０５】
そして、ユーザ端末３は、損害額「６０００円」を受信し、出力する。また、ユーザ端末３は、レポートを受信し、出力する。
【０６０６】
以上、本実施の形態によれば、生簀の規模情報と求償単価とを用いて、損害が発生した生簀の損害額を算定できる。
【０６０７】
また、本実施の形態によれば、求償単価を自動的に取得できる。
【０６０８】
また、本実施の形態によれば、生簀が存在するか否かを判断できる。
【０６０９】
また、本実施の形態によれば、飼育者が生簀に対して作業を行っているか否かを判断できる。
【０６１０】
また、本実施の形態によれば、１以上の生簀画像を用いて、飼育者が生簀に対して作業を行っているか否かを判断できる。
【０６１１】
また、本実施の形態によれば、飼育者に対応する１以上の位置情報を用いて、飼育者が生簀に対して作業を行っているか否かを判断できる。
【０６１２】
また、本実施の形態によれば、生簀に損害が発生しているか否かを判断できる。
【０６１３】
また、本実施の形態によれば、１以上の生簀画像を用いて、生簀に損害が発生しているか否かを判断できる。
【０６１４】
さらに、本実施の形態によれば、環境情報を用いて、生簀に損害が発生しているか否かを判断できる。
【０６１５】
なお、本実施の形態における情報処理装置を実現するソフトウェアは、以下のようなプログラムである。つまり、このプログラムは、水中生物群の飼育者に関する情報であり、飼育者を識別する飼育者識別子または生簀を識別する生簀識別子、生簀の規模を特定する規模情報を有する１以上の飼育者情報が格納される飼育者情報格納部と、生簀の単位量あたりの損害額を特定する求償単価情報が格納される求償単価格納部とにアクセス可能なコンピュータを、飼育者識別子または生簀識別子を有する損害額算定指示を受け付ける指示受付部と、前記損害額算定指示が有する飼育者識別子または生簀識別子と対になる規模情報を前記飼育者情報格納部から取得する規模取得部と、前記求償単価情報と前記規模取得部が取得した規模情報とを用いて、前記損害額算定指示が有する飼育者識別子により識別される飼育者または生簀識別子により識別される生簀の損害額を取得する損害額取得部と、前記損害額取得部が取得した損害額を出力する損害額出力部として機能させるためのプログラムである。
【０６１６】
また、図３７は、本明細書で述べたプログラムを実行して、上述した種々の実施の形態の資産価値出力装置１等を実現するコンピュータの外観を示す。上述の実施の形態は、コンピュータハードウェア及びその上で実行されるコンピュータプログラムで実現され得る。図３７は、このコンピュータシステム３００の概観図であり、図３８は、システム３００のブロック図である。なお、図３７、図３８は、エンゲージメントシステムを実現するコンピュータの外観等を示す図である。
【０６１７】
図３７において、コンピュータシステム３００は、ＣＤ−ＲＯＭドライブを含むコンピュータ３０１と、キーボード３０２と、マウス３０３と、モニタ３０４とを含む。
【０６１８】
図３８において、コンピュータ３０１は、ＣＤ−ＲＯＭドライブ３０１２に加えて、ＭＰＵ３０１３と、ＣＤ−ＲＯＭドライブ３０１２等に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０６１９】
コンピュータシステム３００に、上述した実施の形態の資産価値出力装置１等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０６２０】
プログラムは、コンピュータ３０１に、上述した実施の形態の資産価値出力装置１等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０６２１】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０６２２】
また、上記プログラムを実行するコンピュータは、単数であってもよく、複数であってもよい。すなわち、集中処理を行ってもよく、あるいは分散処理を行ってもよい。
【０６２３】
また、上記各実施の形態において、一の装置に存在する２以上の通信手段は、物理的に一の媒体で実現されても良いことは言うまでもない。
【０６２４】
また、上記各実施の形態において、各処理は、単一の装置によって集中処理されることによって実現されてもよく、あるいは、複数の装置によって分散処理されることによって実現されてもよい。
【０６２５】
本発明は、以上の実施の形態に限定されることなく、種々の変更が可能であり、それらも本発明の範囲内に包含されるものであることは言うまでもない。
【産業上の利用可能性】
【０６２６】
以上のように、本発明にかかる資産価値出力装置は、２以上の飼育対象の水中生物群の資産価値を容易に取得できるという効果を有し、資産価値出力装置等として有用である。
【符号の説明】
【０６２７】
１  資産価値出力装置
２  給餌器
３  ユーザ端末
４  カメラ
５  保険情報出力装置
６  金融関連情報出力装置
７  損害額出力装置
１１、６１、７１  格納部
１２、６２、７２  受付部
１３、６３、７３  処理部
１４、６４、７４  出力部
２１  給餌格納部
２２  給餌処理部
２３  給餌送信部
２４  給餌受信部
３１  ユーザ格納部
３２  ユーザ受付部
３３  ユーザ処理部
３４  ユーザ送信部
３５  ユーザ受信部
３６  ユーザ出力部
５１  保険情報格納部
５２  保険情報受付部
５３  保険情報取得部
５４  保険情報出力部
１１１、５１１  飼育者情報格納部
１２１  水中生物群情報受付部
１３１  画像解析部
１３２  資産価値取得部
１４１  資産価値出力部
５１２  リスク要因情報格納部
５３１  ランク取得手段
５３２  保険情報取得手段
６１１  資産価値格納部
６３１  金融関連情報取得部
６４１  金融関連情報出力部
７１１  求償単価格納部
７１２  単価管理情報管理部
７１２  生簀画像格納部
７２１  リスク要因受付部
７２２  指示受付部
７２３  位置情報受信部
７３１  存在判断部
７３２  作業判断部
７３３  損害発生判断部
７３４  規模取得部
７３５  求償単価取得部
７３６  損害額取得部
７４１  存在判断結果出力部
７４２  作業判断結果出力部
７４３  損害発生判断結果出力部
７４４  損害額出力部
１３１１  サイズ情報取得手段
１３１２  種類情報取得手段
１３２１  コストアプローチ手段
１３２２  マーケットアプローチ手段
６３１１  融資情報取得手段
６３１２  投資情報取得手段
【図１】
2020021477.tif 000003
【図２】
2020021477.tif 000004
【図３】
2020021477.tif 000005
【図４】
2020021477.tif 000006
【図５】
2020021477.tif 000007
【図６】
2020021477.tif 000008
【図７】
2020021477.tif 000009
【図８】
2020021477.tif 000010
【図９】
2020021477.tif 000011
【図１０】
2020021477.tif 000012
【図１１】
2020021477.tif 000013
【図１２】
2020021477.tif 000014
【図１３】
2020021477.tif 000015
【図１４】
2020021477.tif 000016
【図１５】
2020021477.tif 000017
【図１６】
2020021477.tif 000018
【図１７】
2020021477.tif 000019
【図１８】
2020021477.tif 000020
【図１９】
2020021477.tif 000021
【図２０】
2020021477.tif 000022
【図２１】
2020021477.tif 000023
【図２２】
2020021477.tif 000024
【図２３】
2020021477.tif 000025
【図２４】
2020021477.tif 000026
【図２５】
2020021477.tif 000027
【図２６】
2020021477.tif 000028
【図２７】
2020021477.tif 000029
【図２８】
2020021477.tif 000030
【図２９】
2020021477.tif 000031
【図３０】
2020021477.tif 000032
【図３１】
2020021477.tif 000033
【図３２】
2020021477.tif 000034
【図３３】
2020021477.tif 000035
【図３４】
2020021477.tif 000036
【図３５】
2020021477.tif 000037
【図３６】
2020021477.tif 000038
【図３７】
2020021477.tif 000039
【図３８】
2020021477.tif 000040